(57)【要約】アニオン性重合体レオロジー改質剤をカチオン性成分と相溶性にする方法であって、該方法は、錯化カチオン性成分をアニオン性レオロジー改質剤と混ぜ合わせる前に、該カチオン性成分をアニオン性錯化剤で錯化する工程を包含する。アニオン性重合体レオロジー改質剤および錯化カチオン性成分を含有する組成物、アニオン性錯化剤で錯化したアニオン性レオロジー改質剤およびカチオン性成分を含有するパーソナルケアまたは家庭用組成物。本発明は、さらに、アニオン性重合体レオロジー改質剤と錯化カチオン性成分とを含有する組成物に関し、また、アニオン性重合体レオロジー改質剤とカチオン性（これは、アニオン性錯化剤で錯化した）とを含有するパーソナルケアまたは家庭用品組成物に関する。
2006503934.tif 000002
【特許請求の範囲】
【請求項１】
アニオン性重合体レオロジー改質剤をカチオン性物質と相溶性にする方法であって、該方法は、以下の工程を包含する：
錯化カチオン性物質を該レオロジー改質剤と混ぜ合わせる前に、該カチオン性物質をアニオン性錯化剤で錯化する工程であって、
ここで、該錯化剤は、アニオン性基を有する嵩張った分子を含有する、
方法。
【請求項２】
前記嵩張った分子が、少なくとも１，０００の分子量を有する、請求項１に記載の方法。
【請求項３】
前記嵩張った分子が、重合体である、請求項２に記載の方法。
【請求項４】
前記重合体錯化剤が、アクリル共重合体、ポリアルキレングリコール、ポリビニルアルコール、ポリ酢酸ビニル、多糖類、ポリウレタンおよびポリシリコーンからなる群から選択される、請求項３に記載の方法。
【請求項５】
前記重合体錯化剤が、カルボキシレート基、スルホネート基、サルフェート基、ホスフェート基およびホスホネート基からなる群から選択されるアニオン性基を含有する、請求項４に記載の方法。
【請求項６】
前記重合体錯化剤が、ポリシリコーンである、請求項５に記載の方法。
【請求項７】
前記ポリシリコーンが、以下の（Ｉ）〜（ＩＶ）からなる群から選択される、請求項６に記載の方法：
（Ｉ）
【化１】
2006503934.tif 000037
ここで：
Ｍｅは、メチルである；
ＲおよびＲ’は、別個に、メチル、−ＯＨ、−Ｒ７、および−Ｒ９−Ａまたは−（ＣＨ２）３−Ｏ−（ＥＯ）ａ−（ＰＯ）ｂ−（ＥＯ）ｃ−Ｇから選択されるが、但し、ＲおよびＲ’の両方が、メチル、−ＯＨまたはＲ７になることはない；
Ｒ１は、低級アルキルＣＨ３（ＣＨ２）ｎ−またはフェニルから選択され、ここで、ｎは、０〜２２の整数である；ａ、ｂおよびｃは、別個に、０〜１００の範囲の整数である；
ＥＯは、−（ＣＨ２ＣＨ２Ｏ）−である；
ＰＯは、
【化２】
2006503934.tif 000038
である；
ｏは、１〜２００の範囲の整数である；
ｑは、０〜１０００の範囲の整数である；
ｐは、０〜２００の範囲の整数である；
Ｒ７は、１個〜４０個の炭素を有するアリール基、アルキル基、アラルキル基、アルカリール基またはアルケニル基である；
Ｒ８は、水素またはＲ７またはＣ（Ｏ）−Ｘであり、ここで、Ｘは、１個〜４０個の炭素を有するアリール基、アルキル基、アラルキル基、アルカリール基、アルケニル基であるか、またはそれらの混合物である；
Ｒ９は、６個〜１８個の炭素を有するアリーレン基で遮断され得る１個〜４０個の炭素を有するアルキレンまたは２個〜８個の炭素を有する不飽和を含むアルキレン基から選択される二価基である；
ＡおよびＧは、別個に、以下から選択される：
【化３−１】
2006503934.tif 000039
【化３−２】
2006503934.tif 000040
ここで、
Ｒ”は、６個〜１８個の炭素を有するアリーレン基で遮断され得る１個〜４０個の炭素を有するアルキレンまたは２個〜８個の炭素を有する不飽和を含むアルキレン基から選択される二価基であり、好ましくは、以下から選択される：
Ｒ”は、以下から選択される：−ＣＨ２−ＣＨ２−；
【化４】
2006503934.tif 000041
ここで、
Ｍは、Ｎａ、Ｋ、Ｌｉ、ＮＨ４；またはアルキル基、アリール基、アルケニル基、ヒドロキシアルキル基、アリールアルキル基またはアルカリール基を含有するアミンである；
（ＩＩ）
【化５】
2006503934.tif 000042
Ｒ１１は、１個〜８個の炭素原子を有する低級アルキルまたはフェニルから選択される；
Ｒ１２は、−（ＣＨ２）３−Ｏ−（ＥＯ）ｘ−（ＰＯ）ｙ−（ＥＯ）ｚ−ＳＯ３−Ｍ＋である；
Ｍは、カチオンであり、そしてＮａ、Ｋ、ＬｉまたはＮＨ４から選択される；
ｘ、ｙおよびｚは、別個に、０〜１００の範囲の整数である；
Ｒ１３は、−（ＣＨ２）３−Ｏ−（ＥＯ）ｘ−（ＰＯ）ｙ−（ＥＯ）ｚ−Ｈである；
Ｒ１４は、メチルまたはヒドロキシルである；
ａ１およびｃ１は、別個に、０〜５０の範囲の整数である；
ｂ１は、１〜５０の範囲の整数である；
（ＩＩＩ）
【化６】
2006503934.tif 000043
ここで、
Ｒ２１は、
【化７】
2006503934.tif 000044
である；
ａ２は、０〜２００の整数である；
ｂ２は、０〜２００の整数である；
ｃ２は、１〜２００の整数である；
Ｒ１４は、上で定義したとおりである；
Ｒ２２は、−（ＣＨ２）ｎＣＨ３およびフェニルから選択される；
ｎは、０〜１０の整数である；
Ｒ２３は、−（ＣＨ２）３−Ｏ−（ＥＯ）ｘ１−（ＰＯ）ｙ１−（ＥＯ）ｚ１−Ｈである；
ｘ１、ｙ１およびｚ１は、別個に、０〜２０から選択される；
ｅ１およびｆ１は、１または２であるが、但し、ｅ＋ｆ＝３である；
Ｍは、Ｈ、Ｎａ、Ｋ、ＬｉまたはＮＨ４から選択される；および
（ＩＶ）
【化８】
2006503934.tif 000045
ここで；
Ｍｅは、メチルである；
Ｒ３０およびＲ３２は、別個に、−ＣＨ３または−（ＣＨ２）３−Ｏ−（ＥＯ）ａ３−（ＰＯ）ｂ３−（ＥＯ）ｃ３−Ｃ（Ｏ）−Ｒ３３−Ｃ（Ｏ）−ＯＨである；
但し、Ｒ３０およびＲ３２の両方が−ＣＨ３になることはない；
Ｒ３３は、以下から選択される：−ＣＨ２−ＣＨ２−；−ＣＨ＝ＣＨ−；−ＣＨ２−Ｃ（Ｒ３７）−Ｈ；
【化９】
2006503934.tif 000046
Ｒ３７は、１個〜２２個の炭素原子を有するアルキルである；
Ｒ３１は、低級アルキル（１個〜４個の炭素を有する）、ＣＨ３（ＣＨ）ｎ１−およびフェニルから選択される；
ｎ１は、０〜８の整数である；
ａ３、ｂ３およびｃ３は、別個に、０〜２０の範囲の整数である；
ＥＯは、エチレンオキシド残基−（ＣＨ２ＣＨ２−Ｏ）−である；
ＰＯは、プロピレンオキシド残基−（ＣＨ２ＣＨ（ＣＨ３）−Ｏ−）−である；
ｏ１は、１〜２００の範囲の整数である；
ｑ１は、１〜５００の範囲の整数である、
方法。
【請求項８】
前記アニオン性レオロジー改質剤が、エチレン性不飽和モノマーから調製された重合体であり、その少なくとも１０重量％が、カルボン酸基を含有するモノマーである、請求項５に記載の方法。
【請求項９】
前記重合体が、カルボン酸基を含有するモノマーから誘導された繰り返し単位を少なくとも２５重量％で含有する、請求項８に記載の方法。
【請求項１０】
前記レオロジー改質剤アニオン性重合体が、以下の（Ａ）および（Ｂ）からなる群から選択される、請求項９に記載の方法：
（Ａ）次式で表わされる１種またはそれ以上のモノマーの重合により得られた重合体：
【化１０】
2006503934.tif 000047
ここで、Ｒ４３は、水素または８個〜３０個の炭素原子を有するアルキル基であり、そして
Ｒ４２は、水素、ハロゲン、ヒドロキシル、ラクトン、ラクタムおよびシアン（−−ＣＮ）基、一価アルキルラジカル、一価アリールラジカル、一価アラルキルラジカル、一価アルカリールラジカルおよび一価環状脂肪族ラジカルからなる群から選択される置換である；
（Ｂ）以下を含む単量体系の共重合体から得られた架橋共重合体：
ａ）約１０〜約９７重量％の少なくとも１種のエチレン性不飽和モノ−またはジカルボン酸；
ｂ）０〜約８０重量％のエチレン性不飽和モノ−またはジカルボン酸の少なくとも１種の（Ｃ１〜Ｃ３０）アルキルまたはアラルキルエステル；
ｃ）約０．５〜約８０重量％の少なくとも１種の会合性モノマーであって、該会合性モノマーは、次式のエステルである：
【化１１】
2006503934.tif 000048
ここで、
Ｊは、エチレン性不飽和アクリル残基であり、必要に応じて、追加カルボン酸基を含有し、ここで、必要に応じて、該追加カルボン酸基は、（Ｃ１〜Ｃ２０）脂肪族アルキル基でエステル化され得る；
Ｒ１は、１個〜３０個の炭素原子を有するアルキル、アルカフェニルまたはアラルキル残基である；
Ｒ２は、水素、メチルまたはエチルである；
ｒは、０と５０の間を含む；
ｓは、０と３０の間を含む；
ｄ）０〜約２０重量％の少なくとも１種のエチレン性不飽和アミド；
ｅ）約０．２〜約２０重量％の少なくとも１種のジエステルであって、該ジエステルは、少なくとも２個の遊離ＯＨ−基を有するポリオキシアルキレングリコールまたは乳化剤と、架橋剤としてのエチレン性不飽和カルボン酸との間である；および
ｆ）０〜約２０重量％の少なくとも１種のエチレン性不飽和スルホン酸。
【請求項１１】
Ｒ４３が、水素または１０個〜２２個の炭素原子を有するアルキル基であり、そしてＲ４２が、水素またはメチルである、請求項１０に記載の方法。
【請求項１２】
アニオン性錯化剤で錯化したカチオン性物質とレオロジー改質剤とを含有する組成物であって、該アニオン性錯化剤は、アニオン性基を有する嵩張った分子を含有する、
組成物。
【請求項１３】
前記嵩張った分子が、重合体である、請求項１２に記載の組成物。
【請求項１４】
前記重合体錯化剤が、アクリル共重合体、ポリアルキレングリコール、ポリビニルアルコール、ポリ酢酸ビニル、多糖類、ポリウレタンおよびポリシリコーンからなる群から選択される、請求項１３に記載の組成物。
【請求項１５】
前記重合体錯化剤が、カルボキシレート基、スルホネート基、サルフェート基、ホスフェート基およびホスホネート基からなる群から選択されるアニオン性基を含有する、請求項１４に記載の組成物。
【請求項１６】
前記重合体錯化剤が、ポリシリコーンである、請求項１５に記載の組成物。
【請求項１７】
前記ポリシリコーンが、以下の（Ｉ）〜（ＩＶ）からなる群から選択される、請求項１６に記載の組成物：
（Ｉ）
【化１２】
2006503934.tif 000049
ここで：
Ｍｅは、メチルである；
ＲおよびＲ’は、別個に、メチル、−ＯＨ、−Ｒ７、および−Ｒ９−Ａまたは−（ＣＨ２）３−Ｏ−（ＥＯ）ａ−（ＰＯ）ｂ−（ＥＯ）ｃ−Ｇから選択されるが、但し、ＲおよびＲ’の両方が、メチル、−ＯＨまたはＲ７になることはない；
Ｒ１は、低級アルキルＣＨ３（ＣＨ２）ｎ−またはフェニルから選択され、ここで、ｎは、０〜２２の整数である；ａ、ｂおよびｃは、別個に、０〜１００の範囲の整数である；
ＥＯは、−（ＣＨ２ＣＨ２Ｏ）−である；
ＰＯは、
【化１３】
2006503934.tif 000050
である；
ｏは、１〜２００の範囲の整数である；
ｑは、０〜１０００の範囲の整数である；
ｐは、０〜２００の範囲の整数である；
Ｒ７は、１個〜４０個の炭素を有するアリール基、アルキル基、アラルキル基、アルカリール基またはアルケニル基である；
Ｒ８は、水素またはＲ７またはＣ（Ｏ）−Ｘであり、ここで、Ｘは、１個〜４０個の炭素を有するアリール基、アルキル基、アラルキル基、アルカリール基、アルケニル基であるか、またはそれらの混合物である；
Ｒ９は、６個〜１８個の炭素を有するアリーレン基で遮断され得る１個〜４０個の炭素を有するアルキレンまたは２個〜８個の炭素を有する不飽和を含むアルキレン基から選択される二価基である；
ＡおよびＧは、別個に、以下から選択される：
【化１４−１】
2006503934.tif 000051
【化１４−２】
2006503934.tif 000052
ここで、
Ｒ”は、６個〜１８個の炭素を有するアリーレン基で遮断され得る１個〜４０個の炭素を有するアルキレンまたは２個〜８個の炭素を有する不飽和を含むアルキレン基から選択される二価基であり、好ましくは、以下から選択される：
Ｒ”は、以下から選択される：−ＣＨ２−ＣＨ２−；
【化１５】
2006503934.tif 000053
ここで、
Ｍは、Ｎａ、Ｋ、Ｌｉ、ＮＨ４；またはアルキル基、アリール基、アルケニル基、ヒドロキシアルキル基、アリールアルキル基またはアルカリール基を含有するアミンである；
（ＩＩ）
【化１６】
2006503934.tif 000054
Ｒ１１は、１個〜８個の炭素原子を有する低級アルキルまたはフェニルから選択される；
Ｒ１２は、−（ＣＨ２）３−Ｏ−（ＥＯ）ｘ−（ＰＯ）ｙ−（ＥＯ）ｚ−ＳＯ３−Ｍ＋である；
Ｍは、カチオンであり、そしてＮａ、Ｋ、ＬｉまたはＮＨ４から選択される；
ｘ、ｙおよびｚは、別個に、０〜１００の範囲の整数である；
Ｒ１３は、−（ＣＨ２）３−Ｏ−（ＥＯ）ｘ−（ＰＯ）ｙ−（ＥＯ）ｚ−Ｈである；
Ｒ１４は、メチルまたはヒドロキシルである；
ａ１およびｃ１は、別個に、０〜５０の範囲の整数である；
ｂ１は、１〜５０の範囲の整数である；
（ＩＩＩ）
【化１７】
2006503934.tif 000055
ここで、
Ｒ２１は、
【化１８】
2006503934.tif 000056
である；
ａ２は、０〜２００の整数である；
ｂ２は、０〜２００の整数である；
ｃ２は、１〜２００の整数である；
Ｒ１４は、上で定義したとおりである；
Ｒ２２は、−（ＣＨ２）ｎＣＨ３およびフェニルから選択される；
ｎは、０〜１０の整数である；
Ｒ２３は、−（ＣＨ２）３−Ｏ−（ＥＯ）ｘ１−（ＰＯ）ｙ１−（ＥＯ）ｚ１−Ｈである；
ｘ１、ｙ１およびｚ１は、別個に、０〜２０から選択される；
ｅ１およびｆ１は、１または２であるが、但し、ｅ＋ｆ＝３である；
Ｍは、Ｈ、Ｎａ、Ｋ、ＬｉまたはＮＨ４から選択される；および
（ＩＶ）
【化１９】
2006503934.tif 000057
ここで；
Ｍｅは、メチルである；
Ｒ３０およびＲ３２は、別個に、−ＣＨ３または−（ＣＨ２）３−Ｏ−（ＥＯ）ａ３−（ＰＯ）ｂ３−（ＥＯ）ｃ３−Ｃ（Ｏ）−Ｒ３３−Ｃ（Ｏ）−ＯＨである；
但し、Ｒ３０およびＲ３２の両方が−ＣＨ３になることはない；
Ｒ３３は、以下から選択される：−ＣＨ２−ＣＨ２−；−ＣＨ＝ＣＨ−；−ＣＨ２−Ｃ（Ｒ３７）−Ｈ；
【化２０】
2006503934.tif 000058
Ｒ３７は、１個〜２２個の炭素原子を有するアルキルである；
Ｒ３１は、低級アルキル（１個〜４個の炭素を有する）、ＣＨ３（ＣＨ）ｎ１−およびフェニルから選択される；
ｎ１は、０〜８の整数である；
ａ３、ｂ３およびｃ３は、別個に、０〜２０の範囲の整数である；
ＥＯは、エチレンオキシド残基−（ＣＨ２ＣＨ２−Ｏ）−である；
ＰＯは、プロピレンオキシド残基−（ＣＨ２ＣＨ（ＣＨ３）−Ｏ−）−である；
ｏ１は、１〜２００の範囲の整数である；
ｑ１は、１〜５００の範囲の整数である、
組成物。
【請求項１８】
前記アニオン性レオロジー改質剤が、以下の（Ａ）および（Ｂ）からなる群から選択される、請求項１７に記載の組成物：
（Ａ）次式で表わされる１種またはそれ以上のモノマーの重合により得られた重合体：
【化２１】
2006503934.tif 000059
ここで、Ｒ４３は、水素または８個〜３０個の炭素原子を有するアルキル基であり、そして
Ｒ４２は、水素、ハロゲン、ヒドロキシル、ラクトン、ラクタムおよびシアン（−−ＣＮ）基、一価アルキルラジカル、一価アリールラジカル、一価アラルキルラジカル、一価アルカリールラジカルおよび一価環状脂肪族ラジカルからなる群から選択される置換である；
（Ｂ）以下を含む単量体系の共重合体から得られた架橋共重合体：
ａ）約１０〜約９７重量％の少なくとも１種のエチレン性不飽和モノ−またはジカルボン酸；
ｂ）０〜約８０重量％のエチレン性不飽和モノ−またはジカルボン酸の少なくとも１種の（Ｃ１〜Ｃ３０）アルキルまたはアラルキルエステル；
ｃ）約０．５〜約８０重量％の少なくとも１種の会合性モノマーであって、該会合性モノマーは、次式のエステルである：
【化２２】
2006503934.tif 000060
ここで、
Ｊは、エチレン性不飽和アクリル残基であり、必要に応じて、追加カルボン酸基を含有し、ここで、必要に応じて、該追加カルボン酸基は、（Ｃ１〜Ｃ２０）脂肪族アルキル基でエステル化され得る；
Ｒ１は、１個〜３０個の炭素原子を有するアルキル、アルカフェニルまたはアラルキル残基である；
Ｒ２は、水素、メチルまたはエチルである；
ｒは、０と５０の間を含む；
ｓは、０と３０の間を含む；
ｄ）０〜約２０重量％の少なくとも１種のエチレン性不飽和アミド；
ｅ）約０．２〜約２０重量％の少なくとも１種のジエステルであって、該ジエステルは、少なくとも２個の遊離ＯＨ−基を有するポリオキシアルキレングリコールまたは乳化剤と、架橋剤としてのエチレン性不飽和カルボン酸との間である；および
ｆ）０〜約２０重量％の少なくとも１種のエチレン性不飽和スルホン酸。
【請求項１９】
Ｒ４３が、水素または１０個〜２２個の炭素原子を有するアルキル基であり、そしてＲ４２が、水素またはメチルである、請求項１８に記載の組成物。
【請求項２０】
請求項１６に記載の組成物を含有する、ヘアーコンディショナー。
【請求項２１】
透明処方である、請求項２０に記載のヘアーコンディショナー。
【請求項２２】
透明様式ゲル処方である、請求項２０に記載のヘアーコンディショナー。
【請求項２３】
請求項１６に記載の組成物を含有する、皮膚加湿剤。
【請求項２４】
請求項１６に記載の組成物を含有する、ヘアシャンプー。
【請求項２５】
請求項１６に記載の組成物を含有する、家庭用品。
【請求項２６】
請求項１６に記載の組成物を含有する、手の除菌用ゲル。
【発明の詳細な説明】
【背景技術】
【０００１】
（関連出願の相互参照）
本願は、米国仮特許出願第６０／４０８，７９３号（これは、２００２年９月６日に出願された）から優先権を主張しており、その開示内容は、本明細書中で参考として援用されている。
【０００２】
（発明の背景）
レオロジー改質剤（増粘剤）は、一般に、殆どのパーソナルケア製品およびその種の他の製品に使用されている。殆どの有用なレオロジー改質剤の一部は、アニオン性重合体物質であり、これらは、エチレン性不飽和カルボン酸モノマー（これらは、架橋したポリアクリル酸を含有する）またはエチレン性不飽和カルボン酸モノマーと共重合可能なビニルモノマーとの共重合体をベースにしている。このような重合体は、アニオン性重合体レオロジー改質剤を生じ、それらは、化粧品工業および洗面品工業において、種々のパーソナルケア製品で非常に有用である。
【０００３】
このような製品は、増粘剤に加えて、一般に、種々の他の成分、特に、カチオン性成分が必要である。しばしば、カチオン性界面活性剤またはカチオン性コンディショニング剤は、特に有用である。しかしながら、カチオン性界面活性剤は、一般に、アニオン性重合体増粘剤と相溶性ではない。Ｇ．Ｐｏｌｏｔｔｉ  ａｎｄ  Ｆ．Ｃｏｄａは、「Ｔｈｉｃｋｅｎｅｒ  ｆｏｒ  Ｃａｔｉｏｎｉｃ  Ｓｕｒｆａｃｔａｎｔ  Ｓｏｌｕｔｉｏｎｓ"ｉｎ  ｔｈｅ  Ｐｒｏｃｅｅｄｉｎｇｓ  ｏｆ  ｔｈｅ  ２８ｔｈ  ＣＥＤ  Ａｎｎｕａｌ  Ｍｅｅｔｉｎｇ，Ｂａｒｃｅｌｏｎａ，Ｓｐａｉｎ，１９９８」において、以下のように述べた：「カチオン性界面活性剤溶液の増粘は、しばしば、特に、柔軟仕上げ剤、便器洗浄剤、ライムスケール除去剤など用の洗浄剤工業における難題である。この問題の一部は、殆どの通例の増粘剤（例えば、架橋ポリアクリル酸をベースにしたもの）がアニオン種であるので、起こる。安定で粘稠な懸濁液が達成できるものの、ポリアクリル酸とカチオン性界面活性剤との組合せは、凝集体を形成し、これらは、さらに希釈しても分けることができない。これらのカチオン種の効果は、結果的に、アニオン成分との強力な結合において、失われる」。
【０００４】
Ｔｈｅ  Ｈａｎｄｂｏｏｋ  ｏｆ  Ｃｏｓｍｅｔｉｃ  Ｓｃｉｅｎｃｅ  ａｎｄ  Ｔｅｃｈｎｏｌｏｇｙ，Ｆｉｒｓｔ  Ｅｄｉｔｉｏｎ  １９９３  Ｅｌｓｅｖｉｅｒ  Ｓｃｉｅｎｃｅ  Ｐｕｂｌｉｓｈｅｒｓ  Ｌｔｄ，ｏｎ  ｐａｇｅ  １７では、以下のように述べられている：「カーボマーは、カチオン性界面活性剤と非相溶性であり、電解質の存在下にて、粘度形成可能性の著しい低下を示す。この理由のために、洗浄剤ベースの製品の安定化におけるそれらの使用は、非常に制限されている」。
【０００５】
結果的に、前記製品において、カチオン性界面活性剤または他のカチオン性成分との配合において、アニオン性重合体増粘剤またはレオロジー改質剤（例えば、カーボマー）を使用する性能が非常に必要とされている。
【０００６】
種々の化粧品またはパーソナルケア組成物においてレオロジー改質剤およびシリコーンの使用を開示しているいくつかの米国特許または公開特許出願がある。
【０００７】
米国特許第４，２１０，１６１号は、アニオン性重合体およびカチオン性界面活性剤（これは、水不溶性反応生成物を形成できる）を含有するクリームリンス組成物を開示している。それゆえ、この特許は、明らかに、そのアニオン性重合体およびカチオン性界面活性剤が非相溶性であり、沈殿物を形成するが、この処方では、このような沈殿物が望ましいことを述べている。
【０００８】
米国特許第４，７１０，３７４号は、カチオン性重合体およびアニオン性重合体ラテックスを含有する化粧品組成物を開示している。この特許の開示は、明らかに、そのカチオン性重合体が５００と３，０００，０００の間の比較的に高分子量であるが、その殆ど（もし、全部でないなら）は、少なくとも１０，０００の分子量であり、さらに多くの場合、約５００，０００の分子量であることを強調している。それゆえ、このカチオン性成分は、電荷密度が低い大きな分子である。この理由のために、このカチオン性重合体およびアニオン性重合体は、真に非相溶性ではない。
【０００９】
米国特許第６，０７１，４９９号は、アニオン性アクリル重合体およびオキシアルキレネートシリコーン（これは、非イオン性である）を有する化粧品組成物を開示している。このシリコーンは、アニオン性ではないので、それは、カチオン性成分と錯化できないが、このようなアニオン性重合体の性能を改善すると言われている。
【００１０】
公開米国特許出願２００３／０１０８５０３  Ａ１は、メタクリル酸とアクリル酸アルキルとの共重合体、カチオン性または両性重合体および官能化シリコーンを含有する組成物を開示している。明らかに、開示されたアニオン性重合体は、開示されたカチオン性重合体界面活性剤と相溶性である。これらの３成分は、最初にカチオン性重合体と官能化シリコーンとの錯体を形成することなく、共に混ぜ合わされる。結果的に、この公開出願で開示された発明では、相溶化または錯体形成が関与していない。
【発明の開示】
【課題を解決するための手段】
【００１１】
（発明の要旨）
本発明は、アニオン性重合体レオロジー改質剤をカチオン性成分（例えば、カチオン性界面活性剤、カチオン性重合体またはカチオン性塩）と相溶性にする方法に関し、該方法は、錯化カチオン性物質を該アニオン性レオロジー改質剤と混ぜ合わせる前に、該カチオン性物質をアニオン性錯化剤で錯化する工程を包含する。本発明は、さらに、アニオン性重合体レオロジー改質剤と錯化カチオン性成分とを含有する組成物に関し、また、アニオン性重合体レオロジー改質剤とカチオン性（これは、アニオン性錯化剤で錯化した）とを含有するパーソナルケアまたは家庭用品組成物に関する。
【００１２】
カチオン性成分をアニオン性重合体増粘剤と混ぜ合わせるとき、それらが非相溶性であるために、通常、沈殿物が形成され、濁りが生じ、これらの重合体の増粘効果は、一般に、実質的に低下する。アニオン性重合体増粘剤と混ぜ合わせる前に、まず、このカチオン性成分をアニオン性錯化剤で錯化することにより、これらの非相溶性重合体増粘剤およびカチオン性成分は、相溶性となる。このように相溶性にしたカチオン性成分をアニオン性増粘剤と混ぜ合わせるとき、得られる組成物の粘度／濁度プロフィールは、実質的に改善される。それゆえ、それらを増粘剤と混ぜ合わせる前にカチオン性物質を錯化すると、過度の濁度および沈殿物を形成する傾向が低下するかなくなるかいずれかとなる。
【発明を実施するための最良の形態】
【００１３】
（詳細な開示）
本発明の本当に予想外の特徴には、これらのカチオン性成分（それらは、一般に、アニオン性増粘剤と相溶性ではない）が、そのカチオン性成分の性能および機能に好ましくない影響を与えることなく、アニオン性相溶化剤と錯化することにより、相溶性にできるという事実にある。パーソナルケア製品において、アニオン性レオロジー改質剤と併用できるカチオン性成分には、四級アンモニウム塩、ポリ四級アンモニウム塩、有機または無機塩、アルキルアミン、アミドアミン、エトキシ化アミンおよびアルキルイミダゾリン（これらは、それ自体、重合体アニオン性レオロジー改質剤と非相溶性である）がある。「非相溶性」とは、このようなカチオン性成分を重合体アニオン性レオロジー改質剤と混ぜ合わせたとき、沈殿物が形成されるか、濁りが生じるかいずれかを意味する。
【００１４】
アニオン性増粘剤を含有する処方にカチオン性成分を加えたとき、一般に、著しい粘度低下が起こり、しばしば、沈殿物が形成され、濁りが生じる。この理由のために、パーソナルケア製品および家庭用品においてアニオン性増粘剤をカチオン性成分と併用することは、非常に限られている。しかしながら、この長い間の問題は、克服でき、このような物質は、本発明により相溶性にでき、ここで、カチオン性成分は、まず、相溶化剤と錯化され、これは、アニオン性基（例えば、サルフェート基、スルホネート基、ホスフェート基、ホスホネート基またはカルボキシレート基）を含有するアニオン性の嵩張った分子である。「相溶性にする」とは、まず最初にカチオン性成分を錯化しないなら形成されるであろう沈殿物または濁りの実質的な低下を意味する。「実質的な低下」とは、このような成分（カチオン性物質およびアニオン性増粘剤）がパーソナルケア製品でうまく使用できるような程度の低下を意味する。一般に、このような低下は、カチオン性成分およびアニオン性レオロジー改質剤の両方を含有する組成物または処方の濁度が５０ＮＴＵ以下、しばしば、２０ＮＴＵ以下、好ましくは、１５ＮＴＵ以下となるように、濁り形成の少なくとも５０％、好ましくは、少なくとも８０％の低下を構成する。透明ゲル（例えば、透明コンディショニングスタイリングゲル）では、１５ＮＴＵ以下、好ましくは、１０ＮＴＵ以下の濁度が好ましい；これに対して、透明処方のシャンプーでは、４０ＮＴＵ程度に高い濁度でも、許容され得る。許容できると見なされる濁度レベルは、常に、製品の種類に依存している。本発明の錯化アニオン性成分を使用すると、また、しばしば、これまでよりも少ない量の増粘剤を使用して所望の特性が得られるので、レオロジー改質剤の効率的な使用を助け、それにより、得られた製品の費用効率が高くなる。実用的に、沈殿物の形成が全くなくなるはずである。
【００１５】
一般に、これらのカチオン性物質は、アニオン性レオロジー改質剤とは相溶性ではない。しかしながら、もし、カチオン性物質は、濃度が十分に低いなら、相溶性となり得る。同様に、もし、その電荷密度が十分に低い（例えば、その電荷部分が分子全体にわたって疎に分散されている）なら、それらはまた、相溶性となり得る。結果的に、本発明は、特定のアニオン性重合体レオロジー改質剤と非相溶性であるカチオン性物質を扱う。
【００１６】
（カチオン性成分）
カチオン性成分は、通例、パーソナルケア製品において、界面活性剤として、また、コンディショニング成分として、使用されている。それらは、本質的にカチオン性であるので、髪や皮膚のようなアニオン性基質に容易に堆積する。
【００１７】
四級アンモニウム化合物（すなわち、クアッツ（ｑｕａｔｓ））は、多くの利用可能な種類のカチオン性成分のうちで最も広く使用されており、これらは、コンディショニング剤として、機能する。それらの優れた性能特性は、当該工業で周知である。それらの好ましい安全プロフィール、対費用効果および長期間安定性は、付加的な要因である。
【００１８】
クアッツは、ヘアケア処方（例えば、シャンプーのような洗浄用途、ムース、スプレー、ゲルおよび容積増大剤のようなセットおよび固定用途、および一部または二部永久または半永久染料のような染髪用途）において、髪の輝き、耐性、外観、本体、滑り、感覚および一般的な取り扱い易さを高めるのに使用される。
【００１９】
ポリクアッツは、クアッツの重合体であり、クアッツと同じ用途、また、同じ一般的な目的に使用される。それらは、さらに、分子量が高いために、固定液およびレオロジー改質剤として、有用である。それらのサイズが大きいこともまた、皮膚に浸透する（それゆえ、刺激する）ことを防ぎ、そこで、皮膚ケア用途においても、市場で受け入れられている。皮膚ケアでは、それらは、最も一般的には、浴室用ゲルおよび身体洗浄剤のようなパーソナルケアクレンザーにおけるコンディショナーとして、使用されている。
【００２０】
カチオン性成分の例示的な具体例としては、以下に列記される。
【００２１】
（Ａ．ポリ４級塩）
ヘキサジメトリン  クロリド（Ｈｅｘａｄｉｍｅｔｈｒｉｎｅ  Ｃｈｌｏｒｉｄｅ）
ヒドロキシプロピル  ガール  ヒドロキシプロピルトリモニウム  クロリド（Ｈｙｄｒｏｘｙｐｒｏｐｙｌ  Ｇｕａｒ  Ｈｙｄｒｏｘｙｐｒｏｐｙｌｔｒｉｍｏｎｉｕｍ  Ｃｈｌｏｒｉｄｅ）
イナゴマメ  ヒドロキシプロピルテモニウム  クロリド（Ｌｏｃｕｓｔ  Ｂｅａｎ  Ｈｙｄｒｏｘｙｐｒｏｐｙｌｔｈｅｍｏｎｉｕｍ  Ｃｈｌｏｒｉｄｅ）
ポリアクリルアミドプロピルトリモニウム  クロリド（Ｐｏｌｙａｃｒｙｌａｍｉｄｏｐｒｏｐｙｌｔｒｉｍｏｎｉｕｍ  Ｃｈｌｏｒｉｄｅ）
ポリメタクリルアミドプロピルトリモニウム  メトスルフェート（Ｐｏｌｙｍｅｔｈａｃｒｙｌａｍｉｄｏｐｒｏｐｙｌｔｒｉｍｏｎｉｕｍ  Ｍｅｔｈｏｓｕｌｆａｔｅ）
ポリクウォーターニウム−１＊〜２０＊、２２＊、２４＊、２７＊〜３７＊、３９＊、４２＊〜５０＊（Ｐｏｌｙｑｕａｔｅｒｎｉｕｍ−１＊  ｔｏ  ２０＊，２２＊，２４＊，２７＊  ｔｏ  ３７＊，３９＊，４２＊  ｔｏ  ５０＊）
（Ｂ．一置換４級塩）
ヒドロキシプロピルトリモニウム  クロリド（Ｈｙｄｒｏｘｙｐｒｏｐｙｌｔｒｉｍｏｎｉｕｍ  Ｃｈｌｏｒｉｄｅ）
ベイシック  レッド  １１８＊（Ｂａｓｉｃ  Ｒｅｄ  １１８＊）
ベヘノイルＰＧ−トリモニウム  クロリド（Ｂｅｈｅｎｏｙｌ  ＰＧ−Ｔｒｉｍｏｎｉｕｍ  Ｃｈｌｏｒｉｄｅ）
ベヘントリモニウム  クロリド（Ｂｅｈｅｎｔｒｉｍｏｎｉｕｍ  Ｃｈｌｏｒｉｄｅ）
ベヘントリモニウム  メトスルフェート（Ｂｅｈｅｎｔｒｉｍｏｎｉｕｍ  Ｍｅｔｈｏｓｕｌｆａｔｅ）
ベンジル  トリエチル  アンモニウム  クロリド（Ｂｅｎｚｙｌ  Ｔｒｉｅｔｈｙｌ  Ａｍｍｏｎｉｕｍ  Ｃｈｌｏｒｉｄｅ）
ビス−ヒドロキシエチル  ココモニウム  ニトレート（Ｂｉｓ−Ｈｙｄｒｏｘｙｅｔｈｙｌ  Ｃｏｃｏｍｏｎｉｕｍ  Ｎｉｔｒａｔｅ）
ビス−ヒドロキシエチル  ジヒドロキシプロピル  ステアルアンモニウム  クロリド（Ｂｉｓ−Ｈｙｄｒｏｘｙｅｔｈｙｌ  Ｄｉｈｙｄｒｏｘｙｐｒｏｐｙｌ  Ｓｔｅａｒａｍｍｏｎｉｕｍ  Ｃｈｌｏｒｉｄｅ）
ビス−ヒドロキシエチル  レイプシードモニウム  クロリド（Ｂｉｓ−Ｈｙｄｒｏｘｙｅｔｈｙｌ  Ｒａｐｅｓｅｅｄｍｏｎｉｕｍ  Ｃｈｌｏｒｉｄｅ）
（Ｂ．一置換４級塩（続き））
ビス−ヒドロキシエチル  タローモニウム  クロリド（Ｂｉｓ−Ｈｙｄｒｏｘｙｅｔｈｙｌ  Ｔａｌｌｏｗｍｏｎｉｕｍ  Ｃｈｌｏｒｉｄｅ）
カンファー  ベンザルコニウム  メトスルフェート（Ｃａｍｐｈｏｒ  Ｂｅｎｚａｌｋｏｎｉｕｍ  Ｍｅｔｈｏｓｕｌｆａｔ）
カープロニウム  クロリド（Ｃａｒｐｒｏｎｉｕｍ  Ｃｈｌｏｒｉｄｅ）
セテアルトリモニウム  クロリド（Ｃｅｔｅａｒｔｒｉｍｏｎｉｕｍ  Ｃｈｌｏｒｉｄｅ）
セトリモニウム  ブロミド、クロリド、メトスルフェート、サッカリネート、およびトシレート（Ｃｅｔｒｉｍｏｎｉｕｍ  Ｂｒｏｍｉｄｅ，  Ｃｈｌｏｒｉｄｅ，  Ｍｅｔｈｏｓｕｌｆａｔｅ，  Ｓａｃｃｈａｒｉｎａｔｅ  ａｎｄ  Ｔｏｓｙｌａｔｅ）
セチル  エチルジモニウム  エトスルフェート（Ｃｅｔｙｌ  Ｅｔｈｙｌｄｉｍｏｎｉｕｍ  Ｅｔｈｏｓｕｌｆａｔｅ）
ココ−エチルジモニウム  エトスルフェート（Ｃｏｃｏ−Ｅｔｈｙｌｄｉｍｏｎｉｕｍ  Ｅｔｈｏｓｕｌｆａｔｅ）
ココトリモニウム  クロリドおよびメトスルフェート（Ｃｏｃｏｔｒｉｍｏｎｉｕｍ  Ｃｈｌｏｒｉｄｅ  ａｎｄ  Ｍｅｔｈｏｓｕｌｆａｔｅ）
Ｃ４−１８  パーフルオロアルキルエチル  チオヒドロキシプロピルトリモニウム  クロリド（Ｃ４−１８  Ｐｅｒｆｌｕｏｒａｌｋｙｌｅｔｈｙｌ  Ｔｈｉｏｈｙｄｒｏｘｙｐｒｏｐｙｌｔｒｉｍｏｎｉｕｍ  Ｃｈｌｏｒｉｄｅ）
デキストラン  ヒドロキシプロピルトリモニウム  クロリド（Ｄｅｘｔｒａｎ  Ｈｙｄｒｏｘｙｐｒｏｐｙｌｔｒｉｍｏｎｉｕｍ  Ｃｈｌｏｒｉｄｅ）
ジメチコン  ヒドロキシプロピル  トリモニウム  クロリド（Ｄｉｍｅｔｈｉｃｏｎｅ  Ｈｙｄｒｏｘｙｐｒｏｐｙｌ  Ｔｒｉｍｏｎｉｕｍ  Ｃｈｌｏｒｉｄｅ）
ドデシルベンジルトリモニウム  クロリド（Ｄｏｄｅｃｙｌｂｅｎｚｙｌｔｒｉｍｏｎｉｕｍ  Ｃｈｌｏｒｉｄｅ）
ドデシルヘキサデシルトリモニウム  クロリド（Ｄｏｄｅｃｙｌｈｅｘａｄｅｃｙｌｔｒｉｍｏｎｉｕｍ  Ｃｈｌｏｒｉｄｅ）
ドデシルキシリルジトリモニウム  クロリド（Ｄｏｄｅｃｙｌｘｙｌｙｌｄｉｔｒｉｍｏｎｉｕｍ  Ｃｈｌｏｒｉｄｅ）
ガラクトアラビナン  ヒドロキシプロピルトリモニウム  クロリド（Ｇａｌａｃｔｏａｒａｂｉｎａｎ  Ｈｙｄｒｏｘｙｐｒｏｐｙｌｔｒｉｍｏｎｉｕｍ  Ｃｈｌｏｒｉｄｅ）
Ｇｉｎｓｉｎｇ  ヒドロキシプロピルトリモニウム  クロリド（Ｇｉｎｓｉｎｇ  Ｈｙｄｒｏｘｐｒｏｐｙｌｔｒｉｍｏｎｉｕｍ  Ｃｈｌｏｒｉｄｅ）
ガール  ヒドロキシプロピルトリモニウム  クロリド（Ｇｕａｒ  Ｈｙｄｒｏｘｐｒｏｐｙｌｔｒｉｍｏｎｉｕｍ  Ｃｈｌｏｒｉｄｅ）
水素化タローモトリニウム  クロリド（Ｈｙｄｒｏｇｅｎａｔｅｄ  Ｔａｌｌｏｗｔｒｉｍｏｎｉｕｍ  Ｃｈｌｏｒｉｄｅ）
ヒドロキシプロピル  ビストリモニウム  ジヨージド（Ｈｙｄｒｏｘｙｐｒｏｐｙｌ  Ｂｉｓｔｒｉｍｏｎｉｕｍ  Ｄｉｉｏｄｉｄｅ）
ヒドロキシプロピルトリモニウム  ハチミツ（Ｈｙｄｒｏｘｙｐｒｏｐｙｌｔｒｉｍｏｎｉｕｍ  Ｈｏｎｅｙ）
ヒドロキシプロピルトリモニウム  加水分解ホエー（Ｈｙｄｒｏｘｙｐｒｏｐｙｌｔｒｉｍｏｎｉｕｍ  Ｈｙｄｒｏｌｙｚｅｄ  Ｗｈｅｙ）
イソステアロイル  ＰＧ−トリモニウム  クロリド（Ｉｓｏｓｔｅａｒｏｙｌ  ＰＧ−Ｔｒｉｍｏｎｉｕｍ  Ｃｈｌｏｒｉｄｅ）
イソステアリル  エチルジモニウム  クロリド（Ｉｓｏｓｔｅａｒｙｌ  Ｅｔｈｙｌｄｉｍｏｎｉｕｍ  Ｃｈｌｏｒｉｄｅ）
ラクトアミドプロピル  トリモニウム  クロリド（Ｌａｃｔａｍｉｄｏｐｒｏｐｙｌ  Ｔｒｉｍｏｎｉｕｍ  Ｃｈｌｏｒｉｄｅ）
ラウロイル  ＰＧ−トリモニウム  クロリド（ＬａｕｒｏｙｌＰＧ−Ｔｒｉｍｏｎｉｕｍ  Ｃｈｌｏｒｉｄｅ）
ラウルトリモニウム  ブロミド、クロリド、およびトリクロロフェエノキシド（Ｌａｕｒｔｒｉｍｏｎｉｕｍ  Ｂｒｏｍｉｄｅ，  Ｃｈｌｏｒｉｄｅ  ａｎｄ  Ｔｒｉｃｈｌｏｒｏｐｈｅｎｏｘｉｄｅ）
オクチルドデシルトリモニウム  クロリド（Ｏｃｔｙｌｄｏｄｅｃｙｌｔｒｉｍｏｎｉｕｍ  Ｃｈｌｏｒｉｄｅ）
オレアミン  ビスヒドロキシプロピルトリモニウム  クロリド（Ｏｌｅａｍｉｎｅ  Ｂｉｓｈｙｄｒｏｘｙｐｒｏｐｙｌｔｒｉｍｏｎｉｕｍ  Ｃｈｌｏｒｉｄｅ）
オレオイル  ＰＧ−トリモニウム  クロリド（Ｏｌｅｏｙｌ  ＰＧ−Ｔｒｉｍｏｎｉｕｍ  Ｃｈｌｏｒｉｄｅ）
パルミトアミドプロピルトリモニウム  クロリド（Ｐａｌｍｉｔａｍｉｄｏｐｒｏｐｙｌｔｒｉｍｏｎｉｕｍ  Ｃｈｌｏｒｉｄｅ）
パルミトイル  ＰＧ−トリモニウム  クロリド（Ｐａｌｍｉｔｏｙｌ  ＰＧ−Ｔｒｉｍｏｎｉｕｍ  Ｃｈｌｏｒｉｄｅ）
ＰＥＧ−１  およびＰＥＧ−１０  ココ−ベンゾニウム  クロリド（ＰＥＧ−１  ａｎｄ  ＰＥＧ−１０  Ｃｏｃｏ−Ｂｅｎｚｏｎｉｕｍ  Ｃｈｌｏｒｉｄｅ）
ＰＥＧ−２  およびＰＥＧ−１５  ココモニウム  クロリド（ＰＥＧ−２  ａｎｄ  ＰＥＧ−１５  Ｃｏｃｏｍｏｎｉｕｍ  Ｃｈｌｏｒｉｄｅ）
ＰＥＧ−５  ココモニウム  メトサルフェート（ＰＥＧ−５  Ｃｏｃｏｍｏｎｉｕｍ  Ｍｅｔｈｏｓｕｌｆａｔｅ）
ＰＥＧ−２  およびＰＥＧ−１５  オレアンモニウム  クロリド（ＰＥＧ−２  ａｎｄ  ＰＥＧ−１５  Ｏｌｅａｍｍｏｎｉｕｍ  Ｃｈｌｏｒｉｄｅ）
ＰＥＧ−２  およびＰＥＧ−１５  ステアルモニウム  クロリド（ＰＥＧ−２  ａｎｄ  ＰＥＧ−１５  Ｓｔｅａｒｍｏｎｉｕｍ  Ｃｈｌｏｒｉｄｅ）
ＰＥＧ−５  ステアリル  アンモニウム  クロリドおよびラクテート（ＰＥＧ−５  Ｓｔｅａｒｙｌ  Ａｍｍｏｎｉｕｍ  Ｃｈｌｏｒｉｄｅ  ａｎｄ  Ｌａｃｔａｔｅ）
ＰＥＧ−２０  タローアンモニウム  エトスルフェート（ＰＥＧ−２０  Ｔａｌｌｏｗ  Ａｍｍｏｎｉｕｍ  Ｅｔｈｏｓｕｌｆａｔｅ）
ＰＥＧ−５  タローベンゾニウム  クロリド（ＰＥＧ−５  Ｔａｌｌｏｗ  Ｂｅｎｚｏｎｉｕｍ  Ｃｈｌｏｒｉｄｅ）
ＰＰＧ−９、ＰＰＧ−２５およびＰＰＧ−４０  ジエチルモニウム  クロリド（ＰＰＧ−９，  ＰＰＧ−２５  ａｎｄ  ＰＰＧ−４０  Ｄｉｅｔｈｙｌｍｏｎｉｕｍ  Ｃｈｌｏｒｉｄｅ）
クウォーターニウム−１６＊、２２＊、２６＊，３０＊，３３＊，５２＊，６０＊，６１＊，７５＊、および８８＊（Ｑｕａｔｅｒｎｉｕｍ−１６＊，２２＊，２６＊，３０＊，３３＊，５２＊，６０＊，６１＊，７５＊および８８＊）
ソイトリモニウム  クロリド（Ｓｏｙｔｒｉｍｏｎｉｕｍ  Ｃｈｌｏｒｉｄｅ）
ステアロイル  ＰＧ−トリモニウム  クロリド（Ｓｔｅａｒｏｙｌ  ＰＧ−Ｔｒｉｍｏｎｉｕｍ  Ｃｈｌｏｒｉｄ）
ステアルトリモニウム  ブロミド（Ｓｔｅａｒｔｒｉｍｏｎｉｕｍ  Ｂｒｏｍｉｄｅ）
ステアルトリモニウム  メトスルフェート（Ｓｔｅａｒｔｒｉｍｏｎｉｕｍ  Ｍｅｔｈｏｓｕｌｆａｔｅ）
（Ｂ．一置換４級塩（続き））
ステアルトリモニウム  サッカネート（Ｓｔｅａｒｔｒｉｍｏｎｉｕｍ  Ｓａｃｃｈａｎｎａｔｅ）
タロートリヒドロキシエチルアンモニウム  アセテート（Ｔａｌｌｏｗ  Ｔｒｉｈｙｄｒｏｘｙｅｔｈｙｌａｍｍｏｎｉｕｍ  Ａｃｅｔａｔｅ）
タロートリモニウム  クロリド（Ｔａｌｌｏｗｔｒｉｍｏｎｉｕｍ  Ｃｈｌｏｒｉｄｅ）
（Ｃ．二置換４級塩）
ベヘンアルコニウム  クロリド（Ｂｅｈｅｎａｌｋｏｎｉｕｍ  Ｃｈｌｏｒｉｄｅ）
ベンズアルコニウム  ブロミドおよびクロリド（Ｂｅｎｚａｌｋｏｎｉｕｍ  Ｂｒｏｍｉｄｅ  ａｎｄ  Ｃｈｌｏｒｉｄｅ）
ベンテトニウム  ブロミドまたはクロリド（Ｂｅｎｔｈｅｔｈｏｎｉｕｍ  Ｂｒｏｍｉｄｅ  ｏｒ  Ｃｈｌｏｒｉｄｅ）
ベンズアルコニウム  セチル  ホスフェート（Ｂｅｎｚａｌｋｏｎｉｕｍ  Ｃｅｔｙｌ  Ｐｈｏｓｐｈａｔｅ）
ベンゾキソニウム  クロリド（Ｂｅｎｚｏｘｏｎｉｕｍ  Ｃｈｌｏｒｉｄｅ）
Ｃ１２−１８  ジアルキルデモニウム  クロリド（Ｃ１２−１８  Ｄｉａｌｋｙｌｄｅｍｏｎｉｕｍ  Ｃｈｌｏｒｉｄｅ）
セトアルコニウム  クロリド（Ｃｅｔａｌｋｏｎｉｕｍ  Ｃｈｌｏｒｉｄｅ）
セテアルアルコニウム  ブロミド（Ｃｅｔｅａｒａｌｋｏｎｉｕｍ  Ｂｒｏｍｉｄｅ）
セテチルジモニウム  ブロミド（Ｃｅｔｅｔｈｙｌｄｉｍｏｎｉｕｍ  Ｂｒｏｍｉｄｅ）
セテチル  モルホリニウム  エトスルフェート（Ｃｅｔｅｔｈｙｌ  Ｍｏｒｐｈｏｌｉｎｉｕｍ  Ｅｔｈｏｓｕｌｆａｔｅ）
セチル  ピロリドニルメチル  ジモニウム  クロリド（Ｃｅｔｙｌ  Ｐｙｒｒｏｌｉｄｏｎｙｌｍｅｔｈｙｌ  Ｄｉｍｏｎｉｕｍ  Ｃｈｌｏｒｉｄｅ）
ココアルコニウム  クロリド（Ｃｏｃｏａｌｋｏｎｉｕｍ  Ｃｈｌｏｒｉｄｅ）
デナトニウム  ベンゾエートおよびサッカリド（Ｄｅｎａｔｏｎｉｕｍ  Ｂｅｎｚｏａｔｅ  ａｎｄ  Ｓａｃｃｈａｒｉｄｅ）
ジベヘニル／ジアラキジル  ジモニウム  クロリド（Ｄｉｂｅｈｅｎｙｌ／Ｄｉａｒａｃｈｉｄｙｌ  Ｄｉｍｏｎｉｕｍ  Ｃｈｌｏｒｉｄｅ）
ジベヘニルジモニウム  クロリドおよびメトスルフェート（Ｄｉｂｅｈｅｎｙｌｄｉｍｏｎｉｕｍ  Ｃｈｌｏｒｉｄｅ  ａｎｄ  Ｍｅｔｈｏｓｕｌｆａｔｅ）
ジ−Ｃ１２−１５、Ｃ１２−１８およびＣ１４−１８  アルキルジモニウムクロリド（Ｄｉ−Ｃ１２−１５，  Ｃ１２−１８  ａｎｄ  Ｃ１４−１８  Ａｌｋｙｌ  Ｄｉｍｏｎｉｕｍ  Ｃｈｌｏｒｉｄｅ）
ジセチルジモニウム  クロリド（Ｄｉｃｅｔｙｌｄｉｍｏｎｉｕｍ  Ｃｈｌｏｒｉｄｅ）
ジココジモニウム  クロリド（Ｄｉｃｏｃｏｄｉｍｏｎｉｕｍ  Ｃｈｌｏｒｉｄｅ）
ジココエチル  ヒドロキシエチルモニウム  メトスルフェート（Ｄｉｃｏｃｏｙｌｅｔｈｙｌ  Ｈｙｄｒｏｘｙｅｔｈｙｌｍｏｎｉｕｍ  Ｍｅｔｈｏｓｕｌｆａｔｅ）
ジデシルジモニウム  クロリド（Ｄｉｄｅｃｙｌｄｉｍｏｎｉｕｍ  Ｃｈｌｏｒｉｄｅ）
二水素化パルモイルエチル  ヒドロキシエチルモニウム  メトスルフェート（Ｄｉｈｙｄｒｏｇｅｎａｔｅｄ  Ｐａｌｍｏｙｌｅｔｈｙｌ  Ｈｙｄｒｏｘｙｅｔｈｙｌｍｏｎｉｕｍ  Ｍｅｔｈｏｓｕｌｆａｔｅ）
二水素化パルモイル  ヒドロキシエチルモニウム  メトスルフェート（Ｄｉｈｙｄｒｏｇｅｎａｔｅｄ  Ｐａｌｍｏｙｌ  Ｈｙｄｒｏｘｙｅｔｈｙｌｍｏｎｉｕｍ  Ｍｅｔｈｏｓｕｌｆａｔｅ）
二水素化タローベンジルモニウム  クロリド、およびヘクトリト（Ｄｉｈｙｄｒｏｇｅｎａｔｅｄ  Ｔａｌｌｏｗ  Ｂｅｎｚｙｌｍｏｎｉｕｍ  Ｃｈｌｏｒｉｄｅ  ａｎｄ  Ｈｅｃｔｏｒｉｔｅ）
二水素化タローエチル  ヒドロキシエチルモニウム  メトスルフェート（Ｄｉｈｙｄｒｏｇｅｎａｔｅｄ  Ｔａｌｌｏｗｅｔｈｙｌ  Ｈｙｄｒｏｘｙｅｔｈｙｌｍｏｎｉｕｍ  Ｍｅｔｈｏｓｕｌｆａｔｅ）
二水素化タロー  ヒドロキシエチロミニウム  メトスルフェート（Ｄｉｈｙｄｒｏｇｅｎａｔｅｄ  Ｔａｌｌｏｗ  Ｈｙｄｒｏｘｙｅｔｈｙｌｏｍｉｎｉｕｍ  Ｍｅｔｈｏｓｕｌｆａｔｅ）
二水素化タローエチル  ヒドロキシエチルモニウム  メトスルフェート（Ｄｉｈｙｄｒｏｇｅｎａｔｅｄ  Ｔａｌｌｏｗ  Ｈｙｄｒｏｘｙｅｔｈｙｌｍｏｎｉｕｍ  Ｍｅｔｈｏｓｕｌｆａｔｅ）
二水素化タローアイエチル  ヒドロキシエチルモニウム  メトスルフェート（Ｄｉｈｙｄｒｏｇｅｎａｔｅｄ  Ｔａｌｌｏｗａｙｅｔｈｙｌ  Ｈｙｄｒｏｘｙｅｔｈｙｌｍｏｎｉｕｍ  Ｍｅｔｈｏｓｕｌｆａｔｅ）
ジヒドロキシプロピル  ＰＥＧ−５  リノーレアンモニウム  クロリド（Ｄｉｈｙｄｒｏｘｐｒｏｐｙｌ  ＰＥＧ−５  Ｌｉｎｏｌｅａｍｍｏｎｉｕｍ  Ｃｈｌｏｒｉｄｅ）
ジイソステアルアミドプロピル  エポキシプロピルモニウム  クロリド（Ｄｉｉｓｏｓｔｅａｒａｍｉｄｏｐｒｏｐｙｌ  Ｅｐｏｘｙｐｒｏｐｙｌｍｏｎｉｕｍ  Ｃｈｌｏｒｉｄｅ  ）
ジラウレト−４  ジモニウム  クロリド（Ｄｉｌａｕｒｅｔｈ−４  Ｄｉｍｏｎｉｕｍ  Ｃｈｌｏｒｉｄｅ）
ジラウリル  アセチル  ジモニウム  クロリド（Ｄｉｌａｕｒｙｌ  Ａｃｅｔｙｌ  Ｄｉｍｏｎｉｕｍ  Ｃｈｌｏｒｉｄｅ）
ジラウリルジモニウム  クロリド（Ｄｉｌａｕｒｙｌｄｉｍｏｎｉｕｍ  Ｃｈｌｏｒｉｄｅ）
ジメチル  ＰＡＢＡ  エチル  セテアリルジモニウム  トシレート（Ｄｉｍｅｔｈｙｌ  ＰＡＢＡ  Ｅｔｈｙｌ  Ｃｅｔｅａｒｙｌｄｉｍｏｎｉｕｍ  Ｔｏｓｙｌａｔｅ）
ジメチル  ＰＡＢＡ  ミドプロピル  ラウルジモニウム  トシレート（Ｄｉｍｅｔｈｙｌ  ＰＡＢＡ  Ｍｉｄｏｐｒｏｐｙｌ  Ｌａｕｒｄｉｍｏｎｉｕｍ  Ｔｏｓｙｌａｔｅ）
ジオレオイルアミドエチル  ヒドロキシエチルモニウム  メトスルフェート（Ｄｉｏｌｅｏｙｌａｍｉｄｏｅｔｈｙｌ  Ｈｙｄｒｏｘｙｅｔｈｙｌｍｏｎｉｕｍ  Ｍｅｔｈｏｓｕｌｆａｔｅ）
ジオレオイル  エデトルモニウム  メトスルフェート（Ｄｉｏｌｅｏｙｌ  Ｅｄｅｔｏｌｍｏｎｉｕｍ  Ｍｅｔｈｏｓｕｌｆａｔｅ）
ジオレオイル  ＥＤＴＨＰ  モニウム  メトスルフェート（Ｄｉｏｌｅｏｙｌ  ＥＤＴＨＰ  Ｍｏｎｉｕｍ  Ｍｅｔｈｏｓｕｌｆａｔｅ）
ジパルミトイルエチル  ジモニウム  クロリド（Ｄｉｐａｌｍｉｔｏｙｌｅｔｈｙｌ  Ｄｉｍｏｎｉｕｍ  Ｃｈｌｏｒｉｄｅ）
ジパルミトイルエチル  ヒドロキシエチルモニウム  メトスルフェート（Ｄｉｐａｌｍｉｔｏｙｌｅｔｈｙｌ  Ｈｙｄｒｏｘｙｅｔｈｙｌｍｏｎｉｕｍ  Ｍｅｔｈｏｓｕｌｆａｔｅ）
（Ｃ．二置換４級塩（続き））
ジパルモイルエチル  ヒドロキシエチルモニウム  メトスルフェート（Ｄｉｐａｌｍｏｙｌｅｔｈｙｌ  Ｈｙｄｒｏｘｙｅｔｈｙｌｍｏｎｉｕｍ  Ｍｅｔｈｏｓｕｌｆａｔｅ）
ジパルモイルイソプロピル  ジモニウム  メトスルフェート（Ｄｉｐａｌｍｏｙｌｉｓｏｐｒｏｐｙｌ  Ｄｉｍｏｎｉｕｍ  Ｍｅｔｈｏｓｕｌｆａｔｅ）
ジソイジモニウム  クロリド（Ｄｉｓｏｙｄｉｍｏｎｉｕｍ  Ｃｈｌｏｒｉｄｅ）
ジソイオイルエチル  ヒドロキシエチルモニウム  メトスルフェート（Ｄｉｓｏｙｏｙｌｅｔｈｙｌ  Ｈｙｄｒｏｘｙｅｔｈｙｌｍｏｎｉｕｍ  Ｍｅｔｈｏｓｕｌｆａｔｅ）
ジステアルジモニウム  ヘクトリト（Ｄｉｓｔｅａｒｄｉｍｏｎｉｕｍ  Ｈｅｃｔｏｒｉｔｅ）
ジステアレト−６  ジモニウム  クロリド（Ｄｉｓｔｅａｒｅｔｈ−６  Ｄｉｍｏｎｉｕｍ  Ｃｈｌｏｒｉｄｅ）
ジステアロイルエチル  ジモニウム  クロリド（Ｄｉｓｔｅａｒｏｙｌｅｔｈｙｌ  Ｄｉｍｏｎｉｕｍ  Ｃｈｌｏｒｉｄｅ）
ジステアロイルエチル  ヒドロキシエチルモニウム  メトスルフェート（Ｄｉｓｔｅａｒｏｙｌｅｔｈｙｌ  Ｈｙｄｒｏｘｙｅｔｈｙｌｍｏｎｉｕｍ  Ｍｅｔｈｏｓｕｌｆａｔｅ）
ジステアロイルプロピル  トリモニウム  クロリド（Ｄｉｓｔｅａｒｏｙｌｐｒｏｐｙｌ  Ｔｒｉｍｏｎｉｕｍ  Ｃｈｌｏｒｉｄｅ）
ジステアリルジモニウム  クロリド（Ｄｉｓｔｅａｒｙｌｄｉｍｏｎｉｕｍ  Ｃｈｌｏｒｉｄｅ）
ジステアリル  エポキシプロピルモニウム  クロリド（Ｄｉｓｔｅａｒｙｌ  Ｅｐｏｘｙｐｒｏｐｙｌｍｏｎｉｕｍ  Ｃｈｌｏｒｉｄｅ）
ジタローアミドエチル  ヒドロキシプロピルモニウム  メトスルフェート（Ｄｉｔａｌｌｏｗａｍｉｄｏｅｔｈｙｌ  Ｈｙｄｒｏｘｙｐｒｏｐｙｌｍｏｎｉｕｍ  Ｍｅｔｈｏｓｕｌｆａｔｅ）
ジタロー  ジモニウム  セルロース  スルフェート（Ｄｉｔａｌｌｏｗ  Ｄｉｍｏｎｉｕｍ  Ｃｅｌｌｕｌｏｓｅ  Ｓｕｌｆａｔｅ）
ジタロージモニウム  クロリド（Ｄｉｔａｌｌｏｗｄｉｍｏｎｉｕｍ  Ｃｈｌｏｒｉｄｅ）
ジタローオイルエチル  ヒドロキシエチルモニウム  メトスルフェート（Ｄｉｔａｌｌｏｗｏｙｌｅｔｈｙｌ  Ｈｙｄｒｏｘｙｅｔｈｙｌｍｏｎｉｕｍ  Ｍｅｔｈｏｓｕｌｆａｔｅ）
ジトリデシルジモニウム  クロリド（Ｄｉｔｒｉｄｅｃｙｌｄｉｍｏｎｉｕｍ  Ｃｈｌｏｒｉｄｅ）
ドミフェン  ブロミド（Ｄｏｍｉｐｈｅｎ  Ｂｒｏｍｉｄｅ）
エルカルコニウム  クロリド（Ｅｒｕｃａｌｋｏｎｉｕｍ  Ｃｈｌｏｒｉｄｅ）
水素化タローアルコニウム  クロリド（Ｈｙｄｒｏｇｅｎａｔｅｄ  Ｔａｌｌｏｗａｌｋｏｎｉｕｍ  Ｃｈｌｏｒｉｄｅ）
ヒドロキシセチル  ヒドロキシエチル  ジモニウム  クロリド（Ｈｙｄｒｏｘｙｃｅｔｙｌ  Ｈｙｄｒｏｘｙｅｔｈｙｌ  Ｄｉｍｏｎｉｕｍ  Ｃｈｌｏｒｉｄｅ）
ヒドロキシエチル  セチルジモニウム  クロリド、およびホスフェート（Ｈｙｄｒｏｘｙｅｔｈｙｌ  Ｃｅｔｙｌｄｉｍｏｎｉｕｍ  Ｃｈｌｏｒｉｄｅ  ａｎｄ  Ｐｈｏｓｐｈａｔｅ）
ヒドロキシエチル  ラウルジモニウム  クロリド（Ｈｙｄｒｏｘｙｅｔｈｙｌ  Ｌａｕｒｄｉｍｏｎｉｕｍ  Ｃｈｌｏｒｉｄｅ）
ヒドロキシエチル  タロージモニウム  クロリド（Ｈｙｄｒｏｘｙｅｔｈｙｌ  Ｔａｌｌｏｗｄｉｍｏｎｉｕｍ  Ｃｈｌｏｒｉｄｅ）
ヒドロキシプロピル  ビスセテアリルジモニウム  クロリド（Ｈｙｄｒｏｘｙｐｒｏｐｙｌ  Ｂｉｓｃｅｔｅａｒｙｌｄｉｍｏｎｉｕｍ  Ｃｈｌｏｒｉｄｅ）
ヒドロキシプロピル  ビスオレイルジモニウム  クロリド（Ｈｙｄｒｏｘｙｐｒｏｐｙｌ  Ｂｉｓｏｌｅｙｌｄｉｍｏｎｉｕｍ  Ｃｈｌｏｒｉｄｅ）
ヒドロキシプロピル  ビスステアリルジモニウム  クロリド（Ｈｙｄｒｏｘｙｐｒｏｐｙｌ  Ｂｉｓｓｔｅａｒｙｌｄｉｍｏｎｉｕｍ  Ｃｈｌｏｒｉｄｅ）
イソステアリル  ラウルジモニウム  クロリド（Ｉｓｏｓｔｅａｒｙｌ  Ｌａｕｒｄｉｍｏｎｉｕｍ  Ｃｌｏｒｉｄｅ）
ラウルアルコニウム  ブロミド、およびクロリド（Ｌａｕｒａｌｋｏｎｉｕｍ  Ｂｒｏｍｉｄｅ  ａｎｄ  Ｃｈｌｏｒｉｄｅ）
ラウリル  メチル  グルセト−１０  ヒドロキシプロピルジモニウム  クロリド（Ｌａｕｒｙｌ  Ｍｅｔｈｙｌ  Ｇｌｕｃｅｔｈ−１０  Ｈｙｄｒｏｘｙｐｒｏｐｙｌｄｉｍｏｎｉｕｍ  Ｃｈｌｏｒｉｄｅ）
メチルベンゼトニウム  クロリド（Ｍｅｔｈｙｌｂｅｎｚｅｔｈｏｎｉｕｍ  Ｃｈｌｏｒｉｄｅ）
ミリスタクロニウム  クロリド、ブロミドおよびサッカリネート（Ｍｙｒｉｓｔａｋｌｏｎｉｕｍ  Ｃｈｌｏｒｉｄｅ，  Ｂｒｏｍｉｄｅ  ａｎｄ  Ｓａｃｃｈａｒｉｎａｔｅ）
オレアルコニウム  クロリド（Ｏｌｅａｌｋｏｎｉｕｍ  Ｃｈｌｏｒｉｄｅ）
オレオイル  エポキシプロピルジモニウム  クロリド（Ｏｌｅｏｙｌ  Ｅｐｏｘｙｐｒｏｐｙｌｄｉｍｏｎｉｕｍ  Ｃｈｌｏｒｉｄｅ）
パンテニル  ヒドロキシプロピル  ステアルジモニウム  クロリド（Ｐａｎｔｈｅｎｙｌ  Ｈｙｄｒｏｘｙｐｒｏｐｙｌ  Ｓｔｅａｒｄｉｍｏｎｉｕｍ  Ｃｈｌｏｒｉｄｅ）
ＰＥＧ−９およびＰＥＧ−２５  ジエチルモニウム  クロリド（ＰＥＧ−９  ａｎｄ  ２５  Ｄｉｅｔｈｙｌｍｏｎｉｕｍ  Ｃｈｌｏｒｉｄｅ）
ＰＥＧ−２  ジＭｅａｄｏｗｆｏａｍアミドエチルモニウム  メトスルフェート（ＰＥＧ−２  Ｄｉｍｅａｄｏｗｆｏａｍａｍｉｄｏｅｔｈｙｌｍｏｎｉｕｍ  Ｍｅｔｈｏｓｕｌｆａｔｅ）
ＰＥＧ−３  ジオレイオイルアミドエチルモニウム  メトスルフェート（ＰＥＧ−３  Ｄｉｏｌｅｏｙｌａｍｉｄｏｅｔｈｙｌｍｏｎｉｕｍ  Ｍｅｔｈｏｓｕｌｆａｔｅ）
ＰＥＧ−５  ジトリデシルモニウム  クロリド（ＰＥＧ−５  Ｄｉｔｒｉｄｅｃｙｌｍｏｎｉｕｍ  Ｃｈｌｏｒｉｄｅ）
ＰＥＧ−８  パルミトイル  メチル  ジエトニウム  メタスルフェート（ＰＥＧ−８  Ｐａｌｍｉｔｏｙｌ  Ｍｅｔｈｙｌ  Ｄｉｅｔｈｏｎｉｕｍ  Ｍｅｔｈｏｓｕｌｆａｔｅ）
ＰＥＧ−１０  ステアリル  ベンゾニウム  クロリド（ＰＥＧ−１０  Ｓｔｅａｒｙｌ  Ｂｅｎｚｏｎｉｕｍ  Ｃｈｌｏｒｉｄｅ）
ＰＥＧ−３  タロー  プロピレンジモニウム  ジメトスルフェート（ＰＥＧ−３  Ｔａｌｌｏｗ  Ｐｒｏｐｙｌｅｎｅｄｉｍｏｎｉｕｍ  Ｄｉｍｅｔｈｏｓｕｌｆａｔｅ）
クウォーターニウム−８＊、１４＊、１８＊，２４＊、４３＊、５３＊、６３＊、７０＊、７１＊、および８４＊（Ｑｕａｔｅｒｎｉｕｍ−８＊，１４＊，１８＊，２４＊，４３＊，５３＊，６３＊，７０＊，７１＊および８４＊）
クウォーターニウム−１８  ベントニト＊（Ｑｕａｔｅｒｎｉｕｍ−１８  Ｂｅｎｔｏｎｉｔｅ＊）
クウォーターニウム−１８  ベンズアルコニウム  ベントニト（Ｑｕａｔｅｒｎｉｕｍ−１８  Ｂｅｎｚａｌｋｏｎｉｕｍ  Ｂｅｎｔｏｎｉｔｅ）
（Ｃ．二置換４級塩（続き））
クウォーターニウム−１８＊  ヘクトニト、およびメトスルフェート（Ｑｕａｔｅｒｎｉｕｍ−１８  Ｈｅｃｔｏｒｉｔｅ＊  ａｎｄ  Ｍｅｔｈｏｓｕｌｆａｔｅ＊）
ナトリウム  ココ  ＰＧ−ジモニウム  クロリド  ホスフェート（Ｓｏｄｉｕｍ  Ｃｏｃｏ  ＰＧ−Ｄｉｍｏｎｉｕｍ  Ｃｈｌｏｒｉｄｅ  Ｐｈｏｓｐｈａｔｅ）
大豆  ジヒドロキシプロピルジモニウム  グルコシド（Ｓｏｙ  Ｄｉｈｙｄｒｏｘｙｐｒｏｐｙｌｄｉｍｏｎｉｕｍ  Ｇｌｕｃｏｓｉｄｅ）
ソイジモニウム  ヒドロキシプロピル加水分解小麦タンパク（Ｓｏｙｄｉｍｏｎｉｕｍ  Ｈｙｄｒｏｘｙｐｒｏｐｙｌ  Ｈｙｄｒｏｌｙｚｅｄ  Ｗｈｅａｔ  Ｐｒｏｔｅｉｎ）
ソイエチルジモニウム  エトスルフェート（Ｓｏｙｅｔｈｙｌｄｉｍｏｎｉｕｍ  Ｅｔｈｏｓｕｌｆａｔｅ）
ステアルアルコニウム  ベントニト、クロリド、およびヘクトリト（Ｓｔｅａｒａｌｋｏｎｉｕｍ  Ｂｅｎｔｏｎｉｔｅ，  Ｃｈｌｏｒｉｄｅ  ａｎｄ  Ｈｅｃｔｏｒｉｔｅ）
ステアリル  エチルヘキシルジモニウム  クロリド、およびメトサルファート（Ｓｔｅａｒｙｌ  Ｅｔｈｙｌｈｅｘｙｌｄｉｍｏｎｉｕｍ  Ｃｈｌｏｒｉｄｅ  ａｎｄ  Ｍｅｔｈｏｓｕｌｆａｔｅ）
ステアリル  ＰＧ−ジモニウム  クロリド  ホスフェート（Ｓｔｅａｒｙｌ  ＰＧ−Ｄｉｍｏｎｉｕｍ  Ｃｈｌｏｒｉｄｅ  Ｐｈｏｓｐｈａｔｅ）
タローアルコニウム  クロリド（Ｔａｌｌｏｗａｌｋｏｎｉｕｍ  Ｃｈｌｏｒｉｄｅ）
タロージモニウム  プロピルトリモニウム  ジクロリド（Ｔａｌｌｏｗｄｉｍｏｎｉｕｍ  Ｐｒｏｐｙｌｔｒｉｍｏｎｉｕｍ  Ｄｉｃｈｌｏｒｉｄｅ）
チアミン  ジホスフェート（Ｔｈｉａｍｉｎｅ  Ｄｉｐｈｏｓｐｈａｔｅ）
（Ｄ．４置換４級塩）
クウォーターニウム−１５＊（Ｑｕａｔｅｒｎｉｕｍ−１５＊）
テトラブチルアンモニウム  ブロミド（Ｔｅｔｒａｂｕｔｙｌ  Ａｍｍｏｎｉｕｍ  Ｂｒｏｍｉｄｅ）
テトラメチルアンモニウム  クロリド（Ｔｅｔｒａｍｅｔｈｙｌａｍｍｏｎｉｕｍ  Ｃｈｌｏｒｉｄｅ）
（Ｅ．ヘテロ環状４級塩）
セチルピリジニウム  クロリド（Ｃｅｔｙｌｐｙｒｉｄｉｎｉｕｍ  Ｃｈｌｏｒｉｄｅ）
ココイル  ベンジル  ヒドロキシエチル  イミダゾリニウム  クロリド（Ｃｏｃｏｙｌ  Ｂｅｎｚｙｌ  Ｈｙｄｒｏｘｙｅｔｈｙｌ  Ｉｍｉｄａｚｏｌｉｎｉｕｍ  Ｃｈｌｏｒｉｄｅ）
ココイル  ヒドロキシエチルイミダゾリニウム  ＰＧ−クロリド  ホスフェート（Ｃｏｃｏｙｌ  Ｈｙｄｒｏｘｙｅｔｈｙｌｉｍｉｄａｚｏｌｉｎｉｕｍ  ＰＧ−Ｃｈｌｏｒｉｄｅ  Ｐｈｏｓｐｈａｔｅ）
デクアルニウム  アセテート、およびクロリド（Ｄｅｑｕａｌｎｉｕｍ  Ａｃｅｔａｔｅ  ａｎｄ  Ｃｈｌｏｒｉｄｅ）
ジメチルアミノスチロール  ヘプチル  メチル  チアゾリウム  ヨージド（Ｄｉｍｅｔｈｙｌａｍｉｎｏｓｔｙｒｏｌ  Ｈｅｐｔｙｌ  Ｍｅｔｈｙｌ  Ｔｈｉａｚｏｌｉｕｍ  Ｉｏｄｉｄｅ）
ヒドロキシアントラキノンアミノプロピル  メチル  モルホリニウム  メトスルフェート（Ｈｙｄｒｏｘｙａｎｔｈｒａｑｕｉｎｏｎｅａｍｉｎｏｐｒｏｐｙｌ  Ｍｅｔｈｙｌ  Ｍｏｒｐｈｏｌｉｎｉｕｍ  Ｍｅｔｈｏｓｕｌｆａｔｅ）
イソステアリル  ベンジルイミドニウム  クロリド（Ｉｓｏｓｔｅａｒｙｌ  Ｂｅｎｚｙｌｉｍｉｄｏｎｉｕｍ  Ｃｈｌｏｒｉｄｅ）
イソステアリル  エチルイミダゾリニウム  エトスルフェート（Ｉｓｏｓｔｅａｒｙｌ  Ｅｔｈｙｌｉｍｉｄａｚｏｌｉｎｉｕｍ  Ｅｔｈｏｓｕｌｆａｔｅ）
ラピリウム  クロリド（Ｌａｐｙｒｉｕｍ  Ｃｈｌｏｒｉｄｅ）
ラウリル  イソキノリニウム  ブロミド、およびサッカリネート（Ｌａｕｒｙｌ  Ｉｓｏｑｕｉｎｏｌｉｎｉｕｍ  Ｂｒｏｍｉｄｅ  ａｎｄ  Ｓａｃｃｈａｒｉｎａｔｅ）
ラウリルピリジニウム  クロリド（Ｌａｕｒｙｌｐｙｒｉｄｉｎｉｕｍ  Ｃｈｌｏｒｉｄｅ）
プラトニン＊（Ｐｌａｔｏｎｉｎ＊）
クウォーターニウム−２７＊，４５＊，５１＊，５６＊，７２＊，７３＊，８３＊，および８７＊（Ｑｕａｔｅｒｎｉｕｍ−２７＊，４５＊，５１＊，５６＊，７２＊，７３＊，８３＊および８７＊）
ソイエチル  モルホリニウム  エトスルフェート（Ｓｏｙｅｔｈｙｌ  Ｍｏｒｐｈｏｌｉｎｉｕｍ  Ｅｔｈｏｓｕｌｆａｔｅ）
ステアリル  ヒドロキシエチルイミドニウム  クロリド（Ｓｔｅａｒｙｌ  Ｈｙｄｒｏｘｙｅｔｈｙｌｉｍｉｄｏｎｉｕｍ  Ｃｈｌｏｒｉｄｅ）
トールオイル  ベンジルヒドロキシエチル  イミダゾリニウム  クロリド（Ｔａｌｌ  Ｏｉｌ  Ｂｅｎｚｙｌ  Ｈｙｄｒｏｘｙｅｔｈｙｌ  Ｉｍｉｄａｚｏｌｉｎｉｕｍ  Ｃｈｌｏｒｉｄｅ）
（Ｆ．置換アミノ４級塩）
アセトアミドエトキシブチル  トリモニウム  クロリド（Ａｃｅｔａｍｉｄｏｅｔｈｏｘｙｂｕｔｙｌ  Ｔｒｉｍｏｎｉｕｍ  Ｃｈｌｏｒｉｄｅ）
アセトアミドプロピル  トリモニウム  クロリド（Ａｃｅｔａｍｉｄｏｐｒｏｐｙｌ  Ｔｒｉｍｏｎｉｕｍ  Ｃｈｌｏｒｉｄｅ）
アクリルアメドプロピルトリモニウム  クロリド／アクリルアミド  コポリマー（Ａｃｒｙｌａｍｅｄｏｐｒｏｐｙｌｔｒｉｍｏｎｉｕｍ  Ｃｈｌｏｒｉｄｅ／Ａｃｒｙｌａｍｉｄｅ  Ｃｏｐｏｌｙｍｅｒ）
アクリルアミドプロピルトリモニウム  クロリド／アクリレート  コポリマー（Ａｃｒｙｌａｍｉｄｏｐｒｏｐｙｌｔｒｉｍｏｎｉｕｍ  Ｃｈｌｏｒｉｄｅ／Ａｃｒｙｌａｔｅｓ  Ｃｏｐｏｌｙｍｅｒ）
アーモンドアミドプロパルコニウム  クロリド（Ａｌｍｏｎｄａｍｉｄｏｐｒｏｐａｌｋｏｎｉｕｍ  Ｃｈｌｏｒｉｄｅ）
アプリコットアミドプロピル  エチルジモニウム  エトスルフェート（Ａｐｒｉｃｏｔａｍｉｄｏｐｒｏｐｙｌ  Ｅｔｈｙｌｄｉｍｏｎｉｕｍ  Ｅｔｈｏｓｕｌｆａｔｅ）
アボカドアミドプロパルコニウム  クロリド（Ａｖｏｃａｄａｍｉｄｏｐｒｏｐａｌｋｏｎｉｕｍ  Ｃｈｌｏｒｉｄｅ）
ババスーアミドプロパルコニウム  クロリド（Ｂａｂａｓｓｕａｍｉｄｏｐｒｏｐａｌｋｏｎｉｕｍ  Ｃｈｌｏｒｉｄｅ）
ベヘンアミドプロピル  エチルデモニウム  エトスルフェート（Ｂｅｈｅｎａｍｉｄｏｐｒｏｐｙｌ  Ｅｔｈｙｌｄｅｍｏｎｉｕｍ  Ｅｔｈｏｓｕｌｆａｔｅ）
（Ｆ．置換アミノ４級塩（続き））
ベヘンアミドプロピル  ＰＧ−ジモニウム  クロリド（Ｂｅｈｅｎａｍｉｄｏｐｒｏｐｙｌ  ＰＧ−Ｄｉｍｏｎｉｕｍ  Ｃｈｌｏｒｉｄｅ）
キャノールアミドプロピル  エチルジモニウム  エトスルフェート（Ｃａｎｏｌａｍｉｄｏｐｒｏｐｙｌ  Ｅｔｈｙｌｄｉｍｏｎｉｕｍ  Ｅｔｈｏｓｕｌｆａｔｅ）
カルボキシメチル  イソステアルアミドプロピル  モルホリン（Ｃａｒｂｏｘｙｍｅｔｈｙｌ  Ｉｓｏｓｔｅａｒａｍｉｄｏｐｒｏｐｙｌ  Ｍｏｒｐｈｏｌｉｎｅ）
シンナミドプロピルジモニウム  クロリド（Ｃｉｎｎａｍｉｄｏｐｒｏｐｙｌｔｒｉｍｏｎｉｕｍ  Ｃｈｌｏｒｉｄｅ）
Ｃ１４−２０およびＣ１８−２２  イソアルキルアミドプロピルエチルジモニウム  エトスルフェート（Ｃ１４−２０  ａｎｄ  Ｃ１８−２２  Ｉｓｏａｌｋｙｌａｍｉｄｏｐｒｏｐｙｌｅｔｈｙｌｄｉｍｏｎｉｕｍ  Ｅｔｈｏｓｕｌｆａｔｅ）
ココアミドプロピル  ベタイン  ＭＥＡ  クロリド（Ｃｏｃａｍｉｄｏｐｒｏｐｙｌ  Ｂｅｔａｉｎｅ  ＭＥＡ  Ｃｈｌｏｒｉｄｅ）
ココアミドプロピルジモニウム  ヒドロキシプロピル加水分解コラーゲン（Ｃｏｃａｍｉｄｏｐｒｏｐｙｌｄｉｍｏｎｉｕｍ  Ｈｙｄｒｏｘｙｐｒｏｐｙｌ  Ｈｙｄｒｏｌｙｚｅｄ  Ｃｏｌｌａｇｅｎ）
ココアミドプロピルジモニウム  エトスルフェート（Ｃｏｃａｍｉｄｏｐｒｏｐｙｌｄｉｍｏｎｉｕｍ  Ｅｔｈｏｓｕｌｆａｔｅ）
ココアミドプロピル  エチルジモニウム  エトスルフェート（Ｃｏｃａｍｉｄｏｐｒｏｐｙｌ  Ｅｔｈｙｌｄｉｍｏｎｉｕｍ  Ｅｔｈｏｓｕｌｆａｔｅ）
ココアミドプロピル  ＰＧ−ジモニウム  クロリド、およびクロリド  ホスフェート（Ｃｏｃａｍｉｄｏｐｒｏｐｙｌ  ＰＧ−Ｄｉｍｏｎｉｕｍ  Ｃｈｌｏｒｉｄｅ  ａｎｄ  Ｃｈｌｏｒｉｄｅ  Ｐｈｏｓｐｈａｔｅ）
ココアミドプロピルトリモニウム  クロリド（Ｃｏｃａｍｉｄｏｐｒｏｐｙｌｔｒｉｍｏｎｉｕｍ  Ｃｈｌｏｒｉｄｅ）
二水素化タローアミドエチル  ヒドロキシエチルモニウム  クロリド、およびメタスルフェート（Ｄｉｈｙｄｒｏｇｅｎａｔｅｄ  ｔａｌｌｏｗａｍｉｄｏｅｔｈｙｌ  Ｈｙｄｒｏｘｙｅｔｈｙｌｍｏｎｉｕｍ  Ｃｈｌｏｒｉｄｅ  ａｎｄ  Ｍｅｔｈｏｓｕｌｆａｔｅ）
ヒドロキシプロピル  ビスイソステアルアミドプロピルジモニウム  クロリド（Ｈｙｄｒｏｘｙｐｒｏｐｙｌ  Ｂｉｓｉｓｏｓｔｅａｒａｍｉｄｏｐｒｏｐｙｌｄｉｍｏｎｉｕｍ  Ｃｈｌｏｒｉｄｅ）
ヒドロキシステアルアミドプロピル  トリモニウム  クロリド（Ｈｙｄｒｏｘｙｓｔｅａｒａｍｉｄｏｐｒｏｐｙｌ  Ｔｒｉｍｏｎｉｕｍ  Ｃｈｌｏｒｉｄｅ）
ヒドロキシステアルアメドプロピル  トリモニウム  メトスルフェート（Ｈｙｄｒｏｘｙｓｔｅａｒａｍｅｄｏｐｒｏｐｙｌ  Ｔｒｉｍｏｎｉｕｍ  Ｍｅｔｈｏｓｕｌｆａｔｅ）
イソノナンアミドプロピル  エチルジモニウム  エトスルフェート（Ｉｓｏｎｏｎａｍｉｄｏｐｒｏｐｙｌ  Ｅｔｈｙｌｄｉｍｏｎｉｕｍ  Ｅｔｈｏｓｕｌｆａｔｅ）
イソステアルアミドプロピル  エポキシプロピル  ジモニウム  クロリド（Ｉｓｏｓｔｅａｒａｍｉｄｏｐｒｏｐｙｌ  Ｅｐｏｘｙｐｒｏｐｙｌ  Ｄｉｍｏｎｉｕｍ  Ｃｈｌｏｒｉｄｅ）
イソステアルアミドプロピル  エポキシプロピルモルホリニウム  クロリド（Ｉｓｏｓｔｅａｒａｍｉｄｏｐｒｏｐｙｌ  Ｅｐｏｘｙｐｒｏｐｙｌｍｏｒｐｈｏｌｉｎｉｕｍ  Ｃｈｌｏｒｉｄｅ）
イソステアルアミドプロピル  エチルジモニウム  エトスルフェート（Ｉｓｏｓｔｅａｒａｍｉｄｏｐｒｏｐｙｌ  Ｅｔｈｙｌｄｉｍｏｎｉｕｍ  Ｅｔｈｏｓｕｌｆａｔｅ）
イソステアルアミドプロピル  エチルモルホリニウム  エトスルフェート（Ｉｓｏｓｔｅａｒａｍｉｄｏｐｒｏｐｙｌ  Ｅｔｈｙｌｍｏｒｐｈｏｌｉｎｉｕｍ  Ｅｔｈｏｓｕｌｆａｔｅ）
イソステアルアミドプロピル  ラウリルアセトジモニウム  クロリド（Ｉｓｏｓｔｅａｒａｍｉｄｏｐｒｏｐｙｌ  Ｌａｕｒｙｌａｃｅｔｏｄｉｍｏｎｉｕｍ  Ｃｈｌｏｒｉｄｅ）
イソステアルアミドプロピル  ＰＧ−ジモニウム  クロリド（Ｉｓｏｓｔｅａｒａｍｉｄｏｐｒｏｐｙｌ  ＰＧ−Ｄｉｍｏｎｉｕｍ  Ｃｈｌｏｒｉｄｅ）
イソステアルアメノプロパルコニウム  クロリド（Ｉｓｏｓｔｅａｒａｍｅｎｏｐｒｏｐａｌｋｏｎｉｕｍ  Ｃｈｌｏｒｉｄｅ）
イソステアリル  ベヘンアミドプロピル  ベタイネート（Ｉｓｏｓｔｅａｒｙｌ  Ｂｅｈｅｎａｍｉｄｏｐｒｏｐｙｌ  Ｂｅｔａｉｎａｔｅ）
イソステアリル  ジリノーレンアミドプロピル  ベタイネート（Ｉｓｏｓｔｅａｒｙｌ  Ｄｉｌｉｎｏｌｅａｍｉｄｏｐｒｏｐｙｌ  Ｂｅｔａｉｎａｔｅ）
イソステアリル  ラシノーレアミドプロピル  ベタイネート（Ｉｓｏｓｔｅａｒｙｌ  Ｒａｃｉｎｏｌｅａｍｉｄｏｐｒｏｐｙｌ  Ｂｅｔａｉｎａｔｅ）
メチレン  ビス  （タローアセトアミドジモニウム  クロリド）（Ｍｅｔｈｙｌｅｎｅ  ｂｉｓ  （ｔａｌｌｏｗａｃｅｔａｍｉｄｄｉｍｏｎｉｕｍ  Ｃｈｌｏｒｉｄｅ））
ラウリルアミドプロピル  アセトアミドジモニウム  クロリド（Ｌａｕｒａｍｉｄｏｐｒｏｐｙｌ  Ａｃｅｔａｍｉｄｏｄｉｍｏｎｉｕｍ  Ｃｈｌｏｒｉｄｅ）
ラウルアミドプロピル  ＰＧ−ジモニウム  クロリド（Ｌａｕｒａｍｉｄｏｐｒｏｐｙｌ  ＰＧ−Ｄｉｍｏｎｉｕｍ  Ｃｈｌｏｒｉｄｅ）
リノーレアミドプロピル  エチルジモニウム  エトスルフェート（Ｌｉｎｏｌｅａｍｉｄｏｐｒｏｐｙｌ  Ｅｔｈｙｌｄｉｍｏｎｉｕｍ  Ｅｔｈｏｓｕｌｆａｔｅ）
リノーレアミドプロピル  ＰＧ−ジモニウム  クロリド  ホスフェートおよびホスフェート  ジメチコーン（Ｌｉｎｏｌｅａｍｉｄｏｐｒｏｐｙｌ  ＰＧ−Ｄｉｍｏｎｉｕｍ  Ｃｈｌｏｒｉｄｅ  Ｐｈｏｓｐｈａｔｅ  ａｎｄ  Ｐｈｏｓｐｈａｔｅ  Ｄｉｍｅｔｈｉｃｏｎｅ）
ミンクアミドプロパルコニウム  クロリド（Ｍｉｎｋａｍｉｄｏｐｒｏｐａｌｋｏｎｉｕｍ  Ｃｈｌｏｒｉｄｅ）
ミンクアミドプロピル  エチルジモニウム  エトスルフェート（Ｍｉｎｋａｍｉｄｏｐｒｏｐｙｌ  Ｅｔｈｙｌｄｉｍｏｎｉｕｍ  Ｅｔｈｏｓｕｌｆａｔｅ）
オレインアミドプロピルジモニウム  ヒドロキシプロピルの加水分解コラーゲン（Ｏｌｅａｍｉｄｏｐｒｏｐｙｌｄｉｍｏｎｉｕｍ  Ｈｙｄｒｏｘｙｐｒｏｐｙｌ  Ｈｙｄｒｏｌｙｚｅｄ  Ｃｏｌｌａｇｅｎ）
オレインアミドプロピル  エチルジモニウム  エトスルフェート（Ｏｌｅａｍｉｄｏｐｒｏｐｙｌ  Ｅｔｈｙｌｄｉｍｏｎｉｕｍ  Ｅｔｈｏｓｕｌｆａｔｅ）
オレインアミドプロピル  ＰＧ−ジモニウム  クロリド（Ｏｌｅａｍｉｄｏｐｒｏｐｙｌ  ＰＧ−Ｄｉｍｏｎｉｕｍ  Ｃｈｌｏｒｉｄｅ）
レイプシードアミドプロピル  ベンジルジモニウム  クロリド（Ｒａｐｅｓｅｅｄａｍｉｄｏｐｒｏｐｙｌ  Ｂｅｎｚｙｌｄｉｍｏｎｉｕｍ  Ｃｈｌｏｒｉｄｅ）
レイプシードアミドプロピル  エポシキプロピル  ジモニウム  クロリド（ＲａｐｅｓｅｅｄａｍｉｄｏｐｒｏｐｙｌＥｐｏｘｙｐｒｏｐｙｌ  Ｄｉｍｏｎｉｕｍ  Ｃｈｌｏｒｉｄｅ）
レイプシードアミドプロピル  エトキシジモニウム  エトスルフェート（Ｒａｐｅｓｅｅｄａｍｉｄｏｐｒｏｐｙｌ  Ｅｔｈｙｌｄｉｍｏｎｉｕｍ  Ｅｔｈｏｓｕｌｆａｔｅ）
ライスブランアミドプロピル  ヒドロキシエチル  ジモニウム  クロリド（Ｒｉｃｅｂｒａｎａｍｉｄｏｐｒｏｐｙｌ  Ｈｙｄｒｏｘｙｅｔｈｙｌ  Ｄｉｍｏｎｉｕｍ  Ｃｈｌｏｒｉｄｅ）
リシノレアミドプロピル  エチルジモニウム  エトスルフェート（Ｒｉｃｉｎｏｌｅａｍｉｄｏｐｒｏｐｙｌ  Ｅｔｈｙｌｄｉｍｏｎｉｕｍ  Ｅｔｈｏｓｕｌｆａｔｅ）
リシノレアミドプロピルトリモニウム  クロリド、およびメトスルフェート（Ｒｉｃｉｎｏｌｅａｍｉｄｏｐｒｏｐｙｌｔｒｉｍｏｎｉｕｍ  Ｃｈｌｏｒｉｄｅ  ａｎｄ  Ｍｅｔｈｏｓｕｌｆａｔｅ）
サフラワーアミドプロピル  エチルジモニウム  エトスルフェート（Ｓａｆｆｌｏｗｅｒａｍｉｄｏｐｒｏｐｙｌ  Ｅｔｈｙｌｄｉｍｏｎｉｕｍ  Ｅｔｈｏｓｕｌｆａｔｅ）
ナトリウム  ルリヂサアミドプロピル  ＰＧ−ジモニウム  クロリド  ホスフェート（Ｓｏｄｉｕｍ  Ｂｏｒａｇｅａｍｉｄｏｐｒｏｐｙｌ  ＰＧ−Ｄｉｍｏｎｉｕｍ  Ｃｈｌｏｒｉｄｅ  Ｐｈｏｓｐｈａｔｅ）
（Ｆ．置換アミノ４級塩（続き））
ナトリウム  エミューアミドプロピル  ＰＧ−ジモニウム  クロリド  ホスフェート（Ｓｏｄｉｕｍ  Ｅｍｕａｍｉｄｏｐｒｏｐｙｌ  ＰＧ−Ｄｉｍｏｎｉｕｍ  Ｃｈｌｏｒｉｄｅ  Ｐｈｏｓｐｈａｔｅ）
ナトリウム  ミルクアミドプロピル  ＰＧ−ジモニウム  クロリド  ホスフェート（Ｓｏｄｉｕｍ  Ｍｉｌｋａｍｉｄｏｐｒｏｐｙｌ  ＰＧ−Ｄｉｍｏｎｉｕｍ  Ｃｈｌｏｒｉｄｅ  Ｐｈｏｓｐｈａｔｅ）
ナトリウム  オレインアミドプロピル  ＰＧ−ジモニウム  クロリド  ホスフェート（Ｓｏｄｉｕｍ  Ｏｌｅａｍｉｄｏｐｒｏｐｙｌ  ＰＧ−Ｄｉｍｏｎｉｕｍ  Ｃｈｌｏｒｉｄｅ  Ｐｈｏｓｐｈａｔｅ）
ナトリウム  ヒマワリアミドプロピル  ＰＧ−ジモニウム  クロリド  ホスフェート（Ｓｏｄｉｕｍ  Ｓｕｎｆｌｏｗｅｒａｍｉｄｏｐｒｏｐｙｌ  ＰＧ−Ｄｉｍｏｎｉｕｍ  Ｃｈｌｏｒｉｄｅ  Ｐｈｏｓｐｈａｔｅ）
ソイアミドエチルジモニウム／トリモニウム  ヒドロキシプロピル加水分解小麦タンパク（Ｓｏｙａｍｉｄｏｅｔｈｙｌｄｉｍｏｎｉｕｍ／Ｔｒｉｍｏｎｉｕｍ  Ｈｙｄｒｏｘｙｐｒｏｐｙｌ  Ｈｙｄｒｏｌｙｚｅｄ  Ｗｈｅａｔ  Ｐｒｏｔｅｉｎ）
ソイアミドプロパルコニウム  クロリド（Ｓｏｙａｍｉｄｏｐｒｏｐａｌｋｏｎｉｕｍ  Ｃｈｌｏｒｉｄｅ）
ソイアミドプロピル  エチルジモニウム  エトスルフェート（Ｓｏｙａｍｉｄｏｐｒｏｐｙｌ  Ｅｔｈｙｌｄｉｍｏｎｉｕｍ  Ｅｔｈｏｓｕｌｆａｔｅ）
ステアルアミドプロパルコニウム  クロリド（Ｓｔｅａｒａｍｉｄｏｐｒｏｐａｌｋｏｎｉｕｍ  Ｃｈｌｏｒｉｄｅ）
ステアルアミドプロピル  セテアリル  ジモニウム  トシレート（Ｓｔｅａｒａｍｉｄｏｐｒｏｐｙｌ  Ｃｅｔｅａｒｙｌ  Ｄｉｍｏｎｉｕｍ  Ｔｏｓｙｌａｔｅ）
ステアルアミドプロピル  エチルジモニウム  エトスルフェート（Ｓｔｅａｒａｍｉｄｏｐｒｏｐｙｌ  Ｅｔｈｙｌｄｉｍｏｎｉｕｍ  Ｅｔｈｏｓｕｌｆａｔｅ）
ステアルアミドプロピル  ＰＧ−ジモニウム  クロリド  ホスフェート（Ｓｔｅａｒａｍｉｄｏｐｒｏｐｙｌ  ＰＧ−Ｄｉｍｏｎｉｕｍ  Ｃｈｌｏｒｉｄｅ  Ｐｈｏｓｐｈａｔｅ）
ステアルアミドプロピル  ピロリドニルメチル  ジモニウム  クロリド（Ｓｔｅａｒａｍｉｄｏｐｒｏｐｙｌ  Ｐｙｒｒｏｌｉｄｏｎｙｌｍｅｔｈｙｌ  Ｄｉｍｏｎｉｕｍ  Ｃｈｌｏｒｉｄｅ）
ステアルアミドプロピル  トリモニウム  メトスルフェート（Ｓｔｅａｒａｍｉｄｏｐｒｏｐｙｌ  Ｔｒｉｍｏｎｉｕｍ  Ｍｅｔｈｏｓｕｌｆａｔｅ）
ウンデシレンアミドプロピルトリモニウム  メトスルフェート（Ｕｎｄｅｃｙｌｅｎａｍｉｄｏｐｒｏｐｙｌｔｒｉｍｏｎｉｕｍ  Ｍｅｔｈｏｓｕｌｆａｔｅ）
ウィートジャームアミドプロパルコニウム  クロリド（Ｗｈｅａｔ  Ｇｅｒｍａｍｉｄｏｐｒｏｐａｌｋｏｎｉｕｍ  Ｃｈｌｏｒｉｄｅ）
ウィートジャームアミドプロパルコニウム  ヒドロキシプロピル加水分解小麦タンパク（Ｗｈｅａｔ  Ｇｅｒｍａｍｉｄｏｐｒｏｐａｌｋｏｎｉｕｍ  Ｈｙｄｒｏｘｙｐｒｏｐｙｌ  Ｈｙｄｒｏｌｙｚｅｄ  Ｗｈｅａｔ  Ｐｒｏｔｅｉｎ）
ウィートジャームアミドプロピル  エポキシプロピルジモニウム  クロリド（Ｗｈｅａｔ  Ｇｅｒｍａｍｉｄｏｐｒｏｐｙｌ  Ｅｐｏｘｙｐｒｏｐｙｌｄｉｍｏｎｉｕｍ  Ｃｈｌｏｒｉｄｅ）
ウィートジャームアミドプロピル  エチルジモニウム  エトスルフェート（Ｗｈｅａｔ  Ｇｅｒｍａｍｉｄｏｐｒｏｐｙｌ  Ｅｔｈｙｌｄｉｍｏｎｉｕｍ  Ｅｔｈｏｓｕｌｆａｔｅ）
（Ｇ．４級化ケラチン）
ＡＭＰ−イソステアロイル  ゼラチン／ケラチン  アミノ酸／リシン（ＡＭＰ−Ｉｓｏｓｔｅａｒｏｌｙｌ  Ｇｅｌａｔｉｎ／Ｋｅｒａｔｉｎ  Ａｍｉｎｏ  Ａｃｉｄｓ／Ｌｙｓｉｎｅ）
ココジモニウム  ヒドロキシプロピル加水分解毛髪ケラチンおよびケラチン（Ｃｏｃｏｄｉｍｏｎｉｕｍ  Ｈｙｄｒｏｘｙｐｒｏｐｙｌ  Ｈｙｄｒｏｌｙｚｅｄ  Ｈａｉｒ  Ｋｅｒａｔｉｎ  ａｎｄ  Ｋｅｒａｔｉｎ）
ヒドロキシプロピルトリモニウム  ゼラチンおよび加水分解ケラチン（Ｈｙｄｒｏｘｙｐｒｏｐｙｌｔｒｉｍｏｎｉｕｍ  Ｇｅｌａｔｉｎ  ａｎｄ  Ｈｙｄｒｏｌｙｚｅｄ  Ｋｅｒａｔｉｎ）
ラウリルジモニウム  ヒドロキシプロピル加水分解ケラチン（Ｌａｕｒｙｌｄｉｍｏｎｉｕｍ  Ｈｙｄｒｏｘｙｐｒｏｐｙｌ  Ｈｙｄｒｏｌｙｚｅｄ  Ｋｅｒａｔｉｎ）
クウォーターニウム−７９加水分解ケラチン＊（Ｑｕａｔｅｒｎｉｕｍ−７９  Ｈｙｄｒｏｌｙｚｅｄ  Ｋｅｒａｔｉｎ＊）
ステアルジモニウム  ヒドロキシプロピル加水分解ケラチン（Ｓｔｅａｒｄｉｍｏｎｉｕｍ  Ｈｙｄｒｏｘｙｐｒｏｐｙｌ  Ｈｙｄｒｏｌｙｚｅｄ  Ｋｅｒａｔｉｎ）
（Ｈ．４級化コラーゲン）
ベンジルトリモニウム  加水分解コラーゲン（Ｂｅｎｚｙｌｔｒｉｍｏｎｉｕｍ  Ｈｙｄｒｏｌｙｚｅｄ  Ｃｏｌｌａｇｅｎ）
ココジモニウム  ヒドロキシプロピル加水分解コラーゲン（Ｃｏｃｏｄｉｍｏｎｉｕｍ  Ｈｙｄｒｏｘｙｐｒｏｐｙｌ  Ｈｙｄｒｏｌｙｚｅｄ  Ｃｏｌｌａｇｅｎ）
ヒドロキシプロピルトリモニウム加水分解コラーゲン（Ｈｙｄｒｏｘｙｐｒｏｐｙｌｔｒｉｍｏｎｉｕｍ  Ｈｙｄｒｏｌｙｚｅｄ  Ｃｏｌｌａｇｅｎ）
ラウリルジモニウム  ヒドロキシプロピル加水分解コラーゲン（Ｌａｕｒｙｌｄｉｍｏｎｉｕｍ  Ｈｙｄｒｏｘｙｐｒｏｐｙｌ  Ｈｙｄｒｏｌｙｚｅｄ  Ｃｏｌｌａｇｅｎ）
プロピルトリモニウム加水分解コラーゲン（Ｐｒｏｐｙｌｔｒｉｍｏｎｉｕｍ  Ｈｙｄｒｏｌｙｚｅｄ  Ｃｏｌｌａｇｅｎ）
クウォーターニウム−７６および７９加水分解コラーゲン＊（Ｑｕａｔｅｒｎｉｕｍ−７６  ａｎｄ  ７９  Ｈｙｄｒｏｌｙｚｅｄ  Ｃｏｌｌａｇｅｎ＊）
ステアルジモニウム  ヒドロキシプロピル加水分解コラーゲン（Ｓｔｅａｒｄｉｍｏｎｉｕｍ  Ｈｙｄｒｏｘｙｐｒｏｐｙｌ  Ｈｙｄｒｏｌｙｚｅｄ  Ｃｏｌｌａｇｅｎ）
ステアルトリモニウム  ヒドロキシエチル加水分解コラーゲン（Ｓｔｅａｒｔｒｉｍｏｎｉｕｍ  Ｈｙｄｒｏｘｙｅｔｈｙｌ  Ｈｙｄｒｏｌｙｚｅｄ  Ｃｏｌｌａｇｅｎ）
トリエトニウム  加水分解コラーゲン  エトスルフェート（Ｔｒｉｅｔｈｏｎｉｕｍ  Ｈｙｄｒｏｌｙｚｅｄ  Ｃｏｌｌａｇｅｎ  Ｅｔｈｏｓｕｌｆａｔｅ）
（Ｉ．４級化アミノ酸）
ココジモニウム  ヒドロキシプロピル  シルクアミノ酸（Ｃｏｃｏｄｉｍｏｎｉｕｍ  Ｈｙｄｒｏｘｙｐｒｏｐｙｌ  Ｓｉｌｋ  Ａｍｉｎｏ  Ａｃｉｄｓ）
ゼラチン／ケラチン  アミノ酸／リシン  ヒドロキシプロピルトリモニウム  クロリド（Ｇｅｌａｔｉｎ／Ｋｅｒａｔｉｎ  Ａｍｉｎｏ  Ａｃｉｄｓ／Ｌｙｓｉｎｅ  Ｈｙｄｒｏｘｙｐｒｏｐｙｌｔｒｉｍｏｎｉｕｍ  Ｃｈｌｏｒｉｄｅ）
（Ｊ．４級化タンパク）
ココジモニウム  ヒドロキシプロピル加水分解カゼイン、絹、米タンパク、大豆タンパク、および小麦タンパク（Ｃｏｃｏｄｉｍｏｎｉｕｍ  Ｈｙｄｒｏｘｙｐｒｏｐｙｌ  Ｈｙｄｒｏｌｙｚｅｄ  Ｃａｓｅｉｎ，  Ｓｉｌｋ，  Ｒｉｃｅ  Ｐｒｏｔｅｉｎ，  Ｓｏｙ  Ｐｒｏｔｅｉｎ  ＆  Ｗｈｅａｔ  Ｐｒｏｔｅｉｎ）
ゼラチン／リシン／ポリアクリルアミド  ヒドロキシプロピルトリモニウム  クロリド（Ｇｅｌａｔｉｎ／Ｌｙｓｉｎｅ／Ｐｏｌｙａｃｒｙｌａｍｉｄｅ  Ｈｙｄｒｏｘｙｐｒｏｐｙｌｔｒｉｍｏｎｉｕｍ  Ｃｈｌｏｒｉｄｅ）
ヒドロキシプロピルトリモニウム加水分解カゼインおよびコンキオリンタンパク（Ｈｙｄｒｏｘｙｐｒｏｐｙｌｔｒｉｍｏｎｉｕｍ  Ｈｙｄｒｏｌｙｚｅｄ  Ｃａｓｅｉｎ  ａｎｄ  Ｃｏｎｃｈｉｏｌｉｎ  Ｐｒｏｔｅｉｎ）
ヒドロキシプロピルトリモニウム加水分解米糠タンパク、絹、野菜タンパク、小麦タンパク、小麦プロテイン／シロキシシリケート（Ｈｙｄｒｏｘｙｐｒｏｐｙｌｔｒｉｍｏｎｉｕｍ  Ｈｙｄｒｏｌｙｚｅｄ  Ｒｉｃｅ  Ｂｒａｎ  Ｐｒｏｔｅｉｎ，  Ｓｉｌｋ，  Ｖｅｇｅｔａｂｌｅ  Ｐｒｏｔｅｉｎ，  Ｗｈｅａｔ  Ｐｒｏｔｅｉｎ，  ＷｈｅａｔＰｒｏｔｅｉｎ／Ｓｉｌｏｘｙｓｉｌｃａｔｅ）
ラウルジモニウム  ヒドロキシプロピル加水分解大豆タンパク、および小麦タンパク／シロキシシリケート（Ｌａｕｒｄｉｍｏｎｉｕｍ  Ｈｙｄｒｏｘｙｐｒｏｐｙｌ  Ｈｙｄｒｏｌｙｚｅｄ  Ｓｏｙ  Ｐｒｏｔｅｉｎ  ａｎｄ  Ｗｈｅａｔ  Ｐｒｏｔｅｉｎ／  Ｓｉｌｏｘｙｓｉｌｉｃａｔｅ）
ラウルジモニウム  ヒドロキシプロピル加水分解カゼイン、絹、および大豆タンパク（Ｌａｕｒｙｌｄｉｍｏｎｉｕｍ  Ｈｙｄｒｏｘｙｐｒｏｐｙｌ  Ｈｙｄｒｏｌｙｚｅｄ  Ｃａｓｅｉｎ，  Ｓｉｌｋ  ａｎｄ  Ｓｏｙ  Ｐｒｏｔｅｉｎ）
プロピルトリモニウム加水分解大豆タンパク、および小麦タンパク（Ｐｒｏｐｙｌｔｒｉｍｏｎｉｕｍ  Ｈｙｄｒｏｌｙｚｅｄ  Ｓｏｙ  Ｐｒｏｔｅｉｎ  ａｎｄ  Ｗｈｅａｔ  Ｐｒｏｔｅｉｎ）
クウォーターニウム−７９加水分解牛乳タンパク＊、絹＊、大豆タンパク＊、および小麦タンパク＊（Ｑｕａｔｅｒｎｉｕｍ−７９  Ｈｙｄｒｏｌｙｚｅｄ  Ｍｉｌｋ  Ｐｒｏｔｅｉｎ＊，  Ｓｉｌｋ＊，  Ｓｏｙ  Ｐｒｏｔｅｉｎ＊  ａｎｄ  Ｗｈｅａｔ  Ｐｒｏｔｅｉｎ＊）
クウォーターニウム−８６＊（Ｑｕａｔｅｒｎｉｕｍ−８６＊）
ステアルジモニウム  ヒドロキシプロピル加水分解カゼイン、米タンパク、絹、大豆タンパク、および野菜タンパク（Ｓｔｅａｒｄｉｍｏｎｉｕｍ  Ｈｙｄｒｏｘｙｐｒｏｐｙｌ  Ｈｙｄｒｏｌｙｚｅｄ  Ｃａｓｅｉｎ，  Ｒｉｃｅ  Ｐｒｏｔｅｉｎ，  Ｓｉｌｋ，  Ｓｏｙ  Ｐｒｏｔｅｉｎ  ａｎｄ  Ｖｅｇｅｔａｂｌｅ  Ｐｒｏｔｅｉｎ）
ステアルジモニウム  ヒドロキシプロピル小麦タンパク（Ｓｔｅａｒｄｉｍｏｎｉｕｍ  Ｈｙｄｒｏｘｙｐｒｏｐｙｌ  Ｗｈｅａｔ  Ｐｒｏｔｅｉｎ）
（Ｋ．ニ価または多価カチオンの塩）
アルミニウムアセテートおよびアセテート溶液（Ａｌｕｍｉｎｕｍ  Ａｃｅｔａｔｅ  ａｎｄ  Ａｃｅｔａｔｅ  Ｓｏｌｕｔｉｏｎ）
アルミニウムベンゾエート、ブトキシド、シトレート、ジアセテート、ジセチルホスフェート、ラクテート、メチオネート、ＰＣＡ、スクロースオクタスルフェート、およびトリホルメート（Ａｌｕｍｉｎｕｍ  Ｂｅｎｚｏａｔｅ，Ｂｕｔｏｘｉｄｅ，Ｃｉｔｒａｔｅ，Ｄｉａｃｅｔａｔｅ，Ｄｉｃｅｔｙｌ  Ｐｈｏｓｐｈａｔｅ，Ｌａｃｔａｔｅ，Ｍｅｔｈｉｏｎａｔｅ，ＰＣＡ，Ｓｕｃｒｏｓｅ  ＯｃｔａｓｕｌｆａｔｅおよびＴｒｉｆｏｒｍａｔｅ）
アルミニウム／マグネシウムヒドロキシド  ステアレート（Ａｌｕｍｉｎｕｍ／Ｍａｇｎｅｓｉｕｍ  Ｈｙｄｒｏｘｉｄｅ  Ｓｔｅａｒａｔｅ）
アンチモン  カリウム  タートレート（Ａｎｔｉｍｏｎｙ  Ｐｏｔａｓｓｉｕｍ  Ｔａｒｔｒａｔｅ）
バリウム  グルコネート（Ｂａｒｉｕｍ  Ｇｌｕｃｏｎａｔｅ）
ビスマス  シトレートおよびサブガレート（Ｂｉｓｍｕｔｈ  Ｃｉｔｒａｔｅ  ａｎｄ  Ｓｕｂｇａｌｌａｔｅ）
ブルシン  スルフェート（Ｂｒｕｃｉｎｅ  Ｓｕｌｆａｔｅ）
カルシウム  アセテート、アスコルベート、ベンゾエート、シトレート、シクラメート、ＤＮＡ、フルクトヘプトネート、グルコヘプトネート、グルコネート、グリセロホスフェート、ラクテート、パンテセインスルホネート、パントセネート、パラベン、プロピオネート、サッカリン、サリチレート、ソルベート、ステアロイルラクチレート、タータレート、およびチオグリコレート（Ｃａｌｃｉｕｍ  Ａｃｅｔａｔｅ，Ａｓｃｏｒｂａｔｅ，Ｂｅｎｚｏａｔｅ，Ｃｉｔｒａｔｅ，Ｃｙｃｌａｍａｔｅ，ＤＮＡ，Ｆｒｕｃｔｏｈｅｐｔｏｎａｔｅ，Ｇｌｕｃｏｈｅｐｔｏｎａｔｅ，Ｇｌｕｃｏｎａｔｅ，Ｇｌｙｃｅｒｏｐｈｏｓｐｈａｔｅ，Ｌａｃｔａｔｅ，Ｐａｎｔｅｔｈｅｉｎｅ  Ｓｕｌｆｏｎａｔｅ，Ｐａｎｔｏｔｈｅｎａｔｅ，Ｐａｒａｂｅｎ，Ｐｒｏｐｉｏｎａｔｅ，Ｓａｃｃｈａｒｉｎｅ，Ｓａｌｉｃｙｌａｔｅ，Ｓｏｒｂａｔｅ，Ｓｔｅａｒｏｙｌ  Ｌａｃｔｙｌａｔｅ，ＴａｒｔａｒａｔｅおよびＴｈｉｏｇｌｙｃｏｌａｔｅ）
カルシウム  ニナトリウム  ＥＤＴＡ（Ｃａｌｃｉｕｍ  Ｄｉｓｏｄｉｕｍ  ＥＤＴＡ）
コバルト  グルコネート（Ｃｏｂａｌｔ  Ｇｌｕｃｏｎａｔｅ）
銅ＤＮＡ、グルコネート、ＰＣＡ、ＰＣＡメチルシラノール、ピコリネート、およびウスネート（Ｃｏｐｐｅｒ  ＤＮＡ，Ｇｌｕｃｏｎａｔｅ，ＰＣＡ，ＰＣＡ  Ｍｅｔｈｙｌｓｉｌａｎｏｌ，ＰｉｃｏｌｉｎａｔｅおよびＵｓｎａｔｅ）
銅（ＩＩ）アセテート（Ｃｕｐｒｉｃ  Ａｃｅｔａｔｅ）
鉄（ＩＩＩ）アンモニウム  シトレート（Ｆｅｒｉｃ  Ａｍｍｏｎｉｕｍ  Ｃｉｔｒａｔｅ）
鉄（ＩＩＩ）  シトレート  グリセロホスフェート（Ｆｅｒｒｉｃ  Ｃｉｔｒａｔｅ  ａｎｄ  Ｇｌｙｃｅｒｏｐｈｏｓｐｈａｔｅ）
鉄（ＩＩ）アスパルテート、アグルコヘプトネートおよびグルコネート（Ｆｅｒｒｏｕｓ  Ａｓｐａｒｔａｔｅ，ＡｇｌｕｃｏｈｅｐｔｏｎａｔｅおよびＧｌｕｃｏｎａｔｅ）
鉄ピコリネート（Ｉｒｏｎ  Ｐｉｃｏｌｉｎａｔｅ）
イソプロピル  チタニウム  トリイソステアレート（Ｉｓｏｐｒｏｐｙｌ  Ｔｉｔａｎｉｕｍ  Ｔｒｉｉｓｏｓｔｅａｒａｔｅ）
鉛アセテート（Ｌｅａｄ  Ａｃｅｔａｔｅ）
マグネシウム  アセテート、アスコルベート、アスコルベート／ＰＣＡ、アスコルビルホスフェート、ベンゾエート、シトレート、ＤＮＡ、グルコヒプトネート、グルコネート、グリセロホスフェート、ＰＣＡ、プロピオネート、サリチレート、およびチオグリコレート（Ｍａｇｎｅｓｉｕｍ  Ａｃｅｔａｔｅ，  Ａｓｃｏｒｂａｔｅ，  Ａｓｃｏｒｂａｔｅ／ＰＣＡ，  Ａｓｃｏｒｂｙｌ  Ｐｈｏｓｐｈａｔｅ，  Ｂｅｎｚｏａｔｅ，  Ｃｉｔｒａｔｅ，  ＤＮＡ，Ｇｌｕｃｏｈｉｐｔｏｎａｔｅ，  Ｇｌｕｃｏｎａｔｅ，  Ｇｌｙｅｒｏｐｈｏｓｐｈａｔｅ，  ＰＣＡ，  Ｐｒｏｐｉｏｎａｔｅ，  Ｓａｌｉｃｙｌａｔｅ  ａｎｄ  Ｔｈｉｏｇｌｙｃｏｌａｔｅ）
マグネシウム  ラウレト−１１  カルボキシレート（Ｍａｇｎｅｓｉｕｍ  Ｌａｕｒｅｔｈ−１１  Ｃａｒｂｏｘｙｌａｔｅ）
（Ｋ．ニ価または多価カチオンの塩（続き））
マンガン  グルコネート（Ｍａｎｇａｎｅｓｅ  Ｇｌｕｃｏｎａｔｅ）
マンガン  グルセロホスフェート（Ｍａｎｇａｎｅｓｅ  Ｇｌｙｃｅｒｏｐｈｏｓｐｈａｔｅ）
マンガン  ＰＣＡ（Ｍａｎｇａｎｅｓｅ  ＰＣＡ）
モリブデン  アスパルテート（Ｍｏｌｙｂｄｅｎｕｍ  Ａｓｐａｒｔａｔｅ）
ニッケル  グルコネート（Ｎｉｃｋｅｌ  Ｇｌｕｃｏｎａｔｅ）
フェニル水銀（ＩＩ）  アセテート、ベンゾエート、ボレート、およびクロリド（Ｐｈｅｎｙｌ  Ｍｅｒｃｕｒｉｃ  Ａｃｅｔａｔｅ，  Ｂｅｎｚｏａｔｅ，  Ｂｏｒａｔｅ  ａｎｄ  Ｃｈｌｏｒｉｄｅ）
ストロンチウム  アセテート（Ｓｔｒｏｎｔｉｕｍ  Ａｃｅｔａｔｅ）
ストロンチウム  チオグリコレート（Ｓｔｒｏｎｔｉｕｍ  Ｔｈｉｏｇｌｙｃｏｌａｔｅ）
亜鉛アセテート、シトレート、システイネート、ジブチルジチオカルバメート、グルコヘプトネート、グルコネート、グリシルレリネート、ラクテート、ピコレート、およびピリチオン（Ｚｉｎｃ  Ａｃｅｔａｔｅ，  Ｃｉｔｒａｔｅ，Ｃｙｓｔｅｉｎａｔｅ，  Ｄｉｂｕｔｙｌｄｉｔｈｉｏｃａｒｂａｍａｔｅ，  Ｇｌｕｃｏｈｅｐｔｏｎａｔｅ，  Ｇｌｕｃｏｎａｔｅ，Ｇｌｙｃｙｒｒｈｅｌｉｎａｔｅ，  Ｌａｃｔａｔｅ，  Ｐｉｃｏｌｉｎａｔｅ  ａｎｄ  Ｐｙｒｉｔｈｉｏｎｅ）
亜鉛  ホルムアルデヒド  スルホキシレート（Ｚｉｎｃ  Ｆｏｒｍａｌｄｅｈｙｄｅ  Ｓｕｌｆｏｘｙｌａｔｅ）
亜鉛ＰＣＡ（Ｚｉｎｃ  ＰＣＡ）
（Ｌ．顔料）
酸化亜鉛（Ｚｉｎｃ  Ｏｘｉｄｅ）、酸化鉄（Ｉｒｏｎ  Ｏｘｉｄｅｓ）、ニ酸化チタン（Ｔｉｔａｎｉｕｍ  Ｄｉｏｘｉｄｅ）
（Ｍ．有機アミン）
アラニン  グルタメート（Ａｌａｎｉｎｅ  Ｇｌｕｔａｍａｔｅ）
アラントイン  アセチル  メチオニン、アスコルベート、ビオチン、カルシウム  パントテネート、ガラクツロン酸、グリシルレチン酸、ＰＡＢＡ、およびポリガラクツロン酸（Ａｌｌａｎｔｏｉｎ  Ａｃｅｔｙｌ  Ｍｅｔｈｉｏｎｉｎｅ，Ａｓｃｏｒｂａｔｅ，Ｂｉｏｔｉｎ，Ｃａｌｃｉｕｍ  Ｐａｎｔｏｔｈｅｎａｔｅ，Ｇａｌａｃｔｕｒｏｎｉｃ  Ａｃｉｄ，Ｇｌｙｃｙｒｒｈｅｔｉｎｉｃ  Ａｃｉｄ，ＰＡＢＡおよびＰｏｌｙｇａｌａｃｔｕｒｏｎｉｃ  Ａｃｉｄ）
アモジメチコーン  ヒドロキシスレアレート（Ａｍｏｄｉｍｅｔｈｉｃｏｎｅ  Ｈｙｄｒｏｘｙｓｔｅａｒａｔｅ）
アルギニン  アスパルテート、ＤＮＡ、およびＰＣＡ（Ａｒｇｉｎｉｎｅ  Ａｓｐａｒｔａｔｅ，  ＤＮＡ  ａｎｄ  ＰＣＡ）
アルギニン  グルタメート（Ａｒｇｉｎｉｎｅ  Ｇｌｕｔａｍａｔｅ）
アルギニン  ヘキシルデシル  ホスフェート（Ａｒｇｉｎｉｎｅ  Ｈｅｘｙｌｄｅｃｙｌ  Ｐｈｏｓｐｈａｔｅ）
キトサン  アジペート、アスコルベート、グリコレート、およびサリチレート（Ｃｈｉｔｏｓａｎ  Ａｄｉｐａｔｅ，Ａｓｃｏｒｂａｔｅ，ＧｌｙｃｏｌａｔｅおよびＳａｌｉｃｙｌａｔｅ）
クロラミン  Ｔ（Ｃｈｌｏｒａｍｉｎｅ  Ｔ）
クロルヘキシジン  ジアセテート、ジグルコネート、およびジヒドロクロリド（Ｃｈｌｏｒｈｅｘｉｄｉｎｅ  Ｄｉａｃｅｔａｔｅ，ＤｉｇｌｕｃｏｎａｔｅおよびＤｉｈｙｄｒｏｃｈｌｏｒｉｄｅ）
クロロフィル−銅  錯体（Ｃｈｌｏｒｏｐｈｙｌｌｉｎ−Ｃｏｐｐｅｒ  Ｃｏｍｐｌｅｘ）
シクロピロックス  オーラミン（Ｃｉｃｌｏｐｉｒｏｘ  Ｏｌａｍｉｎｅ）
システアミン  ＨＣｌ（Ｃｙｓｔｅａｍｉｎｅ  ＨＣＩ）
システイン  ＤＮＡ（Ｃｙｓｔｅｉｎｅ  ＤＮＡ）
ＤＥＡ−セチル  ホスフェート（ＤＥＡ−Ｃｅｔｙｌ  Ｐｈｏｓｐｈａｔｅ）
ＤＥＡ−加水分解レシチン（ＤＥＡ−Ｈｙｄｒｏｌｙｚｅｄ  Ｌｅｃｉｔｈｉｎ）
ＤＥＡ−メトキシシンナメート（ＤＥＡ−Ｍｅｔｈｏｘｙｃｉｎｎａｍａｔｅ）
ジベヘンアミドプロピルジメチルアミン  ジリノレート（Ｄｉｂｅｈｅｎａｍｉｄｏｐｒｏｐｙｌｄｉｍｅｔｈｙｌａｍｉｎｅ  Ｄｉｌｉｎｏｌｅａｔｅ）
ジブロモプロパンアミジン  ジイセチオネート（Ｄｉｂｒｏｍｏｐｒｏｐａｍｉｄｉｎｅ  Ｄｉｉｓｅｔｈｉｏｎａｔｅ）
ジグリコール  グアニジン  スクシネート（Ｄｉｇｌｙｃｏｌ  Ｇｕａｎｉｄｉｎｅ  Ｓｕｃｃｉｎａｔｅ）
ジヒドロキシエチル  タローアミン  オレエート（Ｄｉｈｙｄｒｏｘｙｅｔｈｙｌ  Ｔａｌｌｏｗａｍｉｎｅ  Ｏｌｅａｔｅ）
ジリチウム  オキサレート（Ｄｉｌｉｔｈｉｕｍ  Ｏｘａｌａｔｅ）
ジメチコーン  プロピルエチレンジアミン  ベヘネート（Ｄｉｍｅｔｈｉｃｏｎｅ  Ｐｒｏｐｙｌｅｔｈｙｌｅｎｅｄｉａｍｉｎｅ  Ｂｅｈｅｎａｔｅ）
エタノールアミン  ジチオジグリコレート、グリセロホスフェート、およびチオグリコレート（Ｅｔｈａｎｏｌａｍｉｎｅ  Ｄｉｔｈｉｏｄｉｇｌｙｃｏｌａｔｅ，  Ｇｌｙｃｅｒｏｐｈｏｓｐｈａｔｅ  ａｎｄ  Ｔｈｉｏｇｌｙｃｏｌａｔｅ）
エチル  ヒドロキシル  ピコリウム  ラクテート（Ｅｔｈｙｌ  Ｈｙｄｒｏｘｙ  Ｐｉｃｏｌｉｎｉｕｍ  Ｌａｃｔａｔｅ）
エチル  ラウロイル  アルギネート  ＨＣｌ（Ｅｔｈｙｌ  Ｌａｕｒｏｙｌ  Ａｒｇｉｎａｔｅ  ＨＣＩ）
グアニジン  カーボネート、ＨＣｌ、およびホスフェート（Ｇｕａｎｉｄｉｎｅ  Ｃａｒｂｏｎａｔｅ，  ＨＣＩ  ａｎｄ  Ｐｈｏｓｐｈａｔｅ）
ヘキサミジン  ジイセチオネート、およびパラベン（Ｈｅｘａｍｉｄｉｎｅ  Ｄｉｉｓｅｔｈｉｏｎａｔｅ  ａｎｄ  Ｐａｒａｂｅｎ）
（Ｍ．有機アミン（続き））
イソステアルアミドプロピル  ジメチルアミン  グルコネート、グリコレート、およびラクテート（Ｉｓｏｓｔｅａｒａｍｉｄｏｐｒｏｐｙｌ  Ｄｉｍｅｔｈｙｌａｍｉｎｅ  Ｇｌｕｃｏｎａｔｅ，  Ｇｌｙｃｏｌａｔｅ  ａｎｄ  Ｌａｃｔａｔｅ）
イソステアルアミドプロピル  モルホリン  ラクテート（Ｉｓｏｓｔｅａｒａｍｉｄｏｐｒｏｐｙｌ  Ｍｏｒｐｈｏｌｉｎｅ  Ｌａｃｔａｔｅ）
ラウリル  イソキノリニウム  サッカリネート（Ｌａｕｒｙｌ  Ｉｓｏｑｕｉｎｏｌｉｎｉｕｍ  Ｓａｃｃｈａｒｉｎａｔｅ）
ラウリル  ＰＣＡ（Ｌａｕｒｙｌ  ＰＣＡ）
リシン  ＤＮＡ、およびグルタメート（Ｌｙｓｉｎｅ  ＤＮＡ  ａｎｄ  Ｇｌｕｔａｍａｔｅ）
ＭＥＡ−ベンゾエート、ジセテアリル  ホスフェート、ｏ−フェニルフェネート、サリチレート、チオアセテート、およびウンデシレネート（ＭＥＡ−Ｂｅｎｚｏａｔｅ，Ｄｉｃｅｔｅａｒｙｌ  Ｐｈｏｓｐｈａｔｅ，  ｏ−Ｐｈｅｎｙｌｐｈｅｎａｔｅ，  Ｓａｌｉｃｙｌａｔｅ，Ｔｈｉｏｌａｃｔａｔｅ  ａｎｄ  Ｕｎｄｅｃｙｌｅｎａｔｅ）
ＭＥＡ−ラウレト−６  カルボキシレート（ＭＥＡ−Ｌａｕｒｅｔｈ−６  Ｃａｒｂｏｘｙｌａｔｅ）
ＭＥＡ  ＰＰＧ−６  ラウレト−７  カルボキシレート（ＭＥＡ  ＰＰＧ−６  Ｌａｕｒｅｔｈ−７  Ｃａｒｂｏｘｙｌａｔｅ）
ＭＥＡ  ＰＰＧ−８  ステアレト−７  カルボキシレート（ＭＥＡ  ＰＰＧ−８  Ｓｔｅａｒｅｔｈ−７  Ｃａｒｂｏｘｙｌａｔｅ）
メチル  ヒドロキシセチル  グルカミニウム  ラクテート（Ｍｅｔｈｙｌ  Ｈｙｄｒｏｘｙｃｅｔｙｌ  Ｇｌｕｃａｍｉｎｉｕｍ  Ｌａｃｔａｔｅ）
メチルシラノール  ヒドロキシプロリン  アスパルテート（Ｍｅｔｈｙｌｓｉｌａｎｏｌ  Ｈｙｄｒｏｘｙｐｒｏｌｉｎｅ  Ａｓｐａｒｔａｔｅ）
ニコチニル  タートレート（Ｎｉｃｏｔｉｎｙｌ  Ｔａｒｔｒａｔｅ）
オリーブアミドプロピル  ジメチルアミン  ラクテート（Ｏｌｉｖａｍｉｄｏｐｒｏｐｙｌ  Ｄｉｍｅｔｈｙｌａｍｉｎｅ  Ｌａｃｔａｔｅ）
オキシキノリン  ベンゾエート、およびスルフェート（Ｏｘｙｑｕｉｎｏｌｉｎｅ  Ｂｅｎｚｏａｔｅ  ａｎｄ  Ｓｕｌｆａｔｅ）
ＰＣＡ  エチル  ココイル  アルギネート（ＰＣＡ  Ｅｔｈｙｌ  Ｃｏｃｏｙｌ  Ａｒｇｉｎａｔｅ）
ピロクトン  オーラミン（Ｐｉｒｏｃｔｏｎｅ  Ｏｌａｍｉｎｅ）
ピリドキシン  ＨＣｌ（Ｐｙｒｉｄｏｘｉｎｅ  ＨＣＩ）
サッカラート化石灰（Ｓａｃｃｈａｒａｔｅｄ  Ｌｉｍｅ）
ＴＥＡ−ココイル  アラニネート（ＴＥＡ−Ｃｏｃｏｙｌ  Ａｌａｎｉｎａｔｅ）
ＴＥＡ−ＥＤＴＡ（ＴＥＡ−ＥＤＴＡ）
ＴＥＡ−ラウロイル  ラクチレート（ＴＥＡ−Ｌａｕｒｏｙｌ  Ｌａｃｔｙｌａｔｅ）
ＴＥＡ−フェニルベンズイミダゾール  スルホネート（ＴＥＡ−Ｐｈｅｎｙｌｂｅｎｚｉｍｉｄａｚｏｌｅ  Ｓｕｌｆｏｎａｔｅ）
ツルフィルニコチネート  ＨＣｌ（Ｔｈｕｒｆｙｌｎｉｃｏｔｉｎａｔｅ  ＨＣＩ）
（Ｎ．有機イミダゾリン）
ステアリル  ヒドロキシエチル  イミダゾリン（Ｓｔｅａｒｙｌ  Ｈｙｄｒｏｘｙｅｔｈｙｌ  Ｉｍｉｄａｚｏｌｉｎｅ）
（Ｏ．エトキシ化アミン）
ＰＥＧ−１５  タローアミン（ＰＥＧ−１５  Ｔａｌｌｏｗａｍｉｎｅ）
ＰＥＧ−ココプロピルアミン（ＰＥＧ−ｃｏｃｏｐｏｌｙａｍｉｎｅ）
（Ｐ．４級化セルロース）
ＰＧ−ヒドロキシエチルセルロース  ココジモニウム  クロリド（ＰＧ−Ｈｙｄｒｏｘｙｅｔｈｙｌｃｅｌｌｕｌｏｓｅ  Ｃｏｃｏｄｉｍｏｎｉｕｍ  Ｃｈｌｏｒｉｄｅ）
ＰＧ−ヒドロキシエチルセルロース  ラウリルジモニウム  クロリド（ＰＧ−Ｈｙｄｒｏｘｙｅｔｈｙｌｃｅｌｌｕｌｏｓｅ  Ｌａｕｒｙｌｄｉｍｏｎｉｕｍ  Ｃｈｌｏｒｉｄｅ）
ＰＧ−ヒドロキシエチルセルロース  ステアリルジモニウム  クロリド（ＰＧ−Ｈｙｄｒｏｘｙｅｔｈｙｌｃｅｌｌｕｌｏｓｅ  Ｓｔｅａｒｙｌｄｉｍｏｎｉｕｍ  Ｃｈｌｏｒｉｄｅ）
（Ｑ．４級化シリコーン）
クウォーターニウム−８０＊（Ｑｕａｔｅｒｎｉｕｍ−８０＊）
シリコーン  クウォーターニウム−１＊〜１３＊（Ｓｉｌｉｃｏｎｅ  Ｑｕａｔｅｒｎｉｕｍ−１＊  ｔｏ  １３＊）
（Ｒ．多官能４級塩）
クウォーターニウム−７７＊、７８＊、８１＊、８２＊、および８５＊（Ｑｕａｔｅｒｎｉｕｍ−７７＊，７８＊，８１＊，８２＊および８５＊）
（Ｓ．３級置換４級塩）
トリセチルモニウム  クロリド（Ｔｒｉｃｅｔｙｌｍｏｎｉｕｍ  Ｃｈｌｏｒｉｄｅ）
＊この物質の組成は、ｔｈｅ  Ｉｎｔｅｒｎａｔｉｏｎａｌ  Ｃｏｓｍｅｔｉｃ  Ｉｎｇｒｅｄｉｅｎｔｓ  Ｄｉｃｔｉｏｎａｒｙ  ａｎｄ  Ｈａｎｄｂｏｏｋ（８ｔｈ  ｅｄ．（２０００），ｔｈｅ  Ｃｏｓｍｅｔｉｃ  Ｔｏｉｌｅｔｒｙ  ａｎｄ  Ｆｒａｇｒａｎｃｅ  Ａｓｓｏｃｉａｔｉｏｎ，１１０１１７ｔｈ  Ｓｔ．，ＮＷ，Ｓｕｉｔｅ  ３００，Ｗａｓｈｉｎｇｔｏｎ，Ｄ．Ｃ．２００３６−４７０２）で同定されている。
【００２２】
（相溶化剤）
これらのカチオン性成分を錯化する相溶化剤または錯化剤は、アニオン性基を有する「嵩張った」分子を含有する任意の物質であり得る。「嵩張った」分子は、このアニオン性増粘剤またはカチオン性成分のいずれとも反応性であってはならない。この「嵩張った」分子は、一般に、少なくとも５００Ｍｎ、好ましくは、少なくとも１，０００Ｍｎの分子量を有し、５０，０００Ｍｎまで、一般に、２５，０００Ｍｎまでの分子量を有し得る。通常、「嵩張った」分子は、少なくとも３個の繰り返し単位を有する重合体物質である。これらの重合体物質の組成物は、不均質性であり得、主に、ポリシリコーン、アクリル共重合体、ポリアルキレングリコール（例えば、ポリエチレグリコールおよびポリプロピレングリコール）、ポリビニルアルコール、ポリ酢酸ビニル、多糖類（例えば、デンプンおよびセルロース）またはポリウレタンであり得る。ポリアルキレングリコールは、末端基（例えば、アリル、プロペニル、プロピルおよび水素などであるが、これらに限定されない）を含有し得る。これらの重合体または「嵩張った」基は、アニオン性基を含有しなければならず、それらは、これらのカチオン性成分と錯化する。好ましいアニオン性基には、カルボキシレート（−ＣＯＯＨ）、スルホネート（−ＳＯ３Ｈ）、サルフェート（−ＯＳＯ３Ｈ）、ホスフェート（−ＯＰ（ＯＨ）２）およびホスホネート（−ＰＯ（ＯＨ）２）がある。これらのアニオン性基は、これらのカチオン性成分と錯化して、そのカチオン性成分がアニオン性増粘剤を妨害するのを防止し、この増粘剤がその粘度形成機能を果たすことができるようにする。原理的には、アニオン性基を含有する任意の重合体物質が使用され得るものの、シリコーンは、角質物質（例えば、シャンプー、リンス、ヘアゲルおよび毛髪染料における髪；ローション、クリームおよび手の清浄剤における皮膚；または爪強化剤またはコーティングおよび角質軟化剤における爪；または口紅、リップクリームなどにおける唇）を整えるように働くので、シリコーンを使用するのが好ましい。
【００２３】
好ましいシリコーン錯化剤は、一般に、以下により表わされ得る：
（Ｉ）
【００２４】
【化２３】
2006503934.tif 000003
ここで：
Ｍｅは、メチルである；
ＲおよびＲ’は、別個に、メチル、−ＯＨ、−Ｒ７、および−Ｒ９−Ａまたは−（ＣＨ２）３−Ｏ−（ＥＯ）ａ−（ＰＯ）ｂ−（ＥＯ）ｃ−Ｇから選択されるが、但し、ＲおよびＲ’の両方が、メチル、−ＯＨまたはＲ７になることはない；
Ｒ１は、低級アルキルＣＨ３（ＣＨ２）ｎ−またはフェニルから選択され、ここで、ｎは、０〜２２の整数である；ａ、ｂおよびｃは、別個に、０〜１００の範囲の整数である；
ＥＯは、−（ＣＨ２ＣＨ２Ｏ）−である；
ＰＯは、
【００２５】
【化２４】
2006503934.tif 000004
である；
ｏは、１〜２００の範囲の整数である；
ｑは、０〜１０００の範囲の整数である；
ｐは、０〜２００の範囲の整数である；
Ｒ７は、１個〜４０個の炭素を有するアリール基、アルキル基、アラルキル基、アルカリール基またはアルケニル基である；
Ｒ８は、水素またはＲ７またはＣ（Ｏ）−Ｘであり、ここで、Ｘは、１個〜４０個の炭素を有するアリール基、アルキル基、アラルキル基、アルカリール基、アルケニル基であるか、またはそれらの混合物である；
Ｒ９は、６個〜１８個の炭素を有するアリーレン基で遮断され得る１個〜４０個の炭素を有するアルキレンまたは２個〜８個の炭素を有する不飽和を含むアルキレン基から選択される二価基である；
ＡおよびＧは、別個に、以下から選択される：
【００２６】
【化２５】
2006503934.tif 000005
2006503934.tif 000006
ここで、
Ｒ”は、６個〜１８個の炭素を有するアリーレン基で遮断され得る１個〜４０個の炭素を有するアルキレンまたは２個〜８個の炭素を有する不飽和を含むアルキレン基から選択される二価基であり、好ましくは、以下から選択される：
Ｒ”は、以下から選択される：−ＣＨ２−ＣＨ２−；
【００２７】
【化２６】
2006503934.tif 000007
ここで、
Ｍは、Ｎａ、Ｋ、Ｌｉ、ＮＨ４；またはアルキル基、アリール基、アルケニル基、ヒドロキシアルキル基、アリールアルキル基またはアルカリール基を含有するアミンである。
【００２８】
他の範疇のシリコーン錯化剤には、次式により表わされ得るシリコーンサルフェートがある：
（ＩＩ）
【００２９】
【化２７】
2006503934.tif 000008
Ｒ１１は、１個〜８個の炭素原子を有する低級アルキルまたはフェニルから選択される；
Ｒ１２は、−（ＣＨ２）３−Ｏ−（ＥＯ）ｘ−（ＰＯ）ｙ−（ＥＯ）ｚ−ＳＯ３−Ｍ＋である；
Ｍは、カチオンであり、そしてＮａ、Ｋ、ＬｉまたはＮＨ４から選択される；
ｘ、ｙおよびｚは、別個に、０〜１００の範囲の整数である；
Ｒ１３は、−（ＣＨ２）３−Ｏ−（ＥＯ）ｘ−（ＰＯ）ｙ−（ＥＯ）ｚ−Ｈである；
Ｒ１４は、メチルまたはヒドロキシルである；
ａ１およびｃ１は、別個に、０〜５０の範囲の整数である；
ｂ１は、１〜５０の範囲の整数である。
【００３０】
さらに他の範疇のシリコーン錯化剤は、以下のように表わされ得る：
（ＩＩＩ）
【００３１】
【化２８】
2006503934.tif 000009
ここで、
Ｒ２１は、
【００３２】
【化２９】
2006503934.tif 000010
である；
ａ２は、０〜２００の整数である；
ｂ２は、０〜２００の整数である；
ｃ２は、１〜２００の整数である；
Ｒ１４は、上で定義したとおりである；
Ｒ２２は、−（ＣＨ２）ｎＣＨ３およびフェニルから選択される；
ｎは、０〜１０の整数である；
Ｒ２３は、−（ＣＨ２）３−Ｏ−（ＥＯ）ｘ１−（ＰＯ）ｙ１−（ＥＯ）ｚ１−Ｈである；
ｘ１、ｙ１およびｚ１は、別個に、０〜２０から選択される；
ｅ１およびｆ１は、１または２であるが、但し、ｅ＋ｆ＝３である；
Ｍは、Ｈ、Ｎａ、Ｋ、ＬｉまたはＮＨ４から選択される；および
（ＩＶ）
【００３３】
【化３０】
2006503934.tif 000011
ここで；
Ｍｅは、メチルである；
Ｒ３０およびＲ３２は、別個に、−ＣＨ３または−（ＣＨ２）３−Ｏ−（ＥＯ）ａ３−（ＰＯ）ｂ３−（ＥＯ）ｃ３−Ｃ（Ｏ）−Ｒ３３−Ｃ（Ｏ）−ＯＨである；
但し、Ｒ３０およびＲ３２の両方が−ＣＨ３になることはない；
Ｒ３３は、以下から選択される：−ＣＨ２−ＣＨ２−；−ＣＨ＝ＣＨ−；−ＣＨ２−Ｃ（Ｒ３７）−Ｈ；
【００３４】
【化３１】
2006503934.tif 000012
Ｒ３７は、１個〜２２個の炭素原子を有するアルキルである；
Ｒ３１は、低級アルキル（１個〜４個の炭素を有する）、ＣＨ３（ＣＨ）ｎ１−およびフェニルから選択される；
ｎ１は、０〜８の整数である；
ａ３、ｂ３およびｃ３は、別個に、０〜２０の範囲の整数である；
ＥＯは、エチレンオキシド残基−（ＣＨ２ＣＨ２−Ｏ）−である；
ＰＯは、プロピレンオキシド残基−（ＣＨ２ＣＨ（ＣＨ３）−Ｏ−）−である；
ｏ１は、１〜２００の範囲の整数である；
ｑ１は、１〜５００の範囲の整数である。
【００３５】
上記構造において、ＥＯおよびＰＯ単位は、ランダムおよびブロック構造であり得ることに注目すべきである。
【００３６】
このようなシリコーンカルボキシレートは、米国特許第５，２９６，６２５号でさらに詳細に開示されており、その開示内容は、本明細書中で参考として援用されている。さらに他のシリコーン錯化剤には、非常に多数の異なるアニオン性置換基を含有するシリコーンがある。このようなシリコーンは、当業者に周知の反応を使用して、既に開示された２種またはそれ以上のアニオン性シリコーンを反応させることにより、調製できる。得られた分子は、出発物質であるシリコーンのハイブリッドであり得、従って、複数のタイプのアニオン性官能基を含有する。このシリコーンの特性は、このような様式で、最適化できる。１形式の反応であるシリコーン平衡反応は、反応器に原料を充填する工程、適当な触媒を加える工程、加熱しつつ混合する工程、次いで、この触媒を中和する工程を包含する。その化学的作用は、Ｓｉｌｉｃｏｎｅ  ｉｎ  Ｏｒｇａｎｉｃ，Ｏｒｇａｎｏｍｅｔａｌｌｉｃ  ａｎｄ  Ｐｏｌｙｍｅｒ  Ｃｈｅｍｉｓｔｒｙ（Ｍｉｃｈａｅｌ  Ｂｒｏｏｋ）Ｊｏｈｎ  Ｗｉｌｅｙ  ａｎｄ  Ｓｏｎｓ，Ｎｅｗ  Ｙｏｒｋ，２０００，ｐｐ．２６１−２６６で論述されている。
【００３７】
これらのカチオン性成分を錯化するのに必要なアニオン性錯化剤の量は、特定のカチオン性成分（クアット、ポリクアット、有機塩など）、存在しているカチオン性成分の量、および最終処方の全体的なｐＨに依存している。その最終処方のｐＨが低い程、必要な錯化剤の量が多くなる。上記の変数を考慮すると、最適な結果を得るための特定の処方で使用するのに最適な量のアニオン性錯化剤（例えば、シリコーン）に達するために、ある種の通常の試験を行う必要がある。一般に、このアニオン性錯化剤（例えば、アニオン性シリコーン錯化剤）とカチオン性成分との重量比は、０．１〜１０：１の範囲である。好ましくは、この錯化剤とカチオン性成分との重量比は、０．５〜６：１、最も好ましくは、１．５〜３：１である。
【００３８】
（アニオン性重合体レオロジー改質剤）
カチオン性成分と通常は相溶性ではない重合体レオロジー改質剤（増粘剤）は、種々の処方において、錯化カチオン性成分と併用され得る。従って、アニオン性重合体レオロジー改質剤は、本発明の組成物で使用され得る。
【００３９】
一般に、このようなアニオン性重合体レオロジー改質剤は、カルボン酸基を含有するエチレン性不飽和モノマーまたはカルボン酸基を含有するもの（例えば、酸水素化物、無水物またはエステル）から誘導されたエチレン性不飽和モノマーのいずれかから得られる単独重合体である。これらには、このようなカルボン酸基含有モノマーまたはエチレン性不飽和無水物の単独重合体または少なくとも１重量％（好ましくは、少なくとも５重量％、そらに好ましくは、少なくとも１０重量％）のこのようなカルボン酸モノマーまたは無水物モノマーを含有する共重合体が挙げられる。従来技術は、増粘剤として有用な種々のこのような単独重合体および共重合体を開示している。このような増粘剤の例は、以下で述べる。
【００４０】
増粘剤重合体の製品で有用なカルボン酸モノマーには、少なくとも１個の活性化炭素−炭素オレフィン性二重結合および少なくとも１個のカルボン酸基を含有するオレフィン性不飽和カルボン酸、すなわち、オレフィン性二重結合（これは、それが、カルボキシル基、
【００４１】
【化３２】
2006503934.tif 000013
に関してα位置でまたはＣＨ２＝Ｃ＜で分類される末端メチレン基の一部として、いずれかでモノマー分子内に存在しているために、その重合において容易に機能する）を含有する酸である。このα，β−酸では、その二重結合炭素原子の非常に近くには極性が高いカルボキシル基が存在しているために、活性化の影響が大きく、この構造を含む物質を非常に容易に重合可能にする。カルボン酸モノマー内に末端メチレン基が存在していると、この種の化合物は、二重結合が炭素構造の中間にある場合よりも、ずっと容易に重合可能になる。この種のオレフィン性不飽和酸には、以下で代表されるアクリル酸類のような多様な物質が挙げられる：アクリル酸それ自体、メタクリル酸、エタクリル酸、α−クロロアクリル酸、α−シアノアクリル酸、β−メチルアクリル酸（クロトン酸）、α−フェニルアクリル酸、β−アクリルオキシプロピオン酸、ソルビン酸、α−クロロソルビン酸、アンゲリカ酸、桂皮酸、パラクロロ桂皮酸、β−スチリルアクリル酸（１−カルボキシ−４−フェニルブタジエン−１，３）、イタコン酸、シトラコン酸、メサコン酸、グルタコン酸、アコニット酸、マレイン酸、フマル酸およびトリカルボキシエチレン。本明細書中で使用する「カルボン酸」との用語は、ポリカルボン酸およびそれらの酸無水物（例えば、無水マレイン酸）を含み、その無水物基は、同じポリカルボン酸分子上に位置している２個のカルボキシル基から１分子の水を脱離することにより、形成される。同一または異なる不飽和酸（例えば、無水アクリル酸）の２個またはそれ以上の分子から水を脱離することにより形成される種類の無水物は、それらの重合体が水中またはアルカリ中で加水分解する傾向が大きいので、含まれない。本明細書中で有用な無水マレイン酸および他の酸無水物は、以下の一般構造を有する：
【００４２】
【化３３】
2006503934.tif 000014
ここで、Ｒ４０およびＲ４１は、別個に、水素、シアノ（−Ｃ−−Ｎ）、ヒドロキシル、ラクトンおよびラクタム基およびアルキル、アリール、アルカリール、アラルキルおよびシクロアルキル基（例えば、メチル、エチル、プロピル、オクチル、デシル、フェニル、トリル、キシリル、ベンジル、シクロヘキシルなど）からなる群から選択される。
【００４３】
本発明で使用するのに好ましいカルボン酸モノマーには、以下の一般式を有するモノオレフィン性アクリル酸がある：
【００４４】
【化３４】
2006503934.tif 000015
ここで、Ｒ４２は、水素、ハロゲン、ヒドロキシル、ラクトン、ラクタム、シアン（−ＣＮ）、一価アルキル基（１個〜４個の炭素）、一価アリール基（６個〜１２個の炭素）、一価アラルキル基（７個〜１２個の炭素）、一価アルカリール基（７個〜１２個の炭素）および一価環状脂肪族基（４個〜８個の炭素）からなる群から選択される。この群のうち、アクリル酸それ自体は、それが一般に低価格であり容易に入手でき優れた重合体を形成する性能があるので、最も好ましい。他の特に好ましいカルボン酸モノマーには、無水マレイン酸がある。
【００４５】
長鎖脂肪族基を有する好ましいアクリル酸エステルモノマーには、次式を有するアクリル酸の誘導体がある：
【００４６】
【化３５】
2006503934.tif 000016
ここで、Ｒ４３は、水素、または８個〜３０個の炭素原子、好ましくは、１０個〜２２個の炭素原子を有するアルキル基であり、そしてＲ４４は、水素またはメチル基である。代表的な高級アクリル酸アルキルエステルには、アクリル酸デシル、アクリル酸ラウリル、アクリル酸ステアリル、アクリル酸ベヘニルおよびアクリル酸メリッシルおよび対応するメタクリル酸エステルがある。２種またはそれ以上の長鎖アクリル酸エステルの混合物は、これらのカルボン酸モノマーの１種とうまく重合されて、本発明の有用な増粘性樹脂を提供する。
【００４７】
好ましい架橋モノマーには、もし１種を使用するなら、１分子あたり１個より多いアルケニルエーテル基を有するポリアルケニルポリエーテルがある。最も有用なものは、オレフィン性二重結合が末端メチレン基ＣＨ２＝Ｃ＜に結合して存在しているアルケニル基を有する。それらは、少なくとも４個の炭素原子および少なくとも３個の水酸基を有する多価アルコールをエステル化することにより、製造される。この種の化合物は、ハロゲン化アルケニル（例えば、塩化アリルまたは臭化アリル）を１種またはそれ以上の強アルカリ水溶液と反応させることにより、生成され得る。その生成物は、ポリエーテルと種々の数のエーテル基との錯体混合物である。分析により、各分子上のエーテル基の平均数が明らかとなる。このポリエーテル架橋剤の効率は、その分子上の潜在的に重合可能な基の数と共に高まる。１分子あたり平均して２個またはそれ以上のアルケニルエーテルを含有するポリエーテルを使用することが好ましい。他の架橋剤には、例えば、ジアリルエーテル、ジメタリルエーテル、アリルまたはまたはメタリルアクリレートおよびアクリルアミド、テトラアリルスズ、テトラビニルシラン、ポリアルケニルメタン、ジアクリレートおよびジメタクリレート、ジビニル化合物、リン酸ポリアリル、ジアリルオキシ化合物および亜リン酸エステルなどが挙げられる。
【００４８】
このカルボン酸モノマーと長鎖アクリル酸エステルモノマーとの混合物は、好ましくは、９５〜５０重量％のカルボン酸モノマーおよび５〜５０重量％のアクリル酸エステルモノマーを含有する。
【００４９】
上で述べた重合体増粘剤は、米国特許第３，９４０，３５１号にて、さらに詳細に開示されており、その開示内容は、本明細書中で参考として援用されている。関連した重合体増粘剤は、米国特許第３，９１５，９２１号で開示されており、その開示内容は、本明細書中で参考として援用されている。
【００５０】
他の種類の増粘剤は、以下を含む単量体系を共重合することにより得られる架橋共重合体により、表わされる：
ａ）約１０〜約９７重量％の少なくとも１種のエチレン性不飽和モノ−またはジカルボン酸；
ｂ）０〜約８０重量％のエチレン性不飽和モノ−またはジカルボン酸の少なくとも１種の（Ｃ１〜Ｃ３０）アルキルまたはアラルキルエステル；
ｃ）約０．５〜約８０重量％の少なくとも１種の会合性モノマーであって、該会合性モノマーは、次式のエステルである：
【００５１】
【化３６】
2006503934.tif 000017
ここで、
Ｊは、エチレン性不飽和アクリル残基であり、必要に応じて、追加カルボン酸基を含有し、ここで、必要に応じて、該追加カルボン酸基は、（Ｃ１〜Ｃ２０）脂肪族アルキル基でエステル化され得る；
Ｒ１は、１個〜３０個の炭素原子を有するアルキル、アルカフェニルまたはアラルキル残基である；
Ｒ２は、水素、メチルまたはエチルである；
ｒは、０と５０の間を含む；
ｓは、０と３０の間を含む；
ｄ）０〜約２０重量％の少なくとも１種のエチレン性不飽和アミド；
ｅ）約０．２〜約２０重量％の少なくとも１種のジエステルであって、該ジエステルは、少なくとも２個の遊離ＯＨ−基を有するポリオキシアルキレングリコールまたは乳化剤と、架橋剤としてのエチレン性不飽和カルボン酸との間である；および
ｆ）０〜約２０重量％の少なくとも１種のエチレン性不飽和スルホン酸。
【００５２】
ａ）で示したエチレン性不飽和モノ−またはジカルボン酸の例には、例えば、アクリル酸、メタクリル酸、イタコン酸、マレイン酸、ソルビン酸、クロトン酸およびそれらの類似物がある。これらのうちで、アクリル酸およびメタクリル酸が好ましい。
【００５３】
ｂ）で示したエチレン性不飽和モノ−またはジカルボン酸の好ましいエステルには、アクリル酸メチル、アクリル酸エチル、メタクリル酸メチル、アクリル酸ブチル、メタクリル酸エチルおよびそれらの類似物がある。最も好ましいものは、（メタ）アクリル酸メチルおよびエチルである。
【００５４】
会合性モノマーｃ）は、上式Ｊ−Ｏ−（ＣＨ２−ＣＨＲ２Ｏ）ｒ−（ＣＨ２）ｓ−Ｒ１に入る任意の化合物であり得、ここで、Ｒ１およびＲ２は、上で示したとおりであり、ｒおよびｓの合計は、０と８０の間で変わり得、そしてＪは、以下から選択されるエチレン性不飽和酸のアクリル酸残基である：アクリル酸、メタクリル酸、イタコン酸、マレイン酸、ソルビン酸、クロトン酸、オレイン酸およびリノール酸。２５モルのエチレンオキシドでエトキシ化したセチルステアリルアルコールのエステルが好ましい。会合性モノマーｃ）は、市販の生成物であるか、またはそれらは、実質的に、当該技術分野で公知の手順に従って、調製できる（米国特許第３，６５２，４９７号および第４，０７５，４１１号）。
【００５５】
好ましいエチレン性不飽和アミドｄ）には、アクリルアミド、メタクリルアミドおよびビニルピロリドンがあるのに対して、好ましいエチレン性不飽和スルホン酸ｆ）には、ビニルスルホン酸およびｐ−スチレンスルホン酸がある。
【００５６】
上記ｅ）で列挙した架橋剤は、式（Ｉ）、（ＩＩ）または（ＩＶ）の以下の構造の１個を有し得るか、またはそれらは、ヒマシ油のポリエトキシ化誘導体であり、これは、必要に応じて、全体または一部が水素化され、エチレン性不飽和カルボン酸でエステル化されているが、但し、エチレン性結合の全数は、少なくとも２個である。
【００５７】
架橋剤ｅ）は、式（Ｉ）の化合物である：
【００５８】
【化３７】
2006503934.tif 000018
ここで：
Ｄ１およびＤ２は、同一または異なり得、エチレン性不飽和アクリル酸残基であり、これは、追加カルボン酸基を含有し得、ここで、必要に応じて、該追加カルボン酸基は、（Ｃ１〜２０）脂肪族アルキル基でエステル化できる；
Ｚ１およびＺ３は、別個に、水素または（Ｃ１〜２０）脂肪族アルキルまたはアラルキル基を表わす；
Ｚ２は、水素またはメチルである；
ｔおよびｗは、０と２０の間の整数である；
ｕは、１と１００の間の整数である；
ｔ＋ｕ＋ｗの合成は、１と１４０の間の整数を表わす；
但し、Ｚ１、Ｚ２およびＺ３が同時に水素であるとき、Ｄ１およびＤ２は、同時に、アクリル残基またはメタクリル酸であり、ｔ＋ｕ＋ｗの合計は、１ではない；そして
ここで、このポリアルキレングリコールの構造は、ランダムまたはブロックであり得る。
【００５９】
好ましくは、式（Ｉ）の架橋剤では、Ｄ１およびＤ２は、別個に、アクリル酸、メタクリル酸、イタコン酸、マレイン酸、ソルビン酸、クロトン酸、オレイン酸またはリノール酸のアシル残基を表わし、Ｚ１、Ｚ２およびＺ３は、水素またはメチルを表わし、そしてａ＋ｂ＋ｃの合計は、１０より大きく、このポリアルキレングリコールの構造は、ランダムまたはブロックであり得る。
【００６０】
さらに好ましくは、式（Ｉ）の架橋剤では、Ｄ１およびＤ２は、別個に、アクリル酸、メタクリル酸またはイタコン酸のアシル残基を表わし、Ｚ１、Ｚ２およびＺ３は、水素を表わし、そしてａ＋ｂ＋ｃの合計は、２０より大きい。
【００６１】
式（１）の架橋剤は、ポリアルキレングリコールをエチレン性不飽和カルボン酸でエステル化することにより誘導される生成物である；それらの一部は、文献（米国特許第３，６３９，４５９号および第４，１３８，３８１号；ＤＤ  Ｐａｔｅｎｔ  ２０５，８９１；Ｐｏｌｙｍｅｒ，１９７８，１９（９），１０６７−１０７３；Ｐｉｇｍ．Ｒｅｓｉｎ．Ｔｅｃｈｎｏｌ．，１９９２，２１（５），１６−１７）で記述されている。
【００６２】
式（Ｉ）の化合物はまた、式（Ｉａ）の化合物をエステル化することにより、調製できる：
【００６３】
【化３８】
2006503934.tif 000019
ここで、Ｚ１、Ｚ２、Ｚ３、ｔ、ｕおよびｗは、カルボン酸Ｄ１−ＯＨおよび／またはＤ２−ＯＨと共に、上で定義したとおりであり、ここで、Ｄ１およびＤ２は、上で定義したとおりであるか、または対応する無水物またはハロゲン化アシルであるか、あるいは、低沸点アルコールの対応するエステルのエステル交換による。
【００６４】
架橋剤（ｅ）は、式（ＩＩ）の化合物である：
【００６５】
【化３９】
2006503934.tif 000020
ここで：
Ｅ１、Ｅ２、Ｅ３およびＥ４は、別個に、水素、または２個〜２５個の炭素原子を有する飽和またはエチレン性不飽和モノ−またはジカルボン酸のアシル残基を表わし、ここで、別のカルボン酸基は、必要に応じて、（Ｃ１〜２０）脂肪族アルキル基でエステル化できるが、但し、Ｅ１、Ｅ２、Ｅ３およびＥ４の少なくとも２個は、上で定義したエチレン性不飽和アシル残基を表わす；
Ｙ１、Ｙ２、Ｙ３およびＹ４は、同一または異なり得るが、水素、メチルまたはエチルである；
ｄ、ｇ、ｈおよびｉは、０と３０の間の整数である。
【００６６】
好ましくは、式（ＩＩ）の化合物は、ソルビタン誘導体（ｄ、ｇ、ｈおよびｉの全ては、０である）、または約４〜約２０モルのエチレンオキシドでエトキシ化したソルビタン誘導体であり、ここで、それらの水酸基の少なくとも２個は、アクリル酸、メタクリル酸、イタコン酸、マレイン酸、ソルビン酸、クロトン酸、オレイン酸およびリノール酸から選択されるエチレン性不飽和カルボン酸でエステル化されており、そして２個の残留水酸基の少なくとも１個は、１０個以上の炭素原子を有する脂肪酸でエステル化されている。
【００６７】
式（ＩＩ）の化合物は、式（Ｉ）の化合物の調製において、上で報告したエチレン性不飽和アシル基を導入することにより、調製される。その出発物質は、式（ＩＩ）の化合物であり、ここで、Ｅ１、Ｅ２、Ｅ３およびＥ４の少なくとも２個は、水素を表わし、そしてＥ１、Ｅ２、Ｅ３およびＥ４の残りは、上で定義したように、水素またはアシル基であり得る。
【００６８】
架橋剤ｅ）は、さらに、ヒマシ油のポリエトキシ化誘導体であり得、これは、必要に応じて、部分的または全体的に水素化され、エチレン性不飽和カルボン酸でエステル化されているが、但し、該架橋剤では、エチレン型結合の全数は、少なくとも２個である。約１５〜約１５０で変わるエトキシ化度を有するヒマシ油のポリエトキシ化誘導体（これは、アクリル酸、メタクリル酸、イタコン酸、マレイン酸、ソルビン酸、クロトン酸、オレイン酸およびリノール酸から選択される酸でエステル化されている）が好ましい。
【００６９】
これらの化合物は、当該技術分野で公知の手順に従って、ヒマシ油の対応するポリエトキシ化誘導体（これは、部分的または全体的に水素化されている）をエステル化することにより、調製される。
【００７０】
架橋剤ｅ）は、式（ＩＶ）の化合物であり得る：
【００７１】
【化４０】
2006503934.tif 000021
ここで：
Ｌ１、Ｌ２およびＬ３は、同一または異なり得、水素、または２個〜２５個の炭素原子を有する飽和または不飽和モノ−またはジカルボン酸のアシル残基を表わし、ここで、別のカルボン酸基は、必要に応じて、（Ｃ１〜２０）脂肪族アルキル基でエステル化できるが、但し、Ｌ１、Ｌ２およびＬ３の少なくとも２個は、上で定義したエチレン性不飽和アシル残基を表わす；
ｐは、２と５０の間の整数である。
【００７２】
また、式（ＩＶ）の化合物は、次式のポリグリセロールから出発して、上で例示した通常の手順により、調製される：
【００７３】
【化４１】
2006503934.tif 000022
本発明の架橋共重合体は、異なる重合手順（例えば、沈殿重合、懸濁重合および溶液重合、または水中油型または油中水型の乳化重合）により、調製できる。これらの重合反応の条件は、基本的には、当該技術分野で公知のものである。一般に、これらの重合は、アニオン性界面活性剤／乳化剤（例えば、ドデシルベンゼンスルホン酸ナトリウム、ジ第二級ブチルナフチレンスルホン酸ナトリウム、ラウリル硫酸ナトリウム、ラウリルエーテル硫酸ナトリウム、ドデシルジフェニルエーテル二スルホン酸二ナトリウム、二ナトリウムｎ−オクタデシルスルホ−スクシナメートまたはジオクチルスルホコハク酸ナトリウム）の存在下にて、実行される。ラウリル硫酸ナトリウムおよびラウリルエーテル硫酸ナトリウムは、特に好ましい。その温度は、一般に、約５０℃と約１２０℃の間であり、その重合は、約２〜８時間で完結する。最も好ましい重合反応は、水中油型乳化重合である。
【００７４】
上述の種類の増粘剤は、米国特許第６，１４０，４３５号でさらに詳細に開示されており、その開示内容は、本明細書中で参考として援用されている。
【００７５】
アニオン性重合体レオロジー改質剤または増粘剤は、種々の商品名にて、多くの業者から市販されている。それゆえ、Ｎｏｖｅｏｎ，Ｉｎｃ．（以前は、Ｔｈｅ  Ｂ．Ｆ．Ｇｏｏｄｒｉｃｈ  Ｃｏｍｐａｎｙ）は、種々の用途のための種々の等級および製品で、Ｃａｒｂｏｐｏｌ（登録商標）増粘剤樹脂を販売している。３Ｖ／Ｓｉｇｍａは、Ｓｙｎｔｈａｌｅｎ（登録商標）シリーズ、Ｓｔａｂｙｌｅｎ（登録商標）、ＰＮＣ（登録商標）およびＰｏｌｙｇｅｌ（登録商標）で、一連の増粘剤製品を供給している。Ｒｉｔａは、Ａｃｒｉｔａｍｅｒ（登録商標）シリーズの製品を販売している。Ｐｏｍｐｏｎｅｓｃｏは、Ａｄｄｅｎｓａｎｔｅ（登録商標）、Ｇｅｌａｃｒｉｌ（登録商標）およびＰｏｌａｃｒｉｌ（登録商標）重合体を販売している。ＢＡＳＦは、Ｌｕｖｉｇｅｌ（登録商標）を販売しており、そしてＳｕｍｉｔｏｍｏ  Ｓｅｉｋａは、Ａｑｕｐｅｃ（登録商標）を販売している。以下の企業は、対応する増粘剤重合体を販売している：Ｇｏｌｄｓｃｈｍｉｄｔ  ＡＧ−ＴＸ（登録商標）；Ｎｉｈｏｎ−Ｊｕｎｌａｎ（登録商標）；Ｃｌａｒｉａｎｔ−Ａｒｉｓｔｏｆｌｅｘ（登録商標）；Ａｌｂａｎ  Ｍｕｌｌｅｒ  Ｉｎｔｅｒｎａｔｉｏｎａｌ−Ａｍｉｇｅｌ（登録商標）；Ｃｏｒｅｌ  Ｐｈａｒｍａ  Ｃｈｅｍ−Ａｃｒｙｐｏｌ（登録商標）；Ｅｌｅｍｅｎｔｉｓ−Ｒｈｅｏｌａｔｅ（登録商標）；Ｗａｋｏ  Ｐｕｒｅ  Ｃｈｅｍｉｃａｌ  Ｉｎｄ．−Ｈｉｖｉｓｗａｋｏ（登録商標）；Ｒｈｏｍｅ  ＆  Ｈａａｓ−Ａｃｕｌｙｎ（登録商標）シリーズ；Ｃｉｂａ  Ｓｐｅｃｉａｌｔｙ  Ｃｈｅｍｉｃａｌｓ−Ｓａｌｃａｒｅ（登録商標）シリーズ；ＩＳＰ−Ｓｔａｂｉｌｅｚｅ（登録商標）シリーズ；Ｎａｔｉｏｎａｌ  Ｓｔａｒｃｈ  ａｎｄ  Ｃｈｅｍｉｃａｌ−Ｓｔｒｕｃｔｕｒｅ（登録商標）シリーズ；そしてＳｅｐｐｉｃ−Ｃａｐｉｇｅｌ（登録商標）シリーズ、Ｓｅｐｉｇｅｌ（登録商標）シリーズおよびＳｉｍｕｌｇｅｌ（登録商標）シリーズ。
【００７６】
（他の添加剤）
多くのパーソナルケア製品は、このような製品においてアニオン性重合体レオロジー改質剤または増粘剤も使用するなら、本発明の錯化カチオン性成分を使用することで、恩恵を受け得る。このようなパーソナルケア製品は、角質物質（例えば、髪、爪、皮膚、唇または睫）の処置において使用することが意図されている。それらには、種々の髪処方（例えば、シャンプー、リンス、ゲル、染料、プレパレイションコンディショナー、ムース、髪を整えるためのホットオイル処置および製品、パーマまたは整髪調製品、セッティングローションおよびドライヤー乾燥ローション）；皮膚クリーム、ローションおよび清浄剤；および唇、爪および睫に塗布する製品が挙げられる。これらのパーソナルケア製品は、通常、また、特定の製品用途に特定の望ましい特性を得るための添加剤を含有する。このような添加剤は、以下で例示されるが、他の添加剤もまた、必要に応じて、または望ましいなら、使用され得る。
【００７７】
（コンディショニング剤）
本発明の組成物を含有するパーソナルケア製品はまた、約０．１重量％〜約１０重量％、特に、約０．５重量％〜約１０重量％、好ましくは、約１．０重量％〜約５．０重量％の非揮発性シリコーン化合物または他のコンディショニング剤（好ましくは、水不溶性で乳化可能なコンディショニング剤）を含有し得る。好ましい非揮発性シリコーン化合物は、ポリジメチルシロキサン化合物（例えば、低分子量ポリジメチルシロキサン流体と高分子量ポリジメチルシロキサンゴムとの約３：１の重量比の混合物）である。この非揮発性ポリジメチルシロキサン化合物は、配合および髪に対する感覚（柔軟性）を改良するのに十分な量で、本発明の組成物に加えられる。
【００７８】
他の種類のシリコーンコンディショニング剤は、「シリコーンゴム」であり、これらは、２５℃で、約５〜約６００，０００センチストークスの粘度を有する非官能性シリコーンである。好ましいシリコーンゴムには、直鎖および分枝ポリジメチルシロキサンが挙げられる。本発明の組成物で有用なシリコーンゴムは、種々の企業（Ｇｅｎｅｒａｌ  Ｅｌｅｃｔｒｉｃ  Ｃｏｍｐａｎｙ、ＤｏｗＣｏｒｎｉｎｇを含めて）から入手できる。
【００７９】
また、米国特許第４，９０２，４９９号（その内容は、本明細書中で参考として援用されている）で開示されているように、いわゆる剛性シリコーン（これらは、２０℃で、６００，０００センチストークスより高い粘度（例えば、７００，０００センチストークス）を有し、それに加えて、少なくとも約５００，０００の重量平均分子量を有する）も有用であり、それらは、次式で図示されている：
【００８０】
【化４２】
2006503934.tif 000023
他のコンディショニング剤には、いわゆる「ジメチコンコポリオール」があり、これらは、直鎖または分枝であり得、ブロックまたはランダム共重合体であり得る。好ましくは、これらのジメチコンコポリオールは、１個またはそれ以上のポリシロキサンブロックおよび１個またはそれ以上のポリエーテルブロックを有するブロック共重合体（例えば、エチレンオキシドおよびプロピレンオキシド）である。
【００８１】
好ましくは、これらのジメチコンコポリオール中のエチレンオキシド（Ｃ２Ｈ４Ｏ）とプロピレンオキシド（Ｃ３Ｈ８Ｏ）との重量比は、１００：０〜３５：６５である。２５℃で１００％活性であるときのジメチコンコポリオールの粘度は、１００〜４０００センチストークスである。これらのジメチコンコポリオールは、ｔｈｅ  Ｉｎｔｅｒｎａｔｉｏｎａｌ  Ｃｏｓｍｅｔｉｃ  Ｉｎｇｒｅｄｉｅｎｔｓ  Ｄｉｃｔｉｏｎａｒｙ，５ｔｈ  Ｅｄｉｔｉｏｎ，１９９３（Ｗａｓｈｉｎｇｔｏｎ  Ｄ．Ｃ．のｔｈｅ  ＣＴＦＡにより出版）で見られる業者から入手できる。
【００８２】
含有できる他の特に適当なコンディショニング剤には、揮発性炭化水素（例えば、約１０個〜約３０個の炭素原子を含有し、エアロゾルまたは非エアロゾルスタイリング補助組成物を塗布した後に髪からゆっくりと揮発するのに十分な揮発性を有する炭化水素）がある。これらの揮発性炭化水素は、上記シリコーンコンディショニング剤とほぼ同じ利点を与える。好ましい揮発性炭化水素化合物には、約１２個〜約２４個の炭素原子を含有し約１００℃〜約３００℃の範囲の沸点を有する脂肪族炭化水素がある。本発明の組成物で有用な揮発性炭化水素の例には、市販の化合物であるＰＥＲＭＥＴＨＹＬ  ９９ＡおよびＰＥＲＭＥＴＨＹＬ  １０１Ａ（これらは、Ｐｅｒｍｅｔｈｙｌ  Ｃｏｒｐｏｒａｔｉｏｎ，Ｆｒａｚｅｒ，Ｐｅｎｎｓｙｌｖａｎｉａから入手できる）がある。揮発性炭化水素化合物は、本発明の組成物中にて、単独で、または他の揮発性炭化水素と併用して、または揮発性シリコーンと併用して、有用である。本発明の組成物に取り込むことができる他の適当な水不溶性コンディショニング剤の例には、以下が挙げられる：ポリシロキサンポリエーテル共重合体；ポリシロキサンポリジメチルジメチルアンモニウムアセテート共重合体；アセチル化ラノリンアルコール；ラウリルジメチルアミンオキシド；ステロールエステル上のステロールのラノリン誘導抽出物；ラノリンアルコール濃縮物；ラノリン脂肪酸のイソプロピルエステル；ラノリン脂肪酸のイソプロピルエステル；オレイルアルコール；ステアリルアルコール；ステラミドプロピルジメチルミリスチルアセテート；ポリオール脂肪酸；脂肪アミドアミン；セチル／カテーテルアリルアルコール；トリス（オリゴオキシエチル）アルキルアンモニウムホスフェート；アミノ官能性シリコーン；塩化ラピリウム；ラノリン酸のイソプロピルエステル；エトキシ化（３０）ヒマシ油；アセチル化ラノリンアルコール；ラノリンの脂肪アルコール画分；鉱油およびラノリンアルコールの混合物；ラノリンの高分子量エステル；クォータニウム（ｑｕａｔｅｒｎｉｕｍ）−７５；ビニルピロリドン／ジメチルアミノ−エチルメタクリレート共重合体；大豆ステロールの５モルエチレンオキシド付加物；大豆ステロールの１０モルエチレンオキシド付加物；エトキシ化（２０モル）メチルグルコシドのステアリン酸エステル；ポリ−ヒドロキシカルボン酸のナトリウム塩；ヒドロキシル化ラノリン；イソステラミドプロピルジメチルアミンラクテート；イソステラミドプロピルモルホリンラクテート；オレアミドプロピルジメチルアミンラクテート；リノラミドプロピルジメチルアミンラクテート；ステラミドプロピルジメチルアミンラクテート；セテアリール（ｃｅｔｅａｒｙｌ）アルコール混合物；セテアリールアルコール；獣脂イミダゾリナムメトサルフェート；ステアリルトリモニウムメトサルフェート；混合エトキシル化およびプロポキシル化長鎖アルコール；ステラミドプロピルジメチルアミンラクテート；ポロニトミン（ｐｏｌｏｎｉｔｏｍｉｎｅ）オキシド；オレアミンオキシド；ステラミンオキシド；大豆エチルジモニエムエトサルフェート；リシノールアミドプロピルエチルジモニエムエトサルフェート；Ｎ−（３−イソステラミド−プロピル）−Ｎ，Ｎ−ジメチルアミノグリコール酸；Ｎ−（３−イソステラミドプロピル）−Ｎ，Ｎ−ジメチルアミノグルコン酸；加水分解した動物ケラチン；エチル加水分解した動物ケラチン；アボカド油；スイートアーモンド油、ブドウ種油；ホホバ油；杏仁油；ゴマ油；ハイブリッドベニバナ油；コムギ胚芽油；ココアミドアミンラクテート；リシノールアミドアミンラクテート；ステアラミドアミンラクテート；ステアラミドモルホリンラクテート；イソステアラミドアミンラクテート；イソステアラミドモルホリンラクテート；コムギ胚芽アミドジメチルアミンラクテート；ベヘナミドプロピルベタイン；リシノールアミドプロピルベタイン；コムギ胚芽アミドジメチルアミンオキシド；二ナトリウムイソステラミドＭＥＡスルホスクシネート；二ナトリウムオレアミドＰＥＧ−２スルホスクシネート；二ナトリウムオレアミドＭＥＡスルホスクシネート；二ナトリウムリシノオレイルＭＥＡスルホスクシネート；二ナトリウムコムギ胚芽アミドＭＥＡスルホスクシネート；二ナトリウムジアゾニウムコムギ胚芽ＰＥＧ−２スルホスクシネート；ポリエチレングリコール（４００）モノおよびジステアレート；合成カルシウムケイシリケート；イソステアリン酸アルカノールアミド；加水分解した動物性タンパク質のエチルエステル；セチルおよびステアリルアルコールとエトキシ化セチルまたはステアリルアルコールとのブレンド；アミドアミン；ポリアミドアミン；パルミチルアミドベタイン；プロポキシル化（１〜２０モル）ラノリンアルコール；イソステアラミドＤＥＡ；および加水分解したコラーゲンタンパク質。本発明の組成物に、この組成物の全重量の約０．５％〜約１０％の量で、これらの水不溶性コンディショニング剤の１種またはそれ以上を含有させたとき、その組成物はまた、この組成物の全重量の約０．５％〜約１０％の量で、このコンディショニング剤用の懸濁液を含有できる。特定の懸濁液は、重要ではなく、水不溶性液体を水に懸濁させる公知の任意の物質から選択できる。適当な懸濁液には、例えば、ジステアリルフタル酸；脂肪酸アルカノールアミド；ポリオールおよび糖のエステル；ポリエチレングリコール；エトキシル化またはプロポキシル化アルキルフェノール；エトキシル化またはプロポキシル化脂肪アルコール；およびエチレンオキシドと長鎖アミドとの縮合生成物がある。これらの懸濁剤は、本明細書中で引用した多数の他のものと同様に、当該技術分野で周知であり、例えば、ＭｃＣｕｔｃｈｅｏｎ’ｓ  Ｄｅｔｅｒｇｅｎｔｓ  ａｎｄ  Ｅｍｕｌｓｉｆｉｅｒｓ，１９８９  Ａｎｎｕａｌ（ＭｃＣｕｔｃｈｅｏｎ  Ｄｉｖｉｓｉｏｎ，ＭＣ  Ｐｕｂｌｉｓｈｉｎｇ  Ｃｏ．により出版）のような文献に十分に記述されている。非イオン性アルカノールアミンはまた、必要に応じて、コンディショニング剤を含有するスタイリング組成物中にて、約０．１重量％〜約５重量％の量で含有されて、水不溶性コンディショニング剤の非常に安定な乳化をもたらし、増粘および発泡安定性を助ける。これらのアルカノールアミドの代わりに、他の有用な懸濁剤および増粘剤が使用でき、これらには、例えば、アルギン酸ナトリウム；グアールガム；キサンタンガム；アラビアゴム；セルロ���ス誘導体（例えば、メチルセルロース、ヒドロキシブチルセルロース、ヒドロキシエチルセルロース、ヒドロキシプロピルセルロースおよびカルボキシメチルセルロース）；および種々の合成重合体増粘剤（例えば、ポリアクリル酸誘導体）がある。適当なアルカノールアミドには、例えば、ヘアケア処方の技術分野で公知のもの（例えば、ココアミドモノエタノールアミド（ＭＥＡ）、ココアミドジエタノールアミド（ＤＥＡ）、ソヤミドＤＥＡ、ラウラアミドＤＥＡ、オレアミドモノイソプロピルアミド（ＭＩＰＡ）、ステアラミドＭＥＡ、ミリスタミドＭＥＡ、ラウラミドＭＥＡ、カプラミドＤＥＡ、リシノールアミドＤＥＡ、ミリスタミドＤＥＡ、ステアラミドＤＥＡ、オレイラミドＤＥＡ、タロアミドＤＥＡ、ラウラミドＭＩＰＡ、タロアミドＭＥＡ、イソステアラミドＤＥＡ、イソステアラミドＭＥＡおよびそれらの組合せ。
【００８３】
（中和剤）
アニオン性レオロジー改質剤を含有する処方では、しばしば、その重合体増粘剤を中和する必要がある。中和は、１種またはそれ以上の無機塩基（例えば、水酸化ナトリウム、水酸化カリウム、水酸化アンモニウムおよび／または炭酸アンモニウム）を使って、達成される。有用な中和性有機塩基には、第一級、第二級および第三級アミン、水溶性アルカノールアミン（例えば、それぞれ、モノエタノールアミン（ＭＥＡ）、ジエタノールアミン（ＤＥＡ）、トリエタノールアミン（ＴＥＡ）、２−メチル−２−アミノ−１−プロパノール（ＡＭＰ）、２−アミノ−２−メチル−プロパノールおよび２−アミノ−２−メチル−１，３−プロパンジオール、２−ジメチルアミノエタノールＮ，Ｎ−ジメチル−エタノールアミン）、３−ジメチルアミノ−１−プロパノール、３−ジメチルアミノ−２−プロパノール、１−アミノ−２−プロパノールなど、モノアミノグリコールなど（これらは、その重合体を水溶液中で可溶にするのを助ける）がある。必要な中和レベルは、各重合体について、変わる。それらのブロック共重合体は、水溶液およびヒドロアルコール性溶液中にて、２０％〜１００％の中和で、水／アルコール／推進剤溶液の全て記述したレベルで、溶解性となる。これらの溶液のｐＨは、通常、４〜１２の範囲であるが、一般に、５と８の間である。この重合体を水溶性または水分散性にするのに必要な最も低い中和レベルは、このブロック重合体の組成、およびアルコール、水および推進剤の量に依存している。
【００８４】
（エアロゾル推進剤ガス）
エアロゾル組成物に含有される推進剤ガスは、エアロゾル容器に通常使用されている任意の液化可能ガスであり得る。推進剤として使用するのに適当な物質の例には、トリクロロフルオロメタン、ジクロロジフルオロメタン、ジクロロテトラフルオロエタン、モノクロロジフルオロ−メタン、トリクロロトリフルオロエタン、ジメチルエーテル、プロパン、ｎ−ブタンおよび１種またはそれ以上のブタンがあり、これらは、単独でまたは混合して、使用される。水溶性ガス（例えば、ジメチルエーテル、二酸化炭素および／または亜酸化窒素）もまた、引火性を低くしたエアロゾルを得るために、使用できる。水非混和性の液化炭化水素およびハロゲン化炭化水素ガス（例えば、プロパン、ブタンおよびクロロフルオロカーボン）は、有利には、他の非混和性ガスに付随した劇的な圧力低下なしで、そのエアロゾル容器の内容物を送達するのに使用できる。ここで、液化したガスが水性処方の上部に乗って容器内の圧力が常に飽和炭化水素蒸気の蒸気圧となるので、このエアロゾル容器の内部にヘッド空間が残ることは問題ではない。他の不溶な圧縮ガス（例えば、窒素、ヘリウムおよび完全にフッ素化したオキセタンおよびオキセパン）もまた、これらの組成物をエアロゾル容器から送達するのに有用である。上記水性スタイリングエイド組成物を送達する他の手段には、ポンプ噴霧器、全ての形態のバッグ−イン−カン（ｂａｇ−ｉｎ−ｃａｎ）装置、現場二酸化炭素（ＣＯ２）発生器システム、コンプレッサーなどが挙げられる。その推進剤ガスの量は、エアロゾル技術で周知の通常の要因により、支配される。ムースには、推進剤のレベルは、一般に、その全組成物の約３％〜約３０％、好ましくは、約５％〜約１５％である。もし、ジメチルエーテルのような推進剤が蒸気圧抑制剤（例えば、トリクロロエタンまたはジクロロメタン）を使用するなら、重量％の計算には、その推進剤の一部として、抑制剤の量が含められる。
【００８５】
最終製品は、必要に応じて、１種またはそれ以上の固定樹脂を含有し得る。ヘア固定樹脂の例には、合成重合体（例えば、ポリアクリレート、ポリビニル、ポリエステル、ポリウレタン、ポリアミドおよびそれらの混合物）；天然原料（例えば、変性セルロース、デンプン、グアール、キサンタン、カラゲナンおよびそれらのブレンド）から誘導された重合体が挙げられる。これらの樹脂は、カチオン性、アニオン性、非イオン性、両性または双性を有し得る。それらは、水に溶解性、分散性または不溶性であり得、ヒドロアルコール性処方のガラス転移温度Ｔｇは、−５０℃〜２００℃の範囲であり得る。
【００８６】
ヘアスタイリング組成物に有利に取り込まれ得る他の種類のオルガノシリコーンには、非極性シロセスキオキサン（ｓｉｌｓｅｓｑｕｉｏｘａｎｅｓ）であるシリコーン樹脂がある。これらの樹脂は、フィルム形成性であり、その組成物に良好な硬化保持性能を与えるのを助ける。これらのシロセスキオキサンは、以下からなる群から選択される式を有する：
【００８７】
【化４３】
2006503934.tif 000024
およびそれらのヒドロキシ、アルコキシ、アリールオキシおよびアルケノキシ誘導体であって、ここで、Ｒ５０、Ｒ５１、Ｒ５２およびＲ５３は、１個〜２０個の炭素原子を有するアルキル、アルケニル、アリールおよびアルキルアリールラジカルからなる群から選択される；そしてｊ、ｋ、ｌおよびｍは、それぞれ、０〜約１０００の値を有する整数であるが、但し、整数ｊおよびｌの合計は、少なくとも１でなければならない。
【００８８】
上で特定した一般式のいずれか１つと一致する非極性シロセスキオキサンシリコーン樹脂材料は、Ｄｏｗ  Ｃｏｒｎｉｎｇ  Ｃｏｒｐｏｒａｔｉｏｎ，Ｍｉｄｌａｎｄ，Ｍｉｃｈｉｇａｎから市販されている。
【００８９】
これらの非極性シロセスキオキサンは、その処方に溶媒（例えば、エタノールまたは任意の他の適当な溶媒）が単独でまたは水との混合物でいずれかで存在しているという条件で、本発明のブロック共重合体を含有するヘアスタイリング処方に取り込むことができる。
【００９０】
このオルガノシリコーン化合物は、この混合物中にて、その混合物の重量を基準にして、約０．１重量％〜約５０重量％のレベルで存在している。好ましくは、このオルガノシリコーン化合物は、この混合物中にて、その混合物の重量を基準にして、約３重量％〜約３０重量％のレベルで存在している。その溶媒は、水、炭化水素、アルコール、またはアルコールと水とのブレンドであり得る。使用され得る他の溶媒には、超臨界流体（例えば、超臨界二酸化炭素および窒素）；揮発性シリコーン（直鎖および環状シロキサンを含めて）；非揮発性炭化水素が挙げられ、ある場合には、水性乳濁液系もまた、適当であり得る。この溶媒が炭化水素である場合、ジメチルエーテル、液化石油ガス、プロパンおよびイソブタンのような物質を使用することが好ましい。この溶媒がアルコールである場合、一部の適当な物質には、メタノール、エタノールおよびイソプロパノールがある。
【００９１】
シロセスキオキサンの一例は、次式により表わされ得る：
【００９２】
【化４４】
2006503934.tif 000025
取り込まれ得る他の添加剤には、溶解性表面張力低下化合物がある。それは、このヘアスタイリング組成物とその上の気体雰囲気との間の表面張力を低下させる任意の溶解性化合物である。「気体雰囲気」とは、推進剤または空気を意味する。この溶解性表面張力低下化合物は、例えば、ヘアスタイリング組成物中の可塑剤または界面活性剤であり得る。この溶解性表面張力低下化合物には、例えば、ジメチコンコポリオール、パンテノール、フルオロ界面活性剤、グリセリンＰＯＥ、ＰＰＧ２８  Ｂｕｔｅｔｈ  ３５、ＰＥＧ７５ラノリン、オキシトキシノール（ｏｘｔｏｘｙｎｏｌ）−９、ＰＥＧ−２５水素化ヒマシ油、ポリエチレングリコール２５グリセリルトリオレエート、オレス（ｏｌｅｔｈ）−３ホスフェート、ＰＰＧ−５−セテス（ｃｅｔｅｔｈ）−１０ホスフェート、ＰＥＧ−２０メチルグルコースエーテル、またはグリセレス（ｇｌｙｃｅｒｅｔｈ）−７−トリアセテート、グリセレス−７−ベンゾエートまたはそれせの組み合わせが挙げられる。好ましくは、この溶解性張力化合物は、ジメチコンコポリオール、パンテノール、グリセレス−７−ベンゾエートまたはそれせの組み合わせである。
【００９３】
この溶解性表面張力低下化合物は、典型的には、その低ビーディング低ＶＯＣヘアスタイリング組成物中にて、その組成物の全重量を基準にして、０．０１〜１重量％の濃度、さらに好ましくは、０．０１〜０．２５重量％の濃度で、存在している。
【００９４】
また、有用な添加剤には、可塑化化合物がある。第一種の可塑化化合物には、溶解性ポリカルボン酸エステルがある。これらのポリカルボン酸エステルは、３個〜１２個の炭素原子を有する炭素骨格およびそこに結合した３個またはそれ以上のＣ１〜Ｃ５アルキルカルボキシレート基を有する。適当なポリカルボン酸エステルには、例えば、クエン酸トリエチル、クエン酸トリブチル、フタル酸トリエチル、フタル酸トリブチル、フタル酸トリペンチル、またはそれらの組合せが挙げられる。好ましくは、このポリカルボン酸エステルは、クエン酸トリエチル、クエン酸トリブチル、フタル酸トリブチル、またはそれらの組合せから選択され、さらに好ましくは、クエン酸トリエチル、クエン酸トリブチル、またはそれらの組合せから選択される。これらの可塑化化合物は、好ましくは、ヘアスタイリング組成物の全重量を基準にして、０．０１〜１．０重量％の可塑化化合物、さらに好ましくは、０．１〜０．５重量％の可塑化化合物の全濃度を提供するように、ヘアスタイリング組成物に加えられる。
【００９５】
この処方は、必要に応じて、その全組成を基準にして、約５重量％までの量で、１種またはそれ以上の非活性補助剤を含有し得る。このような非活性添加剤には、腐食防止剤、界面活性剤、フィルム硬化剤、ヘアカーリング剤、着色剤、ラストラント（ｌｕｓｔｒａｎｔ）、金属イオン封鎖剤、防腐剤などが挙げられる。典型的な腐食防止剤には、ホウ酸メチルエチルアミン、ホウ酸メチルイソプロピルアミン、無機水酸化物（例えば、水酸化アルミニウム、ナトリウムおよびカリウム）、ニトロメタン、ジメチルオキサゾリジン、２−ジメチルアミノ−２−メチル−１−プロパノールおよびアミノメチルプロパノールが挙げられる。
【００９６】
以下のような皮膚軟化薬：Ｇｕｅｒｂｅｔアルコールおよびそれらのエステル、シリコーン誘導体、蜜蝋、Ｃ１２〜１５アルコール、ベンゾエート、鉱油、カプリン酸トリグリセリド、セテアリールアルコール（ｃｅｔｅａｒｙｌ  ａｌｃｏｈｏｌ）、セテアレス（ｃｅｔｅａｒｅｔｈ）−２０、カストール油、イソヘキサデカン、ミリスチン酸イソプロピル、パルミチン酸イソプロピル、オクタン酸セテアリールおよびペトロラタム。
【００９７】
以下のようなＵＶ−吸収剤：サリチル酸ブチルオクチル、オキシケイ皮酸オクチルメチル、アボベンゾン（ａｖｏｂｅｎｚｏｎｅ）、ベンゾフェノン−３およびベンゾフェノン−４、サリチル酸オクチル、パラ−アミノ安息香酸（ＰＡＢＡ）、オクチルジメチルＰＡＢＡ、ヒンダード環状アミン紫外光安定化剤（これは、３，５−ヒンダードピペリジン（これは、Ｃｉｂａ  Ｓｐｅｃｉａｌｔｙ  Ｃｈｅｍｉｃａｌから、ＴＩＮＵＶＩＮ（登録商標）シリーズの製品として、入手できる）または３，５−ヒンダード−２−ケト−ピペラジノンをベースにしている）。
【００９８】
以下のような界面活性剤：アルコール、アルコールエトキシレート、アルカノールアミン誘導アミド、エトキシル化アミド、アミンオキシド、エトキシル化カルボン酸、エトキシル化グリセリド、グリコールエステルおよびそれらの誘導体、モノグリセリド、ポリグリセリルエステル、多価アルコールエステルおよびエーテル、ソルビタン／ソルビトールエステル、リン酸のトリエステル、エトキシル化ラノリン、シリコーンポリエーテル、ＰＰＯ／ＰＥＯエーテル、アルキル−ポリグリコシド、アシル／ジアルキルエチレンジアミンおよび誘導体、ｎ−アルキルアミノ酸、アシルグルタメート、アシルペプチド、サルコシネート、タウレート、アルカン酸、カルボン酸エステル、カルボン酸エーテル、リン酸エステルおよび塩、イセチオン酸アシル、スルホン酸アルキルアリール、スルホン酸アルキル、スルホスクシネート、硫酸アルキルエーテルおよび硫酸アルキル。
【００９９】
（担体ビヒクル）
化粧品またはヘア組成物を調製するには、典型的には、極性溶媒が使用される。好ましくは、水、グリコールおよびアルコールが使用される。この組成物中で使用される任意のアルコールは、２個〜４個の炭素原子を有する脂肪族の直鎖または分枝鎖一価アルコールである。イソプロパノールおよび特にエタノールが好ましい。この組成物中のアルコールの濃度は、約４０重量％未満であるべきであり、驚くべきことに、０重量％近くまで低くあり得、好ましくは、０〜３０重量％、さらに好ましくは、５〜２０重量％であり得る。一部のアルコールは、約２重量％〜約１０重量％の量である。
【０１００】
本明細書中では、非エアロゾルで低ＶＯＣのポンプヘアスプレー組成物が提供され、これは、ユーザーにより、細かいスプレーミストとして適用でき、それは、髪の上で急速に乾燥して、カールの少ないドループおよび効果的なカール保持性能を提供する。この組成物は、事実上、ヘア固定重合体としての共重合体、およびそのための共溶媒としてのアルコールと水とジメトキシメタン（ＤＭＭ）との混合物から成る。このような処方は、無水形式としてだけでなく、全ての水系として、またはヘアスプレーまたはムース製品の両方として、調製され得る。これらの用途のためには、低分子量ヘア固定共重合体を使用することが好ましく、噴霧した小滴のサイズは、そのフィルムの速い乾燥を達成するために、実用的な程度に小さくすべきである。好ましくは、このヘア固定重合体は、その組成物の約１〜１５重量％の固形物レベルで存在しており、このアルコールは、約５０〜７０重量％の量で存在しており、水は、１０〜３０重量％であり、そしてＤＭＭは、１０〜３０重量％である。
【０１０１】
（ＣＡＲＢＯＰＯＬ（登録商標）重合体との錯化カチオンの相溶性）
（実験）
０．５％Ｃａｒｂｏｐｏｌ（登録商標）重合体粘液を調製し、そして水酸化ナトリウムでｐＨ７．０〜７．５に中和した（ＰＡＲＴ  Ａ）。それとは別に、適当なレベルのカチオン性物質、シリコーンおよび中和剤（水酸化ナトリウムまたはクエン酸、ｐＨ７．０〜７．５まで）を含有する溶液を調製した（ＰＡＲＴ  Ｂ）。８部のＰＡＲＴ  Ａに２０部のＰＡＲＴ  Ｂを加えた。Ｂｒｏｏｋｆｉｅｌｄ  ＲＶ  Ｖｉｓｃｏｍｅｔｅｒ、２３℃、２０ｒｐｍで、粘度を測定した。Ｍｉｃｒｏ  １０００  Ｔｕｒｂｉｄｉｍｅｔｅｒで濁度を測定した。
【０１０２】
（結果および論述）
図１〜３は、低分子量四級アンモニウム化合物（塩化セトリモニウム、塩化ステアラルコニウムおよび塩化オレアルコニウム）（これらは、Ｕｌｔｒａｓｉｌ（商標）ＣＡ−１シリコーン（ジメチコンコポリオールフタレートまたはＤＭＣフタレート）で錯化し、そしてＣａｒｂｏｐｏｌ  ＥＴＤ  ２０２０重合体粘液に加えた）を示す。Ｕｌｋａｓｉｌ（商標）ＣＡ−１シリコーンのレベルが高くなるにつれて、その粘度が上昇し、濁度は、カチオン性物質を少しも含有しないゲルのものへと向かった。十分なアニオン性シリコーンを使用したとき、沈殿物は、もはや生成しなかった。図の点線は、沈殿物の存在を示す。逆に、実線は、沈殿物が存在しないことを示す。
【０１０３】
この概念は、範囲が広く、図４〜６で証明されるように、広範囲のＣａｒｂｏｐｏｌ（登録商標）重合体およびアニオン性シリコーンに適用される。図４は、Ｃａｒｂｏｐｏｌ（登録商標）９８０重合体を使って製造した粘液におけるＤＭＣスクシネート−塩化ステアラルコニウム錯体の結果を示す。図５は、Ｃａｒｂｏｐｏｌ（登録商標）Ｕｌｔｒｅｚ−２１重合体を使って製造した粘液におけるＤＭＣサルフェート−塩化オレアルコニウム錯体の結果を示す。図６は、Ｃａｒｂｏｐｏｌ（登録商標）ＥＴＤ  ２０５０重合体（アクリレート／Ｃ１０〜３０アクリル酸アルキルクロス重合体）を使って製造した粘液におけるＤＭＣホスフェート−塩化セトリモニウム錯体の結果を示す。全ての場合において、粘度は回復しなかったが、濁度の低下は、これらの全ての実施例に共通していた。沈殿物の排除は、図６で描写した系（これは、試験した条件のいずれでも、沈殿物が見えなかった）以外は、これらの全ての実施例に共通していた。一部の系（図５）は、所望の効果を達成するために、より多くのシリコーンが必要であった。
【０１０４】
カチオン性成分は、典型的には、低いｐＨ（４〜６）で使用される。最低限の成分を有するゲル（例えば、図１〜６で研究したもの）は、低いｐＨ値に非常に感受性であり、傾向を明らかに示すには雑音が多すぎる曲線を生じる。図１〜６は、学術的な研究には貴重でるものの、アニオン性シリコーンがカチオン物およびＣａｒｂｏｐｏｌ（登録商標）重合体を相溶性にする性能のさらに実用的な証明は、「処方」の項において、以下で示す。
【０１０５】
追加試験（表１）により、Ｕｌｔｒａｓｉｌ（商標）ＣＡ−１のジメチコンコポリオール前駆体は、ＣＡ−１と比較したとき、このカチオン性成分および増粘剤を相溶性にする性能が非常に限られていることが明らかである。このことは、観察された相溶化がそのシリコーンの立体効果ではなく錯化によることを立証している。
【０１０６】
（表１．ｐＨ７．０〜７．５で０．４％Ｃａｒｂｏｐｏｌ（登録商標）ＥＴＤ  ２０２０重合体を含有するゲルにおける低ＭＷクアッツの相溶性）
【０１０７】
【表１】
2006503934.tif 000026
Ｃａｒｂｏｐｏｌ（登録商標）重合体との高い相溶性は、低ＭＷ四級アンモニウム化合物に限定されるようには思われない。ポリクォータニウム化合物および二価カチオンをスクリーンしたところ、ポジティブな結果が得られた（表２）。
【０１０８】
（表２．ｐＨ７．０〜７．５で０．４％Ｃａｒｂｏｐｏｌ（登録商標）ＥＴＤ  ２０２０重合体を含有するゲルにおけるポリクォータニウム化合物および二価カチオンの相溶性）
【０１０９】
【表２】
2006503934.tif 000027
Ｕｌｔｒａｓｉｌ（商標）ＣＡ−１シリコーンを含めることなく、ポリクォータニウム化合物および多価カチオンを加えると、沈殿物が生じた。この試料の調製においてＣＡ−１を含ませると、沈殿物は存在せず、その粘度表示度数が低下した。この粘度低下は、試験したカチオン性物質によるＣａｒｂｏｐｏｌ（登録商標）重合体の「イオン性架橋」が低下したことの指標である。濁度は、試験した条件では、既に非常に低くなっており、ＣＡ−１の含入には影響されていないこと思われる。
【０１１０】
一般に、このシリコーンおよびカチオン性物質を水性媒体とブレンドしてゲルのｐＨをに一致するように調節し、最後に、このゲルに加えたとき、最良の結果が得られた。適当なシリコーン：カチオン比は、処方に依存していることが分かった。それは、このカチオンの使用レベルが上がるにつれて、また、そのｐＨが下がるにつれて、上昇する。
【０１１１】
（結論）
低分子量四級アンモニウム化合物は、アニオン性シリコーンと錯化すると、Ｃａｒｂｏｐｏｌ（登録商標）重合体を含有する系と相溶性にできる。高い相溶性は、沈殿物を形成する傾向の低下、濁度の低下および／または粘度プロフィールの改善として、定義される。アニオン性シリコーンはまた、Ｃａｒｂｏｐｏｌ（登録商標）重合体をポリクォータニウム化合物および二価カチオンと相溶性にする。
【０１１２】
（有効性）
以下の試験により、このカチオン性物質の錯化は、カチオン性物質がアニオン性の髪に堆積する性能を妨害しないことが明らかである。このような妨害は、コンディショニング特性（例えば、濡れた髪の櫛入れ−低ＭＷクアッツがそれを改善するのに最も一般的に使用される）に好ましくない影響を与えない。
【０１１３】
髪におけるカチオン性成分の堆積を測定するには、Ｒｕｂｉｎｅ染料試験が一般的に使用される。それは、予めコンディショニングしたヤクの髪をアニオン性赤色染料に浸ける工程を包含する。ヤクの髪は、それが入手し易く色がないので、使用される。この髪が赤色染料を取り込むことは、既に堆積されたカチオン性物質の量と関係している。ＣＩＥ−ＬＡＢ三元座標系に従って、比色計で髪の色を測定する。３つの無次元軸（Ｌ＊＝明度、ａ＊＝赤色−緑色およびｂ＊＝黄色−青色）（これらは、ヒトの視覚が認知する色差に対応している）の位置を、その髪試料の反射スペクトルに基づいて、割り当てる。ａ＊軸は、赤色染料の取り込み測るのに使用される。
【０１１４】
濡れた髪の櫛入れとは、張力計で測定されるように、濡れた髪に５回完全に櫛を入れるのに必要な全体的な作業量である。
【０１１５】
（実験）
（Ｒｕｂｉｎｅ染料試験）
短く刈り込んだヤクの腹部の髪の房（約３ｇ、各１８ｃｍ）（Ｉｎｔｅｒｎａｔｉｏｎａｌ  Ｈａｉｒ  Ｉｍｐｏｒｔｅｒｓ、Ｉｎｃ．製）を、ラウリル硫酸ナトリウムの１０％溶液で洗浄した。背景色の走査は、Ｕｎｉｖｅｒｓａｌ  Ｓｏｆｔｗａｒｅ  Ｖ．２．１０と共にＨｕｎｔｅｒ  ＬａｂＳｃａｎ  ＩＩ  Ｃｏｌｏｒｉｍｅｔｅｒを使用して、行った。これらの房をＤＩ水で湿らせ、コンディショニング溶液に３分間浸漬し、そして微温の水道水で１分間リンスした。過剰の水を絞り出した。これらの房を０．５％ピラゾール染料溶液（酢酸でｐＨ３．５にした）に５分間浸漬し、再度、微温の水道水で１分間リンスした。これらの房を室温で乾燥させた。色の測定を繰り返した。試験は、２回実行した。
【０１１６】
（濡れた髪の櫛入れ試験）
漂白したＶｉｒｇｉｎ  Ｅｕｒｏｐｅａｎの褐色の刈り込んだヒトの髪の房（約３ｇ、各１８ｃｍ）（Ｉｎｔｅｒｎａｔｉｏｎａｌ  Ｈａｉｒ  Ｉｍｐｏｒｔｅｒｓ、Ｉｎｃ．製）を、ラウリル硫酸ナトリウムの１０％溶液で洗浄した。これらの房をＤＩ水で湿らせ、コンディショニング溶液に３分間浸漬し、そして微温の水道水で１分間リンスした。濡れた各房を、２３℃および５０％相対湿度で、ＴＡ−ＸＴ２Ｉ  Ｔｅｘｔｕｒｅ  Ａｎａｌｙｓｅｒ（Ｔｅｘｔｕｒｅ  Ｔｅｃｈｎｏｌｏｇｙ  Ｃｏｒｐ．）のＡ／ＴＧ張力グリップに置いた。髪が櫛（Ｓａｌｌｙ’ｓ  Ｂｅａｕｔｙ  Ｓｕｐｐｌｙ製のモデル２２００４１）の露出した細かい歯の指定部分に静止するように、この張力グリップを下げた。この房を、それが完全に櫛を通るまで、３．０ｍｍ／ｓの速度で上昇させた。この房を上昇させるのに必要な力を、距離の関数として記録した。これを、全体で５回の引っ張りについて、４回繰り返した。力が掛かっている面積対距離の曲線を計算して合計し、行った全作業量を得た。試験は、３回実行した。
【０１１７】
（結果および論述）
図７〜９は、Ｒｕｂｉｎｅ染料試験の結果を示す。
【０１１８】
図７は、Ｕｌｔｒａｓｉｌ（登録商標）ＣＡ−１シリコーンで錯化した塩化セトリモニウムを含むコンディショニング系で処理した髪を示す。ＣＡ−１のジメチコンコポリオール前駆体とブレンドした同じ四級化合物を含むコンディショニング系もまた、試験した（これは、錯化する性能がない正確に同じコンディショニング系である）。２つのコンディショニング系の間には、著しい堆積物の差は認められず、このことは、錯化が髪のカチオン堆積に影響を与えないことを示唆している。塩化セトリモニウムだけからなるコンディショニング系は、他の２つよりも僅かに堆積が良好であり、これは、他の成分からの立体効果がないことに起因し得る。
【０１１９】
図８は、塩化ステアラルコニウムを使った類似の結果を示す。この場合もやはり、錯化が堆積を低下させないことが明らかである。実際、シリコーン錯化コンディショニング系では、シリコーンブレンドコンディショニング系よりも多くの堆積が測定された。
【０１２０】
図９は、３つの塩化オレアルコニウムコンディショニング系の間で著しい差がないことを示す。差が測定されたものの、それらは、大体、所定コンディショニング系についての２つの房の間の差と同程度であった。
【０１２１】
２つのコンディショニング系（ジメチコンコポリオールフタレートであるＵｌｔｒａｓｉｌ  ＣＡ−１（これは、アニオン性である）に錯化した塩化セトリモニウム、およびジメチコンコポリオール（これは、ＣＡ−１の前駆体であり。アニオン性ではない）とブレンドした塩化セトリモニウム）では、それらのカチオン性成分は、（Ｒｕｂｉｎｅ染料試験で明らかなように）、髪に同等に堆積したが、濡れた髪の櫛入れ試験（図１０）では、結果に差があることが明らかとなった。このシリコーン錯体は、このシリコーンブレンドよりも櫛入れが良好であり、両方は、単一塩化セトリモニウム溶液よりも櫛入れが良好であった。これらの差は、髪にある異なるレベルのシリコーンに起因し得る。既に錯化したカチオン性物質が髪に堆積するだけでなく、（アニオン性シリコーンとジメチコンコポリオールとが同様に髪に堆積すると仮定して）、それがないとアニオン性シリコーンが堆積するであろう量よりも多い量で、それと共にアニオン性シリコーンを運ぶと結論づけることができる。この結論は、図１１で支持され、これは、塩化ステアラルコニウムに関する同じ実験作業を示している。このステアラルコニウム試験により、ずっと大きな房間変動が明らかとなったが、全体的なコンディショニング系の評点は、塩化セトリモニウムを使った場合と同じであった。
【０１２２】
（結論）
低ＭＷ四級アンモニウム化合物をアニオン性シリコーンと錯化すると、髪へのクアットの堆積を低下させないが、髪へのシリコーンの堆積を高めると思われ、これは、コンディショニング特性を向上させる。
【０１２３】
（処方）
（透明コンディショニングスタイリングゲル）
この結晶透明処方は、塩化セトリモニウム、Ｕｌｔｒａｓｉｌ（商標）ＣＡ−１シリコーンおよびＣａｒｂｏｐｏｌ（登録商標）ＥＴＤ２０２０重合体を含有する。それは、現実的なｐＨレベルでの錯化の有用性を立証している。
【０１２４】
【表３】
2006503934.tif 000028
（手順：）
パートＡを調製した−Ｃａｒｂｏｐｏｌ（登録商標）ＥＴＤ２０２０ポリマーを水に振りかけ、中和した。パートＢを調製し、パートＡに添加した。パートＣを調製し、添加した。パートＤを熱を用いて調製し、添加した。パートＥを調製し、添加した。パートＦの成分を別々に添加した。
【０１２５】
（スタイリングゲルの特性）
ｐＨ                                                        ５．３
２０ｒｐｍ、２０℃における粘度（ｍＰａ・ｓ）            １６，４００
マイクロ（Ｍｉｃｒｏ）１０００濁度計上の濁度（ＮＴＵ）        ８
安定性                                          ４５℃で加速された３ヶ月を経過
凍結−解凍安定性（３サイクル）                              合格
Ｕｌｔｒａｓｉｌ（登録商標）ＣＡ−１シリコーンを使って前出の処方の調製を繰り返したとき、塩化セトリモニウムを加えた直後に、沈殿物が形成された。
【０１２６】
（透明リンスオフコンディショニングゲル）
この独特のリンスオフ処方は、塩化セトリモニウム、ジメチコンコポリオールサルフェートおよびＣａｒｂｏｐｏｌ（登録商標）ＥＴＤ２０２０重合体を含有する。それは、錯化しなければ不可能であった処方を製造するのに、いかにして錯化が使用できるかを示している。
【０１２７】
【表４】
2006503934.tif 000029
（手順：）
パートＡを調製した−Ｃａｒｂｏｐｏｌ（登録商標）ＥＴＤ２０２０ポリマーを水に振りかけ、中和した。パートＢをブレンドし、パートＡに添加した。パートＣの成分を一度に一つずつ添加した。パートＤをブレンドし、添加した。
【０１２８】
（コンディショニングゲルの特性）
ｐＨ                                                        ５．２
２０ｒｐｍ、２０℃における粘度（ｍＰａ・ｓ）            １２，４００
マイクロ１０００濁度計上の濁度（ＮＴＵ）                    ２０
安定性                                          ４５℃で加速された３ヶ月を経過
凍結−解凍安定性（３サイクル）                              合格
ジメチコンコポリオールサルフェートなしで前出の処方の調製を繰り返したとき、その最終生成物の形態は、沈殿を含んでいた。
【０１２９】
（透明コンディショニングスタイリングゲル）
この透明スタイリングゲル処方は、Ｐｏｌｙｑｕａｔｅｒｎｉｕｍ−４、ジメチコンコポリオールスクシネートおよびＣａｒｂｏｐｏｌｏ（登録商標）Ｕｌｔｒｅｚ２１重合体を含有する。それは、ポリクォータニウム化合物を含有する処方における錯化の有用性を示している。
【０１３０】
【表５】
2006503934.tif 000030
（手順：）
パートＡを調製した−Ｃａｒｂｏｐｏｌ（登録商標）Ｕｌｔｒｅｚ２１ポリマーを水に添加し、濡れるがままにした。グリダント（Ｇｌｙｄａｎｔ）を添加した。中和剤を添加した。パートＢを調製した−ポリクオタニウム（Ｐｏｌｙｑｕａｔｅｒｎｉｕｍ）−４を水に振りかけ、均一になるまで混合した。ＣＡ−２を添加し、そしてパートＢを中和した。パートＢをパートＡに添加した。
【０１３１】
（スタイリングゲルの特性）
ｐＨ                                                        ６．９
２０ｒｐｍ、２０℃における粘度（ｍＰａ・ｓ）            １７，５５０
マイクロ１０００濁度計上の濁度（ＮＴＵ）                    ６．９
安定性                                          ４５℃で加速された３ヶ月を経過
ジメチコンコポリオールスクシネートなしで前出の処方の調製を繰り返したとき、その最終生成物の粘度は高かったが（４０，０００ｍＰａ・ｓ）、濁度（１４．５ＮＴＵ）は、最適ではなかった。
【０１３２】
（アロエゲル）
この皮膚加湿処方は、アロエ抽出物、ジメチコンコポリオールスクシネートおよびＣａｒｂｏｐｏｌｏ（登録商標）Ｕｌｔｒｅｚ２１重合体を含有する。それは、高レベルの塩を含有する処方における錯化の有用性を示している。
【０１３３】
【表６】
2006503934.tif 000031
（手順：）
パートＡを調製した−Ｃａｒｂｏｐｏｌ（登録商標）Ｕｌｔｒｅｚ２１ポリマーを水に添加し、濡れるがままにした。グリダントを添加した。中和剤を添加した。パートＢをブレンドした。パートＢをパートＡに添加した。混合物を中和した。
【０１３４】
（特性）
ｐＨ                                                        ６．６
２０ｒｐｍ、２０℃における粘度（ｍＰａ・ｓ）            １２，７５０
マイクロ１０００濁度計上の濁度（ＮＴＵ）                    ４．３
安定性                                          ４５℃で加速された３ヶ月を経過
ジメチコンコポリオールスクシネートなしで前出の処方の調製を繰り返したとき、その最終生成物の粘度は高かったが（１８，２００ｍＰａ・ｓ）、濁度（１５．５ＮＴＵ）は、最適ではなかった。
【０１３５】
【表７−１】
2006503934.tif 000032
【０１３６】
【表７−２】
2006503934.tif 000033
【０１３７】
【表７−３】
2006503934.tif 000034
【０１３８】
【表７−４】
2006503934.tif 000035
【０１３９】
【表７−５】
2006503934.tif 000036
【図面の簡単な説明】
【０１４０】
【図１】図１は、十分な錯化剤を使用したときの種々の錯化カチオンとのＣａｒｂｏｐｏｌ（登録商標）ＥＴＤ２０２０増粘剤の相溶性を示すグラフである。
【図２】図２は、十分な錯化剤を使用したときの種々の錯化カチオンとのＣａｒｂｏｐｏｌ（登録商標）ＥＴＤ２０２０増粘剤の相溶性を示すグラフである。
【図３】図３は、十分な錯化剤を使用したときの種々の錯化カチオンとのＣａｒｂｏｐｏｌ（登録商標）ＥＴＤ２０２０増粘剤の相溶性を示すグラフである。
【図４】図４は、錯化剤を使用したときの種々の錯化カチオンとの種々のＣａｒｂｏｐｏｌ（登録商標）増粘剤の相溶性を示すグラフである。
【図５】図５は、錯化剤を使用したときの種々の錯化カチオンとの種々のＣａｒｂｏｐｏｌ（登録商標）増粘剤の相溶性を示すグラフである。
【図６】図６は、錯化剤を使用したときの種々の錯化カチオンとの種々のＣａｒｂｏｐｏｌ（登録商標）増粘剤の相溶性を示すグラフである。
【図７】図７は、Ｒｕｂｉｎｅ染料試験の結果を示す。
【図８】図８は、Ｒｕｂｉｎｅ染料試験の結果を示す。
【図９】図９は、Ｒｕｂｉｎｅ染料試験の結果を示す。
【図１０】図１０は、錯体を形成するときおよび錯化剤を使用しないときの濡れた髪の櫛入れ試験の結果を示す。
【図１１】図１１は、錯体を形成するときおよび錯化剤を使用しないときの濡れた髪の櫛入れ試験の結果を示す。
【図１】
2006503934.tif 000061
【図２】
2006503934.tif 000062
【図３】
2006503934.tif 000063
【図４】
2006503934.tif 000064
【図５】
2006503934.tif 000065
【図６】
2006503934.tif 000066
【図７】
2006503934.tif 000067
【図８】
2006503934.tif 000068
【図９】
2006503934.tif 000069
【図１０】
2006503934.tif 000070
【図１１】
2006503934.tif 000071
【手続補正書】
【提出日】平成16年11月10日(2004.11.10)
【手続補正１】
【補正対象書類名】特許請求の範囲
【補正対象項目名】全文
【補正方法】変更
【補正の内容】
【特許請求の範囲】
【請求項１】
アニオン性重合体レオロジー改質剤をカチオン性物質と相溶性にする方法であって、該方法は、以下の工程を包含する：
錯化カチオン性物質を該レオロジー改質剤と混ぜ合わせる前に、該カチオン性物質をアニオン性錯化剤で錯化する工程であって、
ここで、該レオロジー改質剤は、エチレン性不飽和モノマーから重合され、該モノマーの少なくとも１０重量％は、カルボン酸基を含有し、
ここで、該カチオン性物質は、四級基含有物質、二価または多価カチオンの塩、有機アミン、有機イミダゾリン、およびエトキシ化アミンから選択され、そして
該アニオン性錯化剤は、ポリアルキレングリコール、ポリビニルアルコール、ポリ酢酸ビニル、多糖類、ポリウレタンおよびポリシリコーンから誘導されたアニオン基含有物質から選択される、
方法。
【請求項２】
前記アニオン性錯化剤が、少なくとも１，０００の分子量を有する、請求項１に記載の方法。
【請求項３】
前記錯化剤の前記アニオン基が、カルボキシレート基、スルホネート基、サルフェート基、ホスフェート基およびホスホネート基から選択される、請求項１に記載の方法。
【請求項４】
前記錯化剤が、ポリシリコーンである、請求項３に記載の方法。
【請求項５】
前記ポリシリコーンが、以下の（Ｉ）〜（ＩＶ）からなる群から選択される、請求項４に記載の方法：
（Ｉ）
【化１】
2006503934.tif 000072
ここで：
Ｍｅは、メチルである；
ＲおよびＲ’は、別個に、メチル、−ＯＨ、−Ｒ７、および−Ｒ９−Ａまたは−（ＣＨ２）３−Ｏ−（ＥＯ）ａ−（ＰＯ）ｂ−（ＥＯ）ｃ−Ｇから選択されるが、但し、ＲおよびＲ’の両方が、メチル、−ＯＨまたはＲ７になることはない；
Ｒ１は、低級アルキルＣＨ３（ＣＨ２）ｎ−またはフェニルから選択され、ここで、ｎは、０〜２２の整数である；
ａ、ｂおよびｃは、別個に、０〜１００の範囲の整数である；
ＥＯは、−（ＣＨ２ＣＨ２Ｏ）−である；
ＰＯは、−（ＣＨ２ＣＨ（ＣＨ３）Ｏ）−である；
ｏは、１〜２００の範囲の整数である；
ｑは、０〜１０００の範囲の整数である；
ｐは、０〜２００の範囲の整数である；
Ｒ７は、１個〜４０個の炭素を有するアリール基、アルキル基、アラルキル基、アルカリール基またはアルケニル基である；
Ｒ８は、水素またはＲ７またはＣ（Ｏ）−Ｘであり、ここで、Ｘは、１個〜４０個の炭素を有するアリール基、アルキル基、アラルキル基、アルカリール基、アルケニル基であるか、またはそれらの混合物である；
Ｒ９は、６個〜１８個の炭素を有するアリーレン基で遮断され得る１個〜４０個の炭素を有するアルキレンまたは２個〜８個の炭素を有する不飽和を含むアルキレン基から選択される二価基である；
ＡおよびＧは、別個に、以下から選択される：
【化２】
2006503934.tif 000073
ここで、Ｒ”は、６個〜１８個の炭素を有するアリーレン基で遮断され得る１個〜４０個の炭素を有するアルキレンまたは２個〜８個の炭素を有する不飽和を含むアルキレン基から選択される二価基であり、
ここで、Ｍは、Ｎａ、Ｋ、Ｌｉ、ＮＨ４；またはアルキル基、アリール基、アルケニル基、ヒドロキシアルキル基、アリールアルキル基またはアルカリール基を含有するアミンである；
（ＩＩ）
【化３】
2006503934.tif 000074
Ｒ１１は、１個〜８個の炭素原子を有する低級アルキルまたはフェニルから選択される；
Ｒ１２は、−（ＣＨ２）３−Ｏ−（ＥＯ）ｘ−（ＰＯ）ｙ−（ＥＯ）ｚ−ＳＯ３−Ｍ＋である；
Ｍは、カチオンであり、そしてＮａ、Ｋ、ＬｉまたはＮＨ４から選択される；
ｘ、ｙおよびｚは、別個に、０〜１００の範囲の整数である；
Ｒ１３は、−（ＣＨ２）３−Ｏ−（ＥＯ）ｘ−（ＰＯ）ｙ−（ＥＯ）ｚ−Ｈである；
Ｒ１４は、メチルまたはヒドロキシルである；
ａ１およびｃ１は、別個に、０〜５０の範囲の整数である；
ｂ１は、１〜５０の範囲の整数である；
（ＩＩＩ）
【化４】
2006503934.tif 000075
ここで、
Ｒ２１は、
【化５】
2006503934.tif 000076
である；
ａ２は、０〜２００の整数である；
ｂ２は、０〜２００の整数である；
ｃ２は、１〜２００の整数である；
Ｒ１４は、上で定義したとおりである；
Ｒ２２は、−（ＣＨ２）ｎＣＨ３およびフェニルから選択される；
ｎは、０〜１０の整数である；
Ｒ２３は、−（ＣＨ２）３−Ｏ−（ＥＯ）ｘ１−（ＰＯ）ｙ１−（ＥＯ）ｚ１−Ｈである；
ｘ１、ｙ１およびｚ１は、別個に、０〜２０から選択される；
ｅ１およびｆ１は、１または２であるが、但し、ｅ＋ｆ＝３である；
Ｍは、Ｈ、Ｎａ、Ｋ、ＬｉまたはＮＨ４から選択される；および
（ＩＶ）
【化６】
2006503934.tif 000077
ここで；
Ｍｅは、メチルである；
Ｒ３０およびＲ３２は、別個に、−ＣＨ３または−（ＣＨ２）３−Ｏ−（ＥＯ）ａ３−（ＰＯ）ｂ３−（ＥＯ）ｃ３−Ｃ（Ｏ）−Ｒ３３−Ｃ（Ｏ）−ＯＨである；
但し、Ｒ３０およびＲ３２の両方が−ＣＨ３になることはない；
Ｒ３３は、以下から選択される：−ＣＨ２−ＣＨ２−；−ＣＨ＝ＣＨ−；−ＣＨ２−Ｃ（Ｒ３７）−Ｈ；
【化７】
2006503934.tif 000078
Ｒ３７は、１個〜２２個の炭素原子を有するアルキルである；
Ｒ３１は、低級アルキル（１個〜４個の炭素を有する）、ＣＨ３（ＣＨ）ｎ１−およびフェニルから選択される；
ｎ１は、０〜８の整数である；
ａ３、ｂ３およびｃ３は、別個に、０〜２０の範囲の整数である；
ＥＯは、エチレンオキシド残基−（ＣＨ２ＣＨ２−Ｏ）−である；
ＰＯは、プロピレンオキシド残基−（ＣＨ２ＣＨ（ＣＨ３）−Ｏ−）−である；
ｏ１は、１〜２００の範囲の整数である；
ｑ１は、１〜５００の範囲の整数である、
方法。
【請求項６】
Ｒ”が、−ＣＨ２−ＣＨ２−；−ＣＨ＝ＣＨ−；−ＣＨ２−ＣＨ（Ｒ７）；
【化８】
2006503934.tif 000079
から選択される、請求項５に記載の方法。
【請求項７】
前記レオロジー改質剤が、カルボン酸基を含有するモノマーから誘導された繰り返し単位を少なくとも２５重量％で含有する、請求項１に記載の方法。
【請求項８】
前記レオロジー改質剤アニオン性重合体が、以下の（Ａ）および（Ｂ）からなる群から選択される、請求項７に記載の方法：
（Ａ）次式で表わされる１種またはそれ以上のモノマーの重合により得られた重合体：
【化９】
2006503934.tif 000080
ここで、Ｒ４３は、水素または８個〜３０個の炭素原子を有するアルキル基であり、そして
Ｒ４２は、水素、ハロゲン、ヒドロキシル、ラクトン、ラクタムおよびシアノゲン（−ＣＮ）基、一価アルキルラジカル、一価アリールラジカル、一価アラルキルラジカル、一価アルカリールラジカルおよび一価環状脂肪族ラジカルからなる群から選択される置換基である；
（Ｂ）以下を含む単量体系の共重合体から得られた架橋共重合体：
ａ）１０〜９７重量％の少なくとも１種のエチレン性不飽和モノ−またはジカルボン酸；
ｂ）０〜８０重量％のエチレン性不飽和モノ−またはジカルボン酸の少なくとも１種の（Ｃ１〜Ｃ３０）アルキルまたはアラルキルエステル；
ｃ）０．５〜８０重量％の少なくとも１種の会合性モノマーであって、該会合性モノマーは、次式のエステルである：
【化１０】
2006503934.tif 000081
ここで、
Ｊは、エチレン性不飽和アクリル残基であり、必要に応じて、追加カルボン酸基を含有し、ここで、必要に応じて、該追加カルボン酸基は、（Ｃ１〜Ｃ２０）脂肪族アルキル基でエステル化され得る；
Ｒ１は、１個〜３０個の炭素原子を有するアルキル、アルカフェニルまたはアラルキル残基である；
Ｒ２は、水素、メチルまたはエチルである；
ｒは、０と５０の間を含む；
ｓは、０と３０の間を含む；
ｄ）０〜２０重量％の少なくとも１種のエチレン性不飽和アミド；
ｅ）０．２〜２０重量％の少なくとも１種のジエステルであって、該ジエステルは、少なくとも２個の遊離ＯＨ−基を有するポリオキシアルキレングリコールまたは乳化剤と、架橋剤としてのエチレン性不飽和カルボン酸との間である；および
ｆ）０〜２０重量％の少なくとも１種のエチレン性不飽和スルホン酸。
【請求項９】
Ｒ４３が、水素または１０個〜２２個の炭素原子を有するアルキル基であり、そしてＲ４２が、水素またはメチルである、請求項８に記載の方法。
【請求項１０】
請求項１〜９のいずれかに記載の方法により得られる組成物であって、該組成物は、アニオン性レオロジー改質剤およびカチオン性物質を含有し、該カチオン性物質は、アニオン性錯化剤で錯化されており、
ここで、該レオロジー改質剤は、エチレン性不飽和モノマーから重合され、該モノマーの少なくとも１０重量％は、カルボン酸基を含有し、
ここで、該カチオン性物質は、四級基含有物質、二価または多価カチオンの塩、有機アミン、有機イミダゾリン、およびエトキシ化アミンから選択され、そして
該アニオン性錯化剤は、ポリアルキレングリコール、ポリビニルアルコール、ポリ酢酸ビニル、多糖類、ポリウレタンおよびポリシリコーンから誘導されたアニオン基含有物質から選択される、
組成物。
【請求項１１】
前記アニオン性錯化剤が、以下の（Ｉ）〜（ＩＶ）からなる群から選択される、請求項１０に記載の方法：
（Ｉ）
【化１１】
2006503934.tif 000082
ここで：
Ｍｅは、メチルである；
ＲおよびＲ’は、別個に、メチル、−ＯＨ、−Ｒ７、および−Ｒ９−Ａまたは−（ＣＨ２）３−Ｏ−（ＥＯ）ａ−（ＰＯ）ｂ−（ＥＯ）ｃ−Ｇから選択されるが、但し、ＲおよびＲ’の両方が、メチル、−ＯＨまたはＲ７になることはない；
Ｒ１は、低級アルキルＣＨ３（ＣＨ２）ｎ−またはフェニルから選択され、ここで、ｎは、０〜２２の整数である；
ａ、ｂおよびｃは、別個に、０〜１００の範囲の整数である；
ＥＯは、−（ＣＨ２ＣＨ２Ｏ）−である；
ＰＯは、−（ＣＨ２ＣＨ（ＣＨ３）Ｏ）−である；
ｏは、１〜２００の範囲の整数である；
ｑは、０〜１０００の範囲の整数である；
ｐは、０〜２００の範囲の整数である；
Ｒ７は、１個〜４０個の炭素を有するアリール基、アルキル基、アラルキル基、アルカリール基またはアルケニル基である；
Ｒ８は、水素またはＲ７またはＣ（Ｏ）−Ｘであり、ここで、Ｘは、１個〜４０個の炭素を有するアリール基、アルキル基、アラルキル基、アルカリール基、アルケニル基であるか、またはそれらの混合物である；
Ｒ９は、６個〜１８個の炭素を有するアリーレン基で遮断され得る１個〜４０個の炭素を有するアルキレンまたは２個〜８個の炭素を有する不飽和を含むアルキレン基から選択される二価基である；
ＡおよびＧは、別個に、以下から選択される：
【化１２】
2006503934.tif 000083
ここで、Ｒ”は、６個〜１８個の炭素を有するアリーレン基で遮断され得る１個〜４０個の炭素を有するアルキレンまたは２個〜８個の炭素を有する不飽和を含むアルキレン基から選択される二価基であり、
ここで、Ｍは、Ｎａ、Ｋ、Ｌｉ、ＮＨ４；またはアルキル基、アリール基、アルケニル基、ヒドロキシアルキル基、アリールアルキル基またはアルカリール基を含有するアミンである；
（ＩＩ）
【化１３】
2006503934.tif 000084
Ｒ１１は、１個〜８個の炭素原子を有する低級アルキルまたはフェニルから選択される；
Ｒ１２は、−（ＣＨ２）３−Ｏ−（ＥＯ）ｘ−（ＰＯ）ｙ−（ＥＯ）ｚ−ＳＯ３−Ｍ＋である；
Ｍは、カチオンであり、そしてＮａ、Ｋ、ＬｉまたはＮＨ４から選択される；
ｘ、ｙおよびｚは、別個に、０〜１００の範囲の整数である；
Ｒ１３は、−（ＣＨ２）３−Ｏ−（ＥＯ）ｘ−（ＰＯ）ｙ−（ＥＯ）ｚ−Ｈである；
Ｒ１４は、メチルまたはヒドロキシルである；
ａ１およびｃ１は、別個に、０〜５０の範囲の整数である；
ｂ１は、１〜５０の範囲の整数である；
（ＩＩＩ）
【化１４】
2006503934.tif 000085
ここで、
Ｒ２１は、
【化１５】
2006503934.tif 000086
である；
ａ２は、０〜２００の整数である；
ｂ２は、０〜２００の整数である；
ｃ２は、１〜２００の整数である；
Ｒ１４は、上で定義したとおりである；
Ｒ２２は、−（ＣＨ２）ｎＣＨ３およびフェニルから選択される；
ｎは、０〜１０の整数である；
Ｒ２３は、−（ＣＨ２）３−Ｏ−（ＥＯ）ｘ１−（ＰＯ）ｙ１−（ＥＯ）ｚ１−Ｈである；
ｘ１、ｙ１およびｚ１は、別個に、０〜２０から選択される；
ｅ１およびｆ１は、１または２であるが、但し、ｅ＋ｆ＝３である；
Ｍは、Ｈ、Ｎａ、Ｋ、ＬｉまたはＮＨ４から選択される；および
（ＩＶ）
【化１６】
2006503934.tif 000087
ここで；
Ｍｅは、メチルである；
Ｒ３０およびＲ３２は、別個に、−ＣＨ３または−（ＣＨ２）３−Ｏ−（ＥＯ）ａ３−（ＰＯ）ｂ３−（ＥＯ）ｃ３−Ｃ（Ｏ）−Ｒ３３−Ｃ（Ｏ）−ＯＨである；
但し、Ｒ３０およびＲ３２の両方が−ＣＨ３になることはない；
Ｒ３３は、以下から選択される：−ＣＨ２−ＣＨ２−；−ＣＨ＝ＣＨ−；−ＣＨ２−Ｃ（Ｒ３７）−Ｈ；
【化１７】
2006503934.tif 000088
Ｒ３７は、１個〜２２個の炭素原子を有するアルキルである；
Ｒ３１は、低級アルキル（１個〜４個の炭素を有する）、ＣＨ３（ＣＨ）ｎ１−およびフェニルから選択される；
ｎ１は、０〜８の整数である；
ａ３、ｂ３およびｃ３は、別個に、０〜２０の範囲の整数である；
ＥＯは、エチレンオキシド残基−（ＣＨ２ＣＨ２−Ｏ）−である；
ＰＯは、プロピレンオキシド残基−（ＣＨ２ＣＨ（ＣＨ３）−Ｏ−）−である；
ｏ１は、１〜２００の範囲の整数である；
ｑ１は、１〜５００の範囲の整数である、
組成物。
【請求項１２】
Ｒ”が、−ＣＨ２−ＣＨ２−；−ＣＨ＝ＣＨ−；−ＣＨ２−ＣＨ（Ｒ７）；
【化１８】
2006503934.tif 000089
から選択される、請求項１１に記載の組成物。
【請求項１３】
前記アニオン性レオロジー改質剤が、以下の（Ａ）および（Ｂ）からなる群から選択される、請求項１１に記載の組成物：
（Ａ）次式で表わされる１種またはそれ以上のモノマーの重合により得られた重合体：
【化１９】
2006503934.tif 000090
ここで、Ｒ４３は、水素または８個〜３０個の炭素原子を有するアルキル基であり、そして
Ｒ４２は、水素、ハロゲン、ヒドロキシル、ラクトン、ラクタムおよびシアノゲン（−ＣＮ）基、一価アルキルラジカル、一価アリールラジカル、一価アラルキルラジカル、一価アルカリールラジカルおよび一価環状脂肪族ラジカルからなる群から選択される置換基である；
（Ｂ）以下を含む単量体系の共重合体から得られた架橋共重合体：
ａ）１０〜９７重量％の少なくとも１種のエチレン性不飽和モノ−またはジカルボン酸；
ｂ）０〜８０重量％のエチレン性不飽和モノ−またはジカルボン酸の少なくとも１種の（Ｃ１〜Ｃ３０）アルキルまたはアラルキルエステル；
ｃ）０．５〜８０重量％の少なくとも１種の会合性モノマーであって、該会合性モノマーは、次式のエステルである：
【化２０】
2006503934.tif 000091
ここで、
Ｊは、エチレン性不飽和アクリル残基であり、必要に応じて、追加カルボン酸基を含有し、ここで、必要に応じて、該追加カルボン酸基は、（Ｃ１〜Ｃ２０）脂肪族アルキル基でエステル化され得る；
Ｒ１は、１個〜３０個の炭素原子を有するアルキル、アルカフェニルまたはアラルキル残基である；
Ｒ２は、水素、メチルまたはエチルである；
ｒは、０と５０の間を含む；
ｓは、０と３０の間を含む；
ｄ）０〜２０重量％の少なくとも１種のエチレン性不飽和アミド；
ｅ）０．２〜２０重量％の少なくとも１種のジエステルであって、該ジエステルは、少なくとも２個の遊離ＯＨ−基を有するポリオキシアルキレングリコールまたは乳化剤と、架橋剤としてのエチレン性不飽和カルボン酸との間である；および
ｆ）０〜２０重量％の少なくとも１種のエチレン性不飽和スルホン酸。
【請求項１４】
Ｒ４３が、水素または１０個〜２２個の炭素原子を有するアルキル基であり、そしてＲ４２が、水素またはメチルである、請求項１３に記載の組成物。
【請求項１５】
請求項１１に記載の組成物を含有する、ヘアーコンディショナー。
【請求項１６】
結晶透明処方である、請求項１５に記載のヘアーコンディショナー。
【請求項１７】
透明スタイリングゲル処方である、請求項１５に記載のヘアーコンディショナー。
【請求項１８】
請求項１１に記載の組成物を含有する、皮膚加湿剤。
【請求項１９】
請求項１１に記載の組成物を含有する、ヘアシャンプー。
【請求項２０】
請求項１１に記載の組成物を含有する、家庭用品。
【請求項２１】
請求項１１に記載の組成物を含有する、手の除菌用ゲル。
【国際調査報告】
2006503934.tif 000092
2006503934.tif 000093
2006503934.tif 000094
2006503934.tif 000095
2006503934.tif 000096